(57)【要約】  マルチBPLシナリオでは、PDSCHを受信するためにそのRx空間フィルタリングコンフィギュレーションを設定する際にUEにアシストを提供するために、何らかの形態のビーム関連インジケーションが望ましい。UEへのアシストは、PDSCH DMRSアンテナポートとDL RS (例えば、CSI-RS）アンテナポート（例えば、以前に測定され報告された好ましいCSI-RSリソース）との間の空間QCL仮定を示す特定のインジケータの形成である。【選択図】  図２【特許請求の範囲】
【請求項１】
ユーザ装置、UE (101）、と通信するために、送信ポイント、TRP (102）、によって実行される方法であって、前記方法は、
前記TRP (102）から前記UE (101）へ、前記TRP (102）と前記UE (101）との間の第1のリンクに関連する第1のビーム追跡プロセスインデックス、BTPI、を送信すること（402）を有する、方法。
【請求項２】
請求項1に記載の方法であって、前記TRP (102）と前記UE (101）との間の前記第1のリンクは、アクティブリンクである、方法。
【請求項３】
請求項1または2に記載の方法であって、さらに、
前記TRP（102）から前記UE (101）へ、前記TRP (102）と前記UE (101）との間の第2のリンクに関連する第2のBTPIを送信すること、を有する方法。
【請求項４】
請求項3に記載の方法であって、前記TRP (102）と前記UE (101）との間の前記第2のリンクは、監視されるリンクである、方法。
【請求項５】
請求項1から4のいずれか1項に記載の方法であって、前記第1のBTPIを送信することは、前記第1のBTPIおよび1つまたは複数のチャネル状態基準信号（CSI-RS）コンフィギュレーションを含むメッセージを送信することを含む、方法。
【請求項６】
請求項5に記載の方法であって、前記第2のBTPIを送信することは、前記第2のBTPIおよび1つまたは複数のCSI-RSコンフィギュレーションを含む第2のメッセージを送信することを含む、方法。
【請求項７】
請求項1から4のいずれか1項に記載の方法であって、 さらに、
前記TRP（102）から前記UE (101）に、CSI-RSコンフィギュレーションと前記第1のリンクに関連する前記第1のBTPIとを含むメッセージを送信することを有する、方法。
【請求項８】
請求項1から7のいずれか1項に記載の方法であって、
前記第1のBTPIを前記UE (101）に送信することは、PDSCH送信をスケジュールするために前記UE (101）に制御メッセージに送信することを有し、前記第1のBTPIは前記制御メッセージに含まれ、
前記方法は、前記制御メッセージを前記UE (101）に送信する前に、前記UE (101）に基準信号、RS、測定を実行するために前記UE (101）をトリガメッセージとして送信することをさらに有する、方法。
【請求項９】
請求項8に記載の方法であって、前記トリガメッセージは、前記第1のBTPIを有する、方法。
【請求項１０】
請求項8に記載の方法であって、さらに、
前記トリガメッセージを前記UE (101）に送信した後であって、前記制御メッセージを前記UE (101）に送信する前に、前記BTPIを含むメッセージを前記UE (101）に送信することを有し、
前記BTPIは前記トリガメッセージに含まれない、方法。
【請求項１１】
ユーザ装置、UE (101）、と通信するために、送信および受信ポイント、TRP (102）、によって実行される方法であって、前記方法は、
前記UE (101）をトリガして、1つまたは複数の基準信号、RS、リソースのセットに関するRS測定を実行することを有し
前記RS測定を実行するように前記UE (101）をトリガすることは、前記UE (101）にインジケータを含む情報を送信することを有し、（ｉ）前記インジケータは、前記RSリソースの前記セットを送信するために前記TRP (102）が使用する送信空間フィルタリングコンフィギュレーションに関連付けられているか、または（ii）前記TRP（102）が、前記インジケータを、前記UE (101）によって送信される、一つまたは複数の好ましいＲＳリソースを示す報告に基づく送信空間フィルタリングコンフィギュレーションに関連付ける、方法。
【請求項１２】
ユーザ装置、UE (101）、と通信するために、送信および受信ポイント、TRP (102、）によって実行される方法であって、前記方法は、
送信空間フィルタリングコンフィギュレーションに関連する特定のインジケータを含む第1のメッセージをUE（101）に送信することと、
前記第1のメッセージを前記UE (101）に送信した後、前記UE (101）のためのPDSCH送信をスケジュールするための制御メッセージを前記UE (101）に送信することであって、送信空間フィルタリングコンフィギュレーションに関連する特定のインジケータは前記制御メッセージに含まれる、ことと、
前記制御メッセージを送信した後、前記特定のインジケータに関連する前記送信空間フィルタリングコンフィギュレーションを使用して前記PDSCH送信を実行することと、を有する、方法。
【請求項１３】
請求項12に記載の方法であって、前記制御メッセージを送信することは、ダウンリンク制御情報であるDCIを物理ダウンリンク制御チャネルであるPDCCHで送信することを有し、前記DCIは、前記特定のインジケータを含む、方法。
【請求項１４】
ユーザ装置、UE (101）、と通信するための送信ポイント、TRP (102）、であって、前記TRP (102）は、請求項1から13のいずれか1項に記載の方法を実行するように構成されている、送信ポイント。
【請求項１５】
ユーザ装置、UE (101）、と通信するための送信ポイント、TRP (102）、であって、前記TRP (102）は、
少なくとも一つのプロセッサ（755）と、 
メモリ（742）と、を有し、前記メモリは、前記少なくとも1つのプロセッサによって実行可能な命令を含み、これにより前記TRP (102）は、請求項1から12のいずれか1項に記載の方法を実行するように構成された、送信ポイント。
【請求項１６】
ユーザ装置、UE (101）、と通信するための送信ポイント、TRP (102）、であって、前記TRP (102）は、
前記TRP (102）と前記UE (101）との間の第1のリンクに関連する第1のビーム追跡プロセスインデックス、BTPI、を前記TRP (102）から前記UE (101）に送信するように構成された送信ユニットを有する、送信ポイント。
【請求項１７】
送信ポイント、TRP (102）、と通信するユーザ装置、UE (101）、によって実行される方法であって、
前記UE (101）において、前記TRP (102）から、前記TRP (102）と前記UE (101）との間の第1のリンクに関連する第1のビーム追跡プロセスインデックス、BTPI、を受信すること（502）を有する、方法。
【請求項１８】
請求項17に記載の方法であって、前記TRP (102）と前記UE (101）との間の前記第1のリンクは、アクティブリンクである、方法。
【請求項１９】
請求項17または18に記載の方法であって、 さらに、
前記UE (101）において、前記TRP (102）から、前記TRP (102）と前記UE (101）との間の第2のリンクに関連する第2のBTPIを受信すること、を有する、方法。
【請求項２０】
請求項18に記載の方法であって、前記TRP (102）と前記UE (101）との間の前記第2のリンクは、監視されるリンクである、方法。
【請求項２１】
請求項19または20に記載の方法であって、前記第1のBTPIは、前記第1のリンクのための1つまたは複数のチャネル状態基準信号であるCSI-RSコンフィギュレーションを有するメッセージで受信され、前記第2のBTPIは、前記第2のリンクのための1つまたは複数のCSI-RSコンフィギュレーションを有するメッセージで受信される、方法。
【請求項２２】
請求項17から20いずれか1項に記載の方法であって、 さらに、
前記UE (101）において、前記TRP (102）から、CSI-RSコンフィギュレーションと、前記第1のリンクに関連する前記第1のBTPIとを含むメッセージを受信すること、を有する、方法。
【請求項２３】
請求項21または22に記載の方法であって、 さらに、
前記第1のリンクのための好ましいCSI-RSコンフィギュレーションを決定することと、
前記UE (101）から前記TRP (102）に、前記第1のリンクのための前記好ましいCSI-RSコンフィギュレーションの識別情報を送信することと、を有する方法。
【請求項２４】
請求項21または22に記載の方法であって、 さらに、
前記第1のリンクのための前記1つまたは複数のCSI-RSコンフィギュレーションに少なくとも部分的に基づいて、前記第1のリンクのための前記1つまたは複数のUE (101）受信ビームパラメータのセットを決定することと、
前記第1のBTPIとともに、前記第1のリンクのための前記1つまたは複数のUE (101）受信ビームパラメータを前記UE (101）のメモリに格納することと、を有する、方法。
【請求項２５】
請求項17から24のいずれか1項に記載の方法であって、
前記第1のBTPIを受信することは、PDSCH送信をスケジューリングするための制御メッセージを受信することを有し、前記第1のBTPIは前記制御メッセージに含まれ、
前記方法は、前記制御メッセージを受信する前に、前記UE (101）をトリガして、1つまたは複数のRSリソースのセットに関する基準信号、RS、測定を実行するためのトリガメッセージを受信することをさらに有する、方法。
【請求項２６】
請求項25に記載の方法であって、前記トリガメッセージは、前記第1のBTPIを有する、方法。
【請求項２７】
請求項25に記載の方法であって、さらに、
前記トリガメッセージを受信した後であって、前記制御メッセージを受信する前に、前記BTPIを含むメッセージを受信することを有し、
前記BTPIは前記トリガメッセージに含まれない、方法。
【請求項２８】
送信ポイント、TRP (102）、と通信するユーザ装置、UE (101）、によって実行される方法であって、
前記TRP（102）によって送信された第1のメッセージを受信することであって、前記第1のメッセージは特定のインジケータを含む、ことと、
前記第1のメッセージを受信した後、前記TRP (102）から、前記UE (101）のためのPDSCH送信をスケジュールするための制御メッセージを受信することであって、前記特定のインジケータは前記制御メッセージに含まれる、ことと、
前記制御メッセージを受信した後、前記特定のインジケータを使用して、前記特定のインジケータに関連する空間フィルタリングコンフィギュレーションを決定することと、
前記空間フィルタリングコンフィギュレーションを決定した後、前記空間フィルタリングコンフィギュレーションを使用して、前記PDSCH送信を受信することと、を有する、方法。
【請求項２９】
送信ポイント、TRP (102）、と通信するためのユーザ装置、UE (101）、であって、前記UE (101）は、請求項17から28のいずれか1項に記載の方法を実行するように構成されている、ユーザ装置。
【請求項３０】
送信ポイント、TRP (102）、と通信するためのユーザ装置、UE (101）、であって、前記UE (101）は、少なくとも1つのプロセッサ（655）と、メモリ（642）とを有し、前記メモリは、前記少なくとも1つのプロセッサによって実行可能な命令を有し、それによって、前記UE (101）は、請求項17から27のいずれか１項に記載の方法を実行する、ユーザ装置。
【請求項３１】
送信ポイント、TRP (102）、と通信するためのユーザ装置、UE (101）、であって、前記UE (101）は、
前記UE (101）において、前記TRP (102）から、前記TRP (102）と前記UE (101）との間の第1のリンクに関連する第1のビーム追跡プロセスインデックス、BTPI、を受信するように構成された受信ユニットを有する、ユーザ装置。
【請求項３２】
請求項8から10のいずれか1項に記載の方法であって、
前記トリガメッセージは、前記RS測定を実行した後に、前記UE (101）が少なくとも1つの測定報告を送信することをトリガするための報告トリガメッセージである、方法。
【請求項３３】
請求項25から27のいずれか1項に記載の方法であって、
前記トリガメッセージは、前記RS測定を実行した後に、前記UE (101）が少なくとも1つの測定報告を送信することをトリガするための報告トリガメッセージである、方法。
【発明の詳細な説明】
【技術分野】
【０００１】
一つより多くの（すなわち複数の）送信ビームを使用するシステムにおけるビーム追跡プロセス管理のための実施形態が開示される。
【背景技術】
【０００２】
3GPP(Third Generation Partnership Project)は、次世代移動通信システム（5G移動通信システムまたは単に「5G」）の開発および設計に関する作業を開始した。5Gは、今日の4Gネットワークの発展と、「ニューレディオ」（NR）として知られる新しいグローバルに標準化された無線アクセス技術の追加とを包含する。
【０００３】
NRに対する多種多様な要件は、多くの異なる搬送波周波数において周波数帯域が必要とされることを意味する。例えば、十分なカバレージを達成するためには低い周波数帯域が必要であり、要求される容量を達成するためには、より高い周波数帯域（例えば、30GHz付近及び30GHzを超えるようなmmW）が必要である。高い周波数では、伝搬特性はより困難であり、基地局（例えば、eNBまたはgNB）での高次ビームフォーミングは、十分なリンクバジェットを達成するために必要とされる。例えば、高い伝搬損失を補償するために、より高い周波数では、ナロービームによる送信と受信の方式が必要とされることがある。所与の通信リンクについて、ビームは、送信ポイント(TRP) (すなわち、送信（TX）ビーム）で適用されることができ、ビームは、ユーザ装置(UE) (すなわち、受信（RX）ビーム）で適用されることができる。
【０００４】
NRは、ビーム中心設計を有し、これは、従来のセルコンセプトが緩和され、ユーザ装置（UE）（すなわち、固定またはモバイル無線通信デバイス）が、多くの場合、セルの代わりにナロービームに接続され、ナロービーム間で「ハンドオーバ」を実行することを意味する。したがって、3GPPは、ビーム間（送信ポイント（TRP）内および送信ポイント間の両方）のモビリティを処理するための概念を研究することに同意した。本明細書で使用されるように、TRPは、例えば、基地局または基地局の構成要素を含み得る。高利得ビームフォーミングが必要とされる、より高い周波数では、各ビームは、小さなエリア（すなわち、ビームのカバレージエリア）内でのみ有用である可能性が高く、カバレージエリア外のリンクバジェットは、急速に劣化する。したがって、高性能を維持するためには、頻繁かつ高速なビームスイッチング方法が必要である。
【発明の概要】
【０００５】
いくつかの実施形態は、どのCSI-RSコンフィギュレーション（設定）がどの特定のビーム追跡プロセス（およびリンク）に対応し、どのCSI-RSコンフィギュレーションがTRPおよび／またはネットワークによって使用されているかをUEが知ることを可能にする、チャネル状態情報基準信号（CSI-RS）コンフィギュレーションに含めることができるビーム追跡プロセスインデックスを含む。これは、例えば、UEが、それぞれのリンク（例えば、アクティブまたは監視されるリンク）ごとに使用するために必要なパラメータを自動的に格納することができるという利点を有する。
【０００６】
したがって、一態様では、TRPによって実行される第1の方法が提供される。一実施形態では、第1の方法は、TRPとUEとの間の第1のリンクに関連する第1のビーム追跡プロセスインデックス（BTPI）をTRPからUEに送信することを含む。いくつかの実施形態では、TRP (102）とUE (101）との間の第1のリンクは、アクティブリンクである。
【０００７】
いくつかの実施形態では、本方法は、TRPとUEとの間の第2のリンクに関連する第2のBTPIをTRPからUEに送信することをさらに含む。いくつかの実施形態では、TRPとUEとの間の第2のリンクは、監視されるリンクである。
【０００８】
いくつかの実施形態では、第1のBTPIを送信することは、第1のBTPIおよび1つまたは複数のチャネル状態基準信号（CSI-RS）コンフィギュレーションを含むメッセージを送信することを含む。いくつかの実施形態では、第2のBTPIを送信することは、第2のBTPIおよび1つまたは複数のCSI-RSコンフィギュレーションを備える第2のメッセージを送信することを含む。
【０００９】
いくつかの実施形態では、本方法は、TRPからUEに、CSI-RSコンフィギュレーションと、第1のリンクに関連付けられた第1のBTPIとを備えるメッセージを送信することをさらに含む。
【００１０】
いくつかの実施形態では、第1のBTPIをUEに送信することは、PDSCH送信をスケジューリングするための制御メッセージをUEに送信することを含み、第1のBTPIは、制御メッセージに含まれ、本方法は、制御メッセージをUEに送信する前に、UEに、基準信号RS、1つまたは複数のRSリソースのセットに関する測定を実行するようにUEをトリガするためのトリガメッセージを送信することをさらに含む。いくつかの実施形態では、トリガメッセージは、RS測定を実行した後に少なくとも1つの測定報告を送信するようにUEをトリガするための報告トリガメッセージである。
【００１１】
いくつかの実施形態では、方法は、トリガメッセージをUEに送信した後であって、制御メッセージをUEに送信する前に、BTPIを含むメッセージをUEに送信することをさらに含み、BTPIは、トリガメッセージに含まれない。
【００１２】
別の態様では、TRPによって実行される第2の方法が提供される。一実施形態では、第2の方法は、1つまたは複数のRSリソースのセットに関して基準信号（RS）測定を実行するようにUEをトリガすることを含む。RS測定を実行するようにUEをトリガすることは、測定インジケータMI（BTPIの別の名前であり、送信構成インジケータ（TCI）としても知られている）を含む情報をUEに送信することを含み、この情報は、RSリソースの設定が、空間的に準同一場所に配置されたQCLであることを、以前の測定からのRSリソースと共に示す。
【００１３】
別の態様では、TRPによって実行される第3の方法が提供される。一実施形態では、第3の方法は、1つまたは複数のRSリソースのセットに関してRS測定を実行するようにUEをトリガすることを含み、RS測定を実行するようにUEをトリガすることは、インジケータ（例えば、測定インジケータ（MI））を含む情報をUEに送信することを含み、i）インジケータは、RSリソースのセットを送信するためにTRPが使用する送信空間フィルタリング構成（ビームフォーミング重み、アンテナ重み、プリコーディング重み、プリコーディングベクトルなどのうちの1つまたは複数を含むことができる）に関連付けられるか、またはii）1つまたは複数の好ましいRSリソースを示すUEによって送信された報告に基づいて、TRPはインジケータを送信空間フィルタリング構成（ビームフォーミング重み、アンテナ重み、プリコーディング重み、プリコーディングベクトルなどのうちの1つまたは複数を含むことができる）に関連付ける。
【００１４】
別の態様では、TRPによって実行される第4の方法が提供される。一実施形態では、第4の方法は、送信空間フィルタリング構成（ビームフォーミング重み、アンテナ重み、プリコーディング重み、プリコーディングベクトルなどのうちの1つまたは複数を含むことができる）に関連する特定のインジケータを含む第1のメッセージをUEに送信することを含む。第1のメッセージをUEに送信した後、UEのためのPDSCH送信をスケジューリングするための制御メッセージをUEに送信し、送信空間フィルタリング構成に関連する特定のインジケータは、制御メッセージに含まれる。そして、制御メッセージを送信した後、特定のインジケータに関連する送信空間フィルタリング構成を使用してPDSCH送信を実行する。
【００１５】
いくつかの実施形態では、制御メッセージを送信することは、ダウンリンク制御情報、DCIを物理ダウンリンク制御チャネルPDCCH上で送信することを含み、DCIは、特定のインジケータを含む。
【００１６】
別の態様では、本明細書で説明するステップのうちの任意の1つまたは複数を実行するように構成されたTRPが提供される。
【００１７】
別の態様では、少なくとも1つのプロセッサと、少なくとも1つのプロセッサによって実行可能な命令を備えるメモリとを含むTRPが提供され、TRPは、本明細書で説明されるステップのうちの任意の1つまたは複数を実行するように構成される。
【００１８】
別の態様では、TRPとUEとの間の第1のリンクに関連付けられた第1のビーム追跡プロセスインデックスBTPIをTRPからUEに送信するように構成された送信ユニットを含むTRPが提供される。
【００１９】
別の態様では、TRPと通信するUEによって実行される第1の方法が提供される。第1の方法は、TRPからUEにおいて、TRPとUEとの間の第1のリンクに関連する第1のビーム追跡プロセスインデックスBTPIを受信することを含む。
【００２０】
いくつかの実施形態では、TRPとUEとの間の第1のリンクは、アクティブリンクである。
【００２１】
いくつかの実施形態では、本方法は、TRPからUEにおいて、TRPとUEとの間の第2のリンクに関連する第2のBTPIを受信することをさらに含む。
【００２２】
いくつかの実施形態では、TRPとUEとの間の第2のリンクは、監視されるリンクである。
【００２３】
いくつかの実施形態では、第1のBTPIは、1つまたは複数のチャネル状態基準信号、CSI-RSを有するメッセージで受信され、第1のリンクの構成および第2のBTPIは、第2のリンクの1つまたは複数のCSI-RSコンフィギュレーションを有するメッセージで受信される。
【００２４】
いくつかの実施形態では、本方法は、UEにおいて、TRPから、CSI-RSコンフィギュレーションと、第1のリンクに関連付けられた第1のBTPIとを備えるメッセージを受信することをさらに含む。
【００２５】
いくつかの実施形態では、本方法は、第1のリンクのための好ましいCSI-RSコンフィギュレーションを決定することと、UEからTRPに、第1のリンクのための好ましいCSI-RSコンフィギュレーションの識別を送信することとをさらに含む。
【００２６】
いくつかの実施形態では、本方法は、第1のリンクのための1つまたは複数のCSI-RSコンフィギュレーションに少なくとも部分的に基づいて、第1のリンクのための1つまたは複数のUE受信ビームパラメータのセットを決定することと、第1のBTPIとともに、第1のリンクのための1つまたは複数のUE受信ビームパラメータをUEのメモリに格納することとをさらに含む。
【００２７】
いくつかの実施形態では、第1のBTPIを受信することは、PDSCH送信をスケジューリングするための制御メッセージを受信することを含み、第1のBTPIは、制御メッセージに含まれる。いくつかの実施形態では、本方法は、制御メッセージを受信する前に、1つまたは複数のRSリソースのセットに関して基準信号RS測定を実行するようにUEをトリガするためのトリガメッセージを受信することをさらに含む。いくつかの実施形態では、トリガメッセージは、RS測定を実行した後に少なくとも1つの測定報告を送信するようにUEをトリガするための報告トリガメッセージである。
【００２８】
いくつかの実施形態では、トリガメッセージは、第1のBTPIを含む。
【００２９】
いくつかの実施形態では、本方法は、トリガメッセージを受信した後であって、制御メッセージを受信する前に、BTPIを含むメッセージを受信することをさらに含み、BTPIは、トリガメッセージに含まれない。
【００３０】
別の態様では、TRPと通信するUEによって実行される第2の方法が提供される。第2の方法は、TRPによって送信された第1のメッセージを受信することを含み、第1のメッセージは、特定のインジケータを含む。第1のメッセージを受信した後、UEのためのPDSCH送信をスケジューリングするための制御メッセージをTRPから受信し、特定のインジケータが制御メッセージに含まれる。制御メッセージを受信した後、特定のインジケータを使用して、特定のインジケータに関連する空間フィルタリング構成を決定する。そして、空間フィルタ処理リング構成を決定した後、空間フィルタ処理リング構成を使用してPDSCH送信を受信する。
【００３１】
別の態様では、本明細書で説明されるステップのうちの任意の1つまたは複数を実行するように構成されるUEが提供される。
【００３２】
別の態様では、少なくとも1つのプロセッサと、少なくとも1つのプロセッサによって実行可能な命令を備えるメモリとを含むIEが提供され、UEは、本明細書で説明されるステップのうちの任意の1つまたは複数を実行するように構成される。
【００３３】
別の態様では、TRPとUEとの間の第1のリンクに関連付けられた第1のビーム追跡プロセスインデックスBTPIをTRPからUEで受信するように構成された受信ユニットを含むUEが提供される。
【００３４】
別の態様では、TRPによって実行される方法が提供される。一実施形態では、この方法は、TRPとUEとの間のアクティブリンクに関連する第1のビーム追跡プロセスインデックス（BTPI）をTRPからUEに送信することを含む。この方法は、TRPとUEとの間の監視されるリンクに関連する第2のBTPIをTRPからUEに送信することをさらに含む。いくつかの態様では、本方法は、TRPからUEに、CSI-RSコンフィギュレーションを備えるメッセージと、アクティブリンクに関連する第1のBTPIとを送信することと、CSI-RSコンフィギュレーションと、監視されるリンクに関連する第2のBTPIとを備える第2のメッセージを送信することとをさらに含む。この方法はまた、UEから、アクティブリンクのための送信ビームの第1の識別情報を受信することを含むことができ、第1の識別情報は、第1のBTPIに関連付けられる。この方法はまた、UEから、監視されるリンクのための送信ビームの第2の識別情報を受信することを含むことができ、第2の識別情報は、第2のBTPIに関連付けられる。いくつかの実施形態では、識別情報は、特定のリンクのための好ましいビームの識別情報であってもよい。識別された送信ビームは、制御情報およびデータのうちの1つまたは複数をUEに送信するために使用され得る。
【００３５】
いくつかの実施形態によれば、報告要求はまた、UEに送信されてもよく、報告要求は、第3のビームインデックスを備える。いくつかの態様では、このインデックスは、UEがTRPとUEとの間のリンクに関連するビームを変更すべきではないことを示すインジケータ（たとえば、フラグ）を備えることができる。
【００３６】
別の態様では、UEによって実行される方法が提供される。一実施形態では、この方法は、TRPからUEにおいて、TRPとUEとの間のアクティブリンクに関連する第1のビーム追跡プロセスインデックスと、TRPとUEとの間の監視されるリンクに関連する第2のBTPIとを受信することを含む。いくつかの実施形態では、第1のBTPIは、アクティブリンクのための1つまたは複数のCSI-RSコンフィギュレーションを有するメッセージで受信され、第2のBTPIは、監視されるリンクのための1つまたは複数のCSI-RSコンフィギュレーションを有するメッセージで受信される。次いで、UEは、アクティブリンクのための1つまたは複数のCSI-RSコンフィギュレーションに少なくとも部分的に基づいて、アクティブリンクのための好ましい送信ビームを決定することができる。同様に、監視されるリンクのための1つまたは複数のCSI-RSコンフィギュレーションに少なくとも部分的に基づいて、監視されるリンクのための好ましい送信ビームが決定され得る。この方法は、さらに、TRPに、アクティブおよび監視されるリンクのための好ましい送信ビームの識別を送信することを含む。ある態様によれば、UEはまた、アクティブリンクのための1つまたは複数のCSI-RSコンフィギュレーションに少なくとも部分的に基づいて、アクティブリンクのための1つまたは複数のUE受信ビームパラメータの設定を決定すること、ならびに、監視されるリンクのための1つまたは複数のCSI-RSコンフィギュレーションに少なくとも部分的に基づいて、監視されるリンクのための1つまたは複数のUE受信ビームパラメータのセットを決定することもする。受信ビームパラメータは、それぞれのBTPIと共にUEのメモリに格納されてもよい。この方法はまた、TRPから、アクティブおよび／または監視されるリンクの好ましい送信ビームに関する制御情報およびデータのうちの1つまたは複数を受信するために、格納された受信ビームパラメータにアクセスすることを含むことができる。
【００３７】
いくつかの実施形態によれば、UEは、TRPから、アクティブリンクおよび第1のBTPIのためのビーム追跡プロセスに関連する第1および第2の送信ビームを受信し、ここで、第1の送信ビームは、知られている最良の送信ビームである。次いで、UEは、（例えば、第1のBTPIを使用して）メモリから、第1の送信ビームに関連する第1のビーム品質値を取得することができる。次いで、UEは、第2の送信ビームのための第2のビーム品質値を決定し、第1のビーム品質値と第2のビーム品質値とを比較することができる。その結果に基づいて、UEは、次いで、1つまたは複数の格納されたUE受信ビームパラメータを更新することができる。
【００３８】
いくつかの実施形態では、UEは、第3のビームインデックスを受信し、第3のビームインデックスは、UEが、TRPとUEとの間のアクティブリンクまたは監視リンクのいずれかに関連するビームを変更すべきではないことを示すインジケータ（たとえば、フラグ）を備える。UEは、いくつかの態様によれば、その後、受信されたメッセージに少なくとも部分的に基づいてチャネルテストを実行し、チャネルテストの結果をTRPに報告し、アクティブリンクまたは監視されるリンクのいずれかに対するUE受信ビームパラメータを更新することなく、チャネルテストを実行する。
【００３９】
いくつかの実施形態によれば、前述の方法を実行するTRPおよびUEも提供される。
【図面の簡単な説明】
【００４０】
本明細書に組み込まれ、本明細書の一部を形成する添付の図面は、様々な実施形態を示す。
【図１Ａ】図1A、1B、および1Cは、TRPとUEとの間の通信のためのアクティブおよび監視されるTXビームの使用を示す。
【図１Ｂ】図1A、1B、および1Cは、TRPとUEとの間の通信のためのアクティブおよび監視されるTXビームの使用を示す。
【図１Ｃ】図1A、1B、および1Cは、TRPとUEとの間の通信のためのアクティブおよび監視されるTXビームの使用を示す。
【図２】図2は、いくつかの実施形態による処理を示す信号図である。
【図３】図3は、いくつかの実施形態による処理を示す信号図である。
【図４】図4は、いくつかの実施形態によるプロセスを示すフローチャートである。
【図５Ａ】図5Aおよび図5Bは、いくつかの実施形態によるプロセスを示すフローチャートである。
【図５Ｂ】図5Aおよび図5Bは、いくつかの実施形態によるプロセスを示すフローチャートである。
【図６】図6は、いくつかの実施形態によるUEのブロック図である。
【図７】図7は、いくつかの実施形態によるTRPのブロック図である。
【図８】図8は、構成フレームワークのセットアップ例を示す。
【図９】図9は、いくつかの実施形態による例示的なメッセージフロー図である。
【発明を実施するための形態】
【００４１】
あるビームのチャネル品質の測定を実行するために、ビーム形成された基準信号を使用することができる。ビームフォーミングは、例えば、アンテナアレイの複数のアンテナ素子から、アンテナ素子の各々について信号に適用される振幅および／または位相シフトで、同じ信号を送信することを含み得る。これらの振幅／位相シフトは、一般に、アンテナ重み付けとして表され、各アンテナに対するアンテナ重み付けの集合は、プリコーディングベクトルである。異なるプリコーディングベクトルは、送信信号のビームフォーミングを生じさせ、重み付けは、信号がアンテナアレイから見てある角度方向にコヒーレントに結合するように制御することができ、この場合、ビームがその「方向」に形成されることがある。アレイのアンテナが2次元に（すなわち、平面に）配置される場合、ビームは、アンテナアレイに垂直な平面に対して方位角方向および仰角方向の両方にステアリングすることができる。
【００４２】
本明細書ではビームという用語を使用するが、チャネルに整合し、厳密な意味ではビームを与えない送信を与える他のプリコーディングベクトルがある。例えば、チャネルがTRPで知られている場合、プリコーディング重みは、特定の方向に最大アレイ利得を与えるようにビームを形成する代わりに、信号強度がUEで最大化されるように制御することができる。整合チャネルプリコーディングは、受信機における信号電力を最大化するために最適であり得るが、正確なチャネル情報を必要とし得る。しかし、ラインオブサイト（見通し線）チャネルでは、ビームの使用は、最適に近いことが多い。ビームに関して説明したが、本明細書の開示は、一般性を失うことなく提示される。
【００４３】
NRでは、ビーム基準信号（BRS）またはチャネル状態情報基準信号（CSI-RS）が、ビーム管理のための基準信号として使用されることが提案される。本明細書で使用されるように、CSI-RSは、一般性を失うことなく、ビーム管理のために使用されるRSを指すことができる。ネットワーク（NW）、NR基地局（gNB）、または別のノードは、例えば、無線リソース制御（RRC）メッセージなどの制御メッセージによって、CSI-RSコンフィギュレーションでUEを構成することができる。各コンフィギュレーションは、1つまたは複数のCSI-RSリソースを含むことができる。次いで、1つまたは複数のUEは、これらのCSI-RSリソース上で測定を実行し、その結果をネットワークに報告して戻すことができる。
【００４４】
例として、各CSI-RSリソースは、異なるTRP送信（TX）ビームで送信され得る。各異なるTRP TXビームは、TRPアンテナアレイから見て異なる方向にビームを形成するために、異なるマルチアンテナプリコーディング重みを有することができる。この例では、UEは、異なるTRP TXビームに対応する構成されたCSI-RSリソースを使用して（基準信号受信電力（RSRP）などの）チャネル品質測定を実行するように構成されることができ、これらの測定値をNWに報告するようにさらに構成されることができる。このようにして、測定レポートを使用することによって、NWが、所与のUEのための好ましいTRP TXビームを見つけることが可能である。
第2の例では、各CSI-RSリソースは、同じTRP TXビームで送信され得る。このようにして、UEは、使用されるTRP TXビームについて異なるUE RXビームを評価し、特定のTRP TXビームについて好ましいUE受信（RX）ビームを見つけることができる。UE RXビームは、例えば、UE受信機アンテナ／アレイパラメータのセットとして理解され得る。例えば、異なるOFDMシンボルにおける、同じビームにおけるCSI-RSリソースの繰り返し送信は、UEがOFDMシンボル間でRXビームを切り替え、リンク品質を評価することができるので、例えば、アナログ受信ビームフォーミングがUEで適用される場合に有用である。いくつかの実施形態によれば、CSI-RS送信は、非周期的（例えば、イベントトリガ）であるか、または半永続的／周期的な方法で送信され得る。CSI-RS送信が半永続的／周期的な方法で送信される場合にも、測定レポートは、半永続的／周期的な方法で構成されることができる。
【００４５】
上述の手順を使用して、UEは、好ましいTRP TXビームを見つけることができ、そのビームに対して好ましいUE RXビームを見つけることができる。このTX／RXビーム対は、ビーム対リンク（BPL）と呼ばれることがある。しかしながら、UEをナロービームに接続することに伴う1つの問題は、例えば、障害物がリンクの途中に入り、それをブロックする場合に、BPLが容易に劣化する可能性があることである。しばしば高い通過損失および高い周波数での不十分な回折特性のために、遮蔽障害物は、TRPとUEとの間の接続の損失（いわゆるビームリンク障害（BLF）またはBPL障害（BPLF））につながる可能性があり、これは、呼のドロップおよびユーザ体験の低下につながる可能性がある。
【００４６】
ビームリンク障害の問題を軽減する1つの方法は、第1のアクティブなTXビームがBLFを経験する（例えば、ブロックされる）場合に使用することができる、第2の監視される（別名、バックアップ）送信ビームを使用することである。したがって、少なくとも2つのTXビームが、UEと接続するために使用され得る。この例を図１Ａ、１Ｂおよび１Ｃに示す。図1Aには、UE 101が制御情報およびユーザデータをUE 101に送信するために1つのアクティブなTXビーム181を使用し、さらにUE 101のために1つの監視される（バックアップ) TXビーム182を使用するTRP 102（例えば、基地局）が示されている。図1Bには、アクティブなTXビームをブロック（阻止）し、それによってUE 101にアクティブなTXビームに対するBLFを検出させる物体199が示されている。TRP 102とUE 101との間の接続を復元するために、TRP 102は、図1Cに示すように、監視されるTXビームをUE 101のアクティブTXビームとして使用することができる。ある態様によれば、監視されるリンクの目的は、したがって、（1）アクティブ・リンクよりも良好であり得る新しいリンクを発見すること、および（2）アクティブ・リンクが切断された場合にバックアップ・リンクを提供することである。
【００４７】
図1Aの例では、各TRP TXビームに関連する1つのUE RXビームがあり（すなわち、UE RXビーム191はTXビーム181に関連し、UE RXビーム192はTXビーム182に関連する）、これは、アナログまたはハイブリッド受信ビームフォーミングがUE 101で使用される場合にしばしば当てはまる。UE 101が純粋なアナログ受信ビームフォーミングを使用する場合、UE 101は、例えば、OFDMシンボル毎に、その受信ビームを一度に1つのTRP送信ビームに同調させることができるだけである。同様に、TRP 102がアナログ送信ビームフォーミングを使用する場合、一度に、例えば、OFDMシンボルごとに、1つのビームのみが送信され得る。したがって、所与の時間に送信ビームを正しい受信ビームと整列させる必要がある。TRP 102のTXビームのそれぞれについて、所与の時点で、可能なUE RXビームのセットの中に、それに関連する「最適な」UE RXビーム（すなわち、パラメータ）が存在する。
【００４８】
ネットワークが、CSI-RSコンフィギュレーションを使用してビーム追跡プロセスのためのビームスイープ（掃引）手順を設定する場合、UE 101は、CSI-RSコンフィギュレーションがどのビーム追跡プロセスに属するかを知らないことがある。したがって、UE 101が、好ましいUE-RXビームをビーム追跡プロセス（またはリンク）に関連付けることは不可能である。したがって、TRP 102があるリンクを使用してデータを送信する場合、UE 101は、どのUE RXビームを使用するかを知らない。したがって、実施形態は、どのCSI-RSコンフィギュレーションがどのビーム追跡プロセス（およびリンク）に対応するかをUE 101が知ることを可能にする、CSI-RSコンフィギュレーションに含めることができるビーム追跡プロセスインデックスを含む。また、CSI-RSコンフィギュレーションおよび／または報告要求メッセージがいかなるビーム追跡プロセスにも関連しないことを示す追加のフラグを、例えばCSI-RSコンフィギュレーションまたは報告要求メッセージに含めることができる。これは、例えば、UE 101が、各リンク（アクティブまたは監視される）に対してどのUE RXビームを使用すべきかを自動的に記憶することができるという利点を有する。これは、必要とされるオーバーヘッド信号の量を低減し、したがって、TRP 102とUEとの間の性能を改善する。いくつかの態様では、フラグは、BTPIの特定の値である。
【００４９】
各リンク（アクティブまたは監視される）について適切なTRPおよびUEビームを見つけて維持する1つの方法は、リンクごとに別個のビーム追跡プロセスを設定することである。ビーム追跡プロセスは、NWにおいて定義され、異なるビームにおける基準信号（例えば、CSI-RS、BRS、または同様のもの）の送信に関連付けられることができ、異なるビームは、測定され、UE 101から報告される。したがって、各ビーム追跡プロセスは、処理に関連する測定値を使用して更新することができる。測定の目的は、しばしばビーム対リンク（BPL）と呼ばれるTRP 102のTXビームおよびUEのRXビームを更新し、洗練することである。本明細書の開示は、ダウンリンクに関して提供されるが、BPLは、特に、UE 101 RXビームおよびUE TXビームが良好に較正され（同じビーム方向）、TRP TXビームおよびTRP RXビームについて同じである場合に、アップリンク送信にも使用することができる。すなわち、本明細書で開示されるプロセスは、アップリンク通信のために使用されるビームを識別し、管理するために使用することができる。
【００５０】
TRP 102とUE 101との間のビーム管理関連の制御シグナリングを最小限に抑えるために、いくつかの態様は、TRP TXビームの選択がUE 101に対してトランスペアレントであり得ること、およびUE RXビームの選択がNWに対してトランスペアレントであり得ることを提供する。すなわち、プリコーダ重みの正確な詳細は知られておらず、またはリンクの送信機側で使用されるビーム送信の方向の角度などは、リンクの受信側では知られていない。代わりに、特定のCSI-RS送信の暗黙的または明示的なアイデンティティ（このアイデンティティは、TXビームと同等である）を使用することができ、次いで、NWおよびUE側は、ビーム追跡プロセスにおいてこのアイデンティティを参照することができる。
【００５１】
所与のビーム追跡プロセスのためのデータ送信のための1つの解決策では、TRP 102が制御メッセージ内で明示的に信号を送信しない限り、UE 101は、使用されるTRP TXビームが、ビーム追跡プロセスに対応するTRP 102 TXビームであると仮定する。これを可能にするために、UE 101は、以前のCSI-RSコンフィギュレーション測定から報告されたように、アクティブリンクのための最良のTRP TXビームに関連付けられた好ましいUE RXビームを関連付けて保存する。このプロセスを示すシグナリング図を図2に示す。この手順は、第1のビームプロセス、例えばアクティブBPLに適用することができる。監視されるリンクなどの第2のプロセス、すなわちBPLが導入される場合、UE 101は、第2のリンクのための適切なUE RXビームも見つけなければならない。これは、効率的な管理を伴い、追加のシグナリングオーバーヘッドを導入することなく、NWおよびUE 101側からの複数のリンクをどのように区別するかに関する問題を導入し得る。監視リンクの場合、UE 101は、その監視リンクのためのビーム追跡プロセスに関連する最良のTRP TXビームに対応する最良のUE RXビームを覚えていなければならず、これは、アクティブリンクのUE 101 RXとは異なることがある。これは、TRP 102が現在のアクティブリンクから監視リンクに切り替えることを決定した場合に重要であり、UE 101は、リンク切り替え後にどのUE RXビームを使用するかを知らなければならず、そうでない場合には、受信性能が悪くなる。
【００５２】
したがって、いくつかの実施形態によれば、ビーム追跡プロセスおよび／またはCSI-RS測定に関連する識別子が導入される。さらに、UE 101は、各識別子について、好ましいUE RXビームを格納することができる。いくつかの実施形態によれば、UE 101は、関連するリンク品質（RSRPまたはCQIなど）、すなわち、好ましいCSI-RSリソース（すなわち、TRP TXビーム）およびUE RXビームが使用されるとき、をさらに格納することができる。関連付けられた識別子を有する測定値は、例えば、1つまたは複数のビームの非周期的にトリガされるCSI-RSリソース送信であってもよい。あるいは、1つまたは複数のビームのCSI-RSリソース送信は、事前に設定され、周期的に送信されてもよく、識別子を含む測定およびトリガは、非周期的にトリガされる。
【００５３】
ある態様によれば、測定値は、それが属するビーム追跡プロセス（またはビーム対リンクまたはTRP TXビーム）を識別する識別子でタグ付けされる。これにより、UE 101は、現在実行されているコンフィギュレーションおよび／または測定レポートが（アクティブまたは監視されるなどの）複数のビームペアリンクのうちのどれに関連するか、および現在の測定に基づいて、格納されているUE RXビームのうちのどれを変更または更新すべきかに関する情報を有することが可能になる。一実施形態では、ネットワーク／TRPおよびUEは、ビーム追跡プロセスを各ビームペアリンクに関連付け、各ビーム追跡プロセスにビーム追跡プロセスインデックス（BTPI）を与える。このBTPIは、例えば、タグ／識別子である。ネットワーク／TRPがCSI-RSコンフィギュレーションをセットアップするか、またはすでに構成されたCSI-RSコンフィギュレーションについての報告をトリガするときはいつでも、BTPIは、ネットワーク／TRPからUE 101へのメッセージに含めることができる。いくつかの実施形態によれば、BTPIは、CSI-RSなどの1つまたは複数のメッセージに値として含まれてもよく、または新しいメッセージを介してUE 101に別々にシグナリングされてもよい。このようにして、UE 101は、CSI-RS測定コンフィギュレーションがどのビーム追跡プロセス（または、同等に、ビームペアリンク）に属するかを知る。ある態様によれば、リンクの数は、UE 101にBTPIをシグナリングするために数ビットしか必要とされないようなサイズであってもよい。
【００５４】
これらの手順は、UE 101が、それぞれのTRP TXビーム／ビームペアリンク／ビーム追跡プロセスのための好ましいUE RXビームの情報を格納することを可能にし、これは、必要とされるオーバーヘッド信号の量を低減する。好ましいUE RXビームの受信パラメータは、ネットワーク／TRPからの制御およびデータ情報の後続のアクセスおよび受信のために、BTPIと共に格納されてもよい。さらに、UE 101は、リンク品質を記憶することもできるので、UE 101は、あるBTPIでタグ付けされたCSI-RSリソースを測定するときに、より良いRXビームを見つけるために比較結果を実行することができる。好ましいビームは、BTPIが制御メッセージでシグナリングされるとき、例えばPDSCHメッセージをスケジューリングするとき、将来使用されるように更新されてもよい。
【００５５】
図3は、いくつかの実施形態を示すシグナリング図である。この例では、ネットワーク／TRPは、2つの異なるリンク（1つはアクティブであり、1つはモニタ（監視）される）をセットアップし、各リンクをビーム追跡プロセスインデックスに関連付ける。
【００５６】
図3の例に示すように、ネットワークおよび／またはTRPは、UEにシグナリングされるアクティブリンクおよび関連するBTPIを定義することができる。同様に、監視されるリンクおよび関連するBTPIが定義され、UE 101にシグナリングされる。次いで、ネットワークおよび／またはTRPは、アクティブリンクのための1つまたは複数のCSI-RSコンフィギュレーションをさらに定義することができ、アクティブリンクのための1つまたは複数のCSI-RSコンフィギュレーションは、そのリンクのためのBTPIを含む。次いで、これをUE 101に送信することができる。次いで、UE 101は、CSI-RSを使用して、リンクのための最良の（好ましい）送信ビームを評価し、好ましいリンクをネットワーク／TRPに報告し、対応するUE受信ビームおよび関連するBTPIをそのメモリに保存することができる。同様に、次いで、ネットワークおよび／またはTRPは、監視されるリンクのための1つまたは複数のCSI-RSコンフィギュレーションをさらに定義することができ、そのリンクのためのBTPIを含む。次いで、これをUE 101に送信することができる。次いで、UE 101は、CSI-RSを使用して、監視されるリンクのための最良の（好ましい）送信ビームを評価し、好ましいリンクをネットワーク／TRPに報告し、対応するUE受信ビームおよび関連するBTPIをそのメモリに保存することができる。この信号に基づいて、（1）ネットワーク／TRPは、好ましいアクティブなリンクビームおよび監視されるリンクビームを通知され、（2）UE 101は、各リンクについて最適なUE RXビームを格納し（その後、データを受信するためにアクセスすることができ）、（3）BTPIを使用して、生成された情報を管理および制御することができる。例えば、図3の例では、TRP 102は、UE 101からシグナリングされた最良の（好ましい) TRP送信ビームを使用して、アクティブリンクの好ましいビーム上でUE 101に制御信号およびデータ信号を送信する。次いで、UE 101は、適切なUE RXビーム（例えば、BTPIを使用してアクセスされる）を使用して、TRP 102から信号を受信することができる。TRP 102が被監視リンクへの送信を切り替えると、UE 101は、信号を受信するために、（例えば、被監視リンクのBTPIを使用して）適切なUE RXビームにアクセスすることができる。これは、追加のシグナリングを必要とせずに行うことができる。
【００５７】
ある態様によれば、ネットワーク／TRPは、アクティブリンクまたは監視リンクのいずれかに関連する現在のビームを変更することなく、候補TRP TXビームを評価することを望むことができる。一実施形態では、BTPI内の追加のフラグ（またはビット）または状態が含まれ、CSI-RSコンフィギュレーション、レポートのトリガ、または他のメッセージとともにUE 101にシグナリングされる。例えば、フラグは、それがアクティブまたは監視されるリンクに関連する場合には「1」とすることができ、それがいずれのリンクにも関連しない場合には「0」とすることができる。このようにして、BTPIの意味は、UE 101の動作をさらに制御するように拡張される。すなわち、BTPIは、ネットワーク／TRPを使用して、既存のリンクを中断することなく、所与のビーム追跡プロセスに関連するレポートを取得することができる。
【００５８】
ある態様によれば、ネットワーク／TRPは、所与のビーム追跡プロセス（すなわち、所与のBTPI）のために測定されるべき少なくとも2つの異なるビームのセットを送信する。いくつかの実施形態では、送信は、所与の追跡プロセスのための最良の既知のTRP TXビームをセットに含む。このようにして、上述の手順と共に、任意の新しいビームの品質が、以前に知られている最良のビームと比較されることを保証することができる。この手順が使用されない場合、UE 101は、以前に知られている最良のTRP TXビームよりも悪い別のビームのために好ましいビームを変更するか、またはUE 101のRXビームをパラメータの非最適セットに変更してしまうリスクがある。いくつかの態様では、UE 101は、最良のビームに関する情報を格納し、比較のためにこの情報にアクセスすることができる。ネットワーク／TRPは、UE 101が以前に報告された最良のリンク（最良のリンク品質BLQ）の品質測定値（例えば、RSRP）を保存するUE 101のための最良の既知のTRP TXビームを必ずしも含む必要はない。いくつかの実施形態では、UE 101は、所与のBPTIタグについて測定された各リンクの品質（CSI-RSリソースおよびUE RXビーム組合せ）をBLQと比較し、現在の最良のリンク品質がBLQよりも良好（例えば、より高いRSRP）である場合にのみ、UE 101 RXビームを更新する。さらに、BLQは、タイマに関連付けられてもよく、その結果、ある所定のまたはより高いレイヤ構成時間の後に、BLQが消去され、代わりに、より最近に測定されたBLQ値が使用される。
【００５９】
ここで図4を参照すると、図4は、いくつかの実施形態による、UEと通信するTRPによって実行されるプロセス400を示すフローチャートである。ある態様によれば、TPRとUEとの間の通信は、例えば、NR無線アクセス技術に従って、エアインターフェースを介した無線である。
【００６０】
プロセス400は、TRP 102が、TRP 102とUE 101との間のアクティブリンクに関連する第1のビーム追跡プロセスインデックス（BTPI）をUE 101に送信するステップ402から開始することができる。特定の態様によれば、BTPIは、アクティブプロセスまたは監視プロセスなどの特定のビーム追跡プロセスを識別するために使用される。いくつかの実施形態では、BTPIは、マルチビット識別子である。BTIPは、例えば、第1のビーム追跡プロセスのための値と、第2のビーム追跡プロセスのための第2の値とを有することができる。さらに、BTPIは、特定の送信または動作（例えば、測定）が、任意の特定のビーム追跡プロセスに関連付けられていないことを示す第3の値を含むことができる。したがって、BTPIは、「フラグ」として理解することができ、および／またはフラグとして働く1つまたは複数のビットを含むことができる。ステップ404において、TRP 102は、TRP 102とUE 101との間の監視されるリンクに関連する第2のビーム追跡プロセスインデックスをUE 101に送信する。アクティブリンクは、例えば、制御データ、シグナリング情報、および／またはペイロードデータを含む、データを送信するために使用される、TRP 102の送信ビームおよびUE 101の受信ビームを指し得る。監視されるリンクは、例えば、必要に応じて、TRP 102の送信ビーム、および通信のためのバックアップおよび／またはオプションのリンクとして使用されるUE 101の受信ビームを指すことができる。
【００６１】
ステップ406において、TRP 102は、CSI-RSコンフィギュレーションと、アクティブリンクなどの特定のリンクに関連する第1のBTPIとを含むメッセージをUE 101に送信する。ステップ408において、TRP 102は、CSI-RSコンフィギュレーションと、監視されるリンクなどの異なるリンクに関連する第2のBTPIとを含むメッセージをUE 101に送信する。いくつかの態様によれば、ステップ406および408で使用される基準信号は、同じであってもよく、あるいは、特定のリンクに従って調整されてもよい。さらに、特定の代替実施形態によれば、BTPIの初期送信（ステップ402および404）は、1つまたは複数のCSI-RSコンフィギュレーションの送信を含むことができ、したがって、ステップ406および408を繰り返す必要はない。
【００６２】
ステップ410において、TRP 102は、UE 101から、アクティブリンクのための送信ビームの第1の識別情報を受信する。いくつかの実施形態によれば、第1の識別情報は、第1のBTPIに関連付けられる。TRP 102はさらに、UE 101から、監視されるリンクのための送信ビームの第2の識別情報を受信する。いくつかの実施形態によれば、第2の識別情報は、第2のBTPIに関連付けられる。第1および第2のビームは、例えば、UE 101によって識別される好ましいビームである。UE 101は、例えば、受信信号品質測定値に基づいて、好ましいビームを識別することができる。このようにして、BTPIを使用して、特定のビーム追跡プロセスに関連する好ましいビームを追跡し、識別し、追加のシグナリングを必要とせずに最良のリンクを利用することができる。
【００６３】
ステップ412において、TRP 102は、第1および第2の識別された送信ビームのうちの少なくとも1つを使用して、制御情報およびデータのうちの1つまたは複数をUE 101に送信する。いくつかの実施形態によれば、TRP 102は、最初に、第1の識別された送信ビームを使用してアクティブリンク上でUE 101に送信することができ、例えば、リンクに中断がある場合、続いて、第2の識別された送信ビームを使用して監視されるリンク上で送信することができる。
【００６４】
ステップ414において、TRP 102は、報告要求をUE 101に送信し、報告要求は、第3のビームインデックスを含む。いくつかの実施形態によれば、第3のビームインデックスは、UE 101がTRP 102とUE 101との間のリンクに関連するビームを変更すべきではないことを示すインジケータを備える。インジケータは、特定の実施形態によれば、例えば、単一ビットまたは「フラグ」であってもよい。いくつかの実施形態によれば、インジケータは、第1のBTPIまたは第2のBTPIのうちの1つまたは複数とともに送信され得る。
【００６５】
いくつかの実施形態によれば、第1のBTPIは、少なくとも2つの異なる送信ビームの使用を含むビーム追跡プロセスに関連付けられる。したがって、TRP 102は、ビームを送信することができ、ある態様によれば、2つの異なる送信ビームのうちの少なくとも1つは、特定の追跡プロセスのための最良の既知の送信ビームである。いくつかの態様では、少なくとも2つの異なる送信ビームは、同じBTPI値に関連付けられる。TRP 102は、UE 101があらゆる新しいビームを以前に知られていた最良のビームと完全に比較できるように、UE 101によって評価されるべき他のビームと共に、既知の最良の送信ビームを送信することができる。
【００６６】
ここで図5Aおよび5Bを参照する。これらの図は、いくつかの実施形態によれば、UE 101によって実行される1つまたは複数の処理500を示すフローチャートである。
【００６７】
処理500は、ユーザ装置（UE）が送信ポイント（TRP）から、TRP 102とUE 101との間のアクティブリンクに関連する第1のビーム追跡プロセスインデックス（BTPI）を受信するステップ502から開始することができる。ステップ504において、UE 101は、TRP 102から、TRP 102とUE 101との間の監視されるリンクに関連する第2のBTPIを受信する。図4に関して説明したように、アクティブリンクは、例えば、制御データ、シグナリング情報、および／またはペイロードデータを含む、データを送信するために使用されるTRP 102の送信ビームおよびUE 101の受信ビームを指すことができる。監視されるリンクは、例えば、必要に応じて、TRP 102の送信ビーム、および通信のためのバックアップおよび／またはオプションのリンクとして使用されるUE 101の受信ビームを指すことができる。
【００６８】
ステップ506において、UE 101は、TRP 102から、CSI-RSコンフィギュレーションと、アクティブリンクに関連する第1のBTPIとを含むメッセージを受信し、TRP 102から、UE 101において、CSI-RSコンフィギュレーションと、監視されるリンクに関連する第2のBTPIとを含むメッセージを受信する。特定の代替実施形態によれば、TRP 102からのBTPIの初期送信（ステップ502および504）は、1つまたは複数のCSI-RSコンフィギュレーションの送信を含むことができ、したがって、ステップ506を繰り返す必要はないことがある。
【００６９】
ステップ508において、UE 101は、アクティブリンクのためのCSI-RSコンフィギュレーションのうちの1つまたは複数に少なくとも部分的に基づいて、アクティブリンクのための好ましい送信ビームを決定する。次いで、UE 101は、アクティブリンクのための好ましい送信ビームの識別情報を送信することができる。ステップ510において、UE 101は、監視されるリンクのための1つまたは複数のCSI-RSコンフィギュレーションに少なくとも部分的に基づいて、監視されるリンクのための好ましい送信ビームを決定する。次いで、UE 101は、監視されるリンクのための好ましい送信ビームの識別情報を送信することができる。特定の実施形態によれば、アクティブおよび／または監視されるリンクのための好ましい送信ビームは、BTPIを使用して識別され得る。
【００７０】
ステップ512において、UE 101は、アクティブリンクのための1つまたは複数のCSI-RSコンフィギュレーションに少なくとも部分的に基づいて、アクティブリンクのための1つまたは複数のUE受信ビームパラメータのセット（別名、空間フィルタリング構成）を決定する。UE 101は、アクティブリンクのための受信ビームパラメータを、第1のBTPIと共にUE 101のメモリに格納する。同様に、ステップ514において、UE 101は、監視されるリンクのための1つまたは複数のCSI-RSコンフィギュレーションに少なくとも部分的に基づいて、監視されるリンクのための1つまたは複数のUE受信ビームパラメータのセットを決定する。UE 101は、監視されるリンクのための受信ビームパラメータを、第2のBTPIと共にUE 101のメモリに格納する。特定の実施形態によれば、UE 101の受信ビームパラメータは、リンクの送信ビームを適切に受信するために使用されるパラメータである。UE 101は、ビームパラメータ（すなわち、空間フィルタリング構成）を受信し、たとえば、1つまたは複数のアンテナ重み（たとえば、振幅および位相シフト値）および／または処理ベクトルを含み得る。いくつかの態様では、処理ベクトルは、複数の受信アンテナからの受信信号を結合するために使用され得、信号の結合または加算の前に、各信号の個々の位相および／または振幅の調整を含む。格納されたUE受信ビームパラメータは、特定のリンク上でTRP 102から情報を受信するために使用されてもよい。例えば、データ送受信がアクティブなリンクから監視されるリンクに切り替わる場合、UE 101は、最適なパラメータを確立するためにTRP 102との追加のシグナリングを必要とせずに、監視されるリンクのためのビームパラメータを受信するUE 101にアクセスすることができる。
【００７１】
ステップ516において、UE 101は、アクティブリンクのための格納されたUE受信ビームパラメータにアクセスする。パラメータは、例えば、第1のBTPIを使用してアクセスすることができる。次いで、UE 101は、TRP 102から、アクティブリンクのためのアクセスされたUE受信ビームパラメータを使用して、アクティブリンクのための好ましい送信ビームで制御情報およびデータのうちの1つまたは複数を受信する。ステップ518において、例えば、アクティブリンクに中断がある場合、UE 101は、例えば、第2のBTPIを使用して、監視されるリンクのための格納されたUE受信ビームパラメータにアクセスする。次いで、UE 101は、監視されるリンクのためのアクセスされたUE受信ビームパラメータを使用して、監視されるリンクのための好ましい送信ビーム上の制御情報およびデータのうちの1つまたは複数をTRP 102から受信することができる。
【００７２】
いくつかの実施形態によれば、ステップ520に関して、UE 101は、第3のビームインデックスを含むメッセージをTRP 102から受信することができる。TRP 102の動作に関して説明したように、第3のビームインデックスは、UE 101が、TRP 102とUE 101との間のアクティブリンクまたは監視対象リンクのいずれかに関連するビームを変更すべきではないことを示すインジケータまたは「フラグ」を備えることができる。ステップ522において、UE 101は、受信されたメッセージに少なくとも部分的に基づいてチャネルテストを実行し、アクティブリンクまたは監視対象リンクのいずれかに対するUE受信ビームパラメータを更新することなく、チャネルテストの結果をTRP 102に報告する。チャネルテストは、例えば、ビーム品質測定のような、1つまたは複数のビームの測定であってもよい。測定は、例えば、所与のリンクまたはCQIに対する基準信号受信電力（RSRP）の測定であってもよい。いくつかの実施形態によれば、UE 101は、ビーム品質を示す値をメモリに格納することができ、また、最良の既知の送信ビームのビーム品質を示す値をメモリに格納することができる。これらの値は、最良の既知の送信ビームの識別情報を更新するかどうかを決定するために、アクセスされ、比較において使用されてもよい。
【００７３】
いくつかの実施形態では、UE 101は、例えば、最良の既知の送信ビームが変更された場合、1つまたは複数のUE受信ビームパラメータを更新することができる。ステップ524において、UE 101は、TRP 102から、アクティブリンクおよび第1のBTPIのためのビーム追跡プロセスに関連する少なくとも1つの送信ビームを受信する。次いで、UE 101は、例えば、第1のBTPIを使用して、メモリから、最良の既知の送信ビームに関するビーム品質情報を取得する。次いで、UE 101は、取得されたビーム品質情報に少なくとも部分的に基づいて、受信された送信ビームのうちの少なくとも1つを、最良の既知の送信ビームと比較することができる。例えば、UE 101は、受信された送信ビームのうちの少なくとも1つのビーム品質値を決定し、その値を、最良に知られている送信ビームの値と比較することができる。いくつかの態様では、値は、RSRP測定またはCQIの結果であってもよい。次いで、比較の結果に応じて、UE 101は、1つまたは複数の格納されたUE受信パラメータを更新することができる。このプロセスは、監視されるリンクに適用することもできる。いくつかの実施形態では、TRP 102は、最良の既知のビームを1つまたは複数の他のビームと共に送信することができ、したがって、UE 101は、他のビームを最良の既知のビームと直接比較することができる。いくつかの実施形態では、TRP 102は、常に最良の既知のビームを送信することができる。
【００７４】
図6は、いくつかの実施形態によるUE 101のブロック図である。図6に示すように、UEは、1つまたは複数のプロセッサ655（例えば、汎用マイクロプロセッサおよび／または特定用途向け集積回路（ASIC）、フィールドプログラマブルゲートアレイ（FPGA）などの1つまたは複数の他のプロセッサ）を含むことができるデータ処理システム（DPS）602と、無線アクセスネットワーク（RAN）ノード（例えば、TRP）と無線通信する際に使用するためのアンテナ622に結合された無線送信機605および無線受信機606と、1つまたは複数の不揮発性記憶デバイスおよび／または1つまたは複数の揮発性記憶デバイス（例えば、ランダムアクセスメモリ（RAM））を含むことができるローカル記憶ユニット（別名「データ記憶システム」）を有する。UEが汎用マイクロプロセッサを含む実施形態では、コンピュータプログラムプロダクト（CPP）641が提供されてもよい。CPP 641は、コンピュータ可読命令（CRI）644を含むコンピュータプログラム（CP）643を格納するコンピュータ可読媒体（CRM）642を含む。CRM 642は、限定はしないが、磁気媒体（例えば、ハードディスク）、光媒体（例えば、DVD）、メモリデバイス（例えば、ランダムアクセスメモリ）などの非一時的なコンピュータ可読媒体とすることができる。いくつかの実施形態では、コンピュータプログラム643のCRI 644は、データ処理システム602によって実行されると、CRIがUEに上述のステップ（例えば、フローチャートを参照して上述したステップ）を実行させるように構成される。他の実施形態では、UEは、コードを必要とせずに、本明細書で説明されるステップを実行するように構成され得る。すなわち、例えば、データ処理システム602は、単に1つまたは複数のASICから構成されてもよい。したがって、本明細書で説明する実施形態の特徴は、ハードウェアおよび／またはソフトウェアで実装することができる。
【００７５】
図7は、いくつかの実施形態によるTRP 102のブロック図である。図7に示すように、TRPは、1つまたは複数のプロセッサ755（例えば、汎用マイクロプロセッサ、および／または特定用途向け集積回路（ASIC）、フィールドプログラマブルゲートアレイ（FPGA）などの1つまたは複数の他のプロセッサ）を含むことができるデータ処理システム（DPS）702と、UEと無線通信する際に使用するためにアンテナ722に結合された無線送信機705および無線受信機706と、1つまたは複数の不揮発性記憶装置および／または1つまたは複数の揮発性記憶装置（例えば、ランダムアクセスメモリ（RAM））を含むことができるローカル記憶ユニット（「データ記憶システム」）を有してもよい。TRPが汎用マイクロプロセッサを含む実施形態では、コンピュータプログラム製品（CPP）741を提供することができる。CPP 741は、コンピュータ可読命令（CRI）744を含むコンピュータプログラム（CP）743を格納するコンピュータ可読媒体（CRM）742を含む。CRM 742は、限定はしないが、磁気媒体（例えば、ハードディスク）、光媒体（例えば、DVD）、メモリデバイス（例えば、ランダムアクセスメモリ）などの非一時的なコンピュータ可読媒体とすることができる。いくつかの実施形態では、コンピュータプログラム743のCRI 744は、データ処理システム702によって実行されると、CRIがTRPに上述のステップ（例えば、フローチャートを参照して上述したステップ）を実行させるように構成される。他の実施形態では、TRPは、コードを必要とせずに、本明細書で説明されるステップを実行するように構成され得る。すなわち、例えば、データ処理システム702は、単に1つまたは複数のASICから構成されてもよい。したがって、本明細書で説明する実施形態の特徴は、ハードウェアおよび／またはソフトウェアで実装することができる。
【００７６】
以下では、本開示によるさらなる実施形態が説明される。
【００７７】
TRPの実施形態
1. ユーザ装置（UE）と通信するための送信ポイント（TRP）によって実行される方法であって、前記TRPから前記UEに、前記TRPと前記UEとの間のアクティブリンクに関連する第1のビーム追跡プロセスインデックス（BTPI）を送信することを含む。
【００７８】
2. 前記TRPから前記UEに、前記TRPと前記UEとの間の監視されるリンクに関連する第2のBTPIを送信するステップをさらに含む、実施形態1記載の方法。
【００７９】
3. 前記第1のBTPIを送信することは、前記第1のBTPIと、前記アクティブリンクのための1つまたは複数のチャネル状態基準信号（CSI-RS）コンフィギュレーションとを含むメッセージを送信することを含む、実施形態1または2に記載の方法。
【００８０】
4. 2．前記第2のBTPIを送信することは、前記監視されるリンクのための第2のBTPIおよび1つまたは複数のCSI-RSコンフィギュレーションを含むメッセージを送信することを含む、実施形態2または3に記載の方法。
【００８１】
5. 前記TRPから前記UEに、前記アクティブリンクに関連するCSI−RSコンフィギュレーションおよび前記第1のBTPIを含むメッセージを送信するステップをさらに含む、実施形態1または2に記載の方法。
【００８２】
6. TRPから前記UEに、CSI-RSコンフィギュレーションと、監視されるリンクに関連する第2のBTPIとを含む第2のメッセージを送信することをさらに含む、実施形態5に記載の方法。
【００８３】
7. 前記UEに報告要求を送信することをさらに含み、前記報告要求は、前記UEが前記TRPと前記UEとの間のリンクに関連するビームを変更すべきではないことを示すインジケータを含む第3のビームインデックスを含む、先行する実施形態のいずれかに記載の方法。
【００８４】
8. 前記UEに報告要求を送信することをさらに含み、前記第1および第2のBTPIのうちの少なくとも1つは、前記UEが、前記TRPと前記UEとの間のアクティブまたは監視されるリンクに関連するビームを変更すべきではないことを示すインジケータを含む、先行する実施形態の何れかに記載の方法。
【００８５】
9. 前記第1のBTPIが、ビーム追跡プロセスをインジケートし（指し示し）、前記ビーム追跡プロセスが、少なくとも2つの異なる送信ビームの使用を含み、前記2つの異なる送信ビームのうちの少なくとも1つが、前記追跡プロセスのための最良の既知の送信ビームであり、前記少なくとも2つの異なる送信ビームが、同じBTPI値に関連付けられる、先行する実施形態のいずれかに記載の方法。
【００８６】
10. 前記UEから、前記第1の識別が前記第1のBTPIに関連付けられている、前記アクティブリンクのための送信ビームの第1の識別情報を受信するステップと、前記UEから、前記監視されているリンクのための送信ビームの第2の識別情報を受信するステップであって、前記第2の識別情報が前記第2のBTPIに関連付けられているステップとをさらに含む、実施形態2〜9のいずれかに記載の方法。
【００８７】
11. 前記UEに、前記第1および第2の識別された送信ビームのうちの少なくとも1つを使用して、制御情報およびデータのうちの1つまたは複数を送信することをさらに含む、実施形態10に記載の方法。
12. 実施形態1〜11のいずれか1つに記載の方法を実行するように構成されたTRP。
【００８８】
13. 12．前記TRPは、少なくとも1つのプロセッサと、前記少なくとも1つのプロセッサによって実行可能な命令を含むメモリとを含み、前記TRPは、実施形態1〜11のいずれか1つを実行するように構成される、実施形態12に記載のTRP。
【００８９】
14. ユーザ装置（UE）と通信するための送信ポイント（TRP）であって、前記TRPから前記UEに、前記TRPと前記UEとの間のアクティブリンクに関連する第1のビーム追跡プロセスインデックス（BTPI）を送信するように構成された送信ユニットを備える。
【００９０】
UE側の実施形態
15. 送信ポイント（TRP）と通信するユーザ装置（UE）によって実行される方法であって、前記UEにおいて、前記TRPから前記TRPと前記UEとの間のアクティブリンクに関連する第1のビーム追跡プロセスインデックス（BTPI）を受信することを含む。
【００９１】
16. 前記UEにおいて、前記TRPから前記TRPと前記UEとの間の監視されるリンクに関連する第2のBTPIを受信することをさらに含む、実施形態15に記載の方法。
【００９２】
17. 前記第1のBTPIは、前記アクティブリンクのための1つまたは複数のチャネル状態基準信号（CSI-RS）コンフィギュレーションを有するメッセージで受信され、前記第2のBTPIは、前記監視されるリンクのための1つまたは複数のCSI-RSコンフィギュレーションを有するメッセージで受信される、実施形態16に記載の方法。
【００９３】
18. 前記UEにおいて、前記TRPからCSI-RSコンフィギュレーションと前記アクティブリンクに関連する第1のBTPIとを含むメッセージを受信するステップと、前記TRPから、CSI-RSコンフィギュレーションと、前記監視されるリンクに関連する第2のBTPIとを含むメッセージを受信するステップとをさらに含む、実施形態16に記載の方法。
【００９４】
19. 前記アクティブリンクに対する前記1つまたは複数のCSI-RSコンフィギュレーションに少なくとも部分的に基づいて、前記アクティブリンクに対する好ましい送信ビームを決定するステップと、前記UEから前記TRPへ、前記アクティブリンクに対する前記好ましい送信ビームの識別を送信するステップと、前記監視されるリンクに対する前記1つまたは複数のCSI-RSコンフィギュレーションに少なくとも部分的に基づいて、前記監視されるリンクに対する好ましい送信ビームを決定するステップと、前記UEから前記TRPへ、前記監視されるリンクに対する前記好ましい送信ビームの識別を送信するステップとをさらに含む、実施形態17または18に記載の方法。
【００９５】
20. 前記アクティブリンクの前記1つまたは複数のCSI-RSコンフィギュレーションに少なくとも部分的に基づいて、前記アクティブリンクのための1つまたは複数のUE受信ビームパラメータのセットを決定することと、前記UEのメモリに、前記第1のBTPIと共に、前記アクティブリンクのための前記1つまたは複数のUE受信ビームパラメータを格納することと、前記監視されるリンクのための前記1つまたは複数のCSI-RSコンフィギュレーションに少なくとも部分的に基づいて、前記監視されるリンクのための1つまたは複数のUE受信ビームパラメータのセットを決定することと、前記メモリに、前記第2のBTPIと共に、前記監視されるリンクのための一つまたは複数の受信ビームパラメータを格納するステップとをさらに有する、実施形態１９に記載の方法。
【００９６】
21. 前記アクティブリンクの前記格納されたUE受信ビームパラメータは、1つまたは複数のアンテナ重みを含み、前記監視されるリンクの前記格納されたUE受信ビームパラメータは、1つまたは複数のアンテナ重みを含む、実施形態20に記載の方法。
【００９７】
22. 前記アンテナ重みは、振幅および位相シフト値のうちの1つまたは複数を含む、実施形態21に記載の方法。
【００９８】
23. 前記格納されたUEは、前記アクティブリンクのためのビームパラメータを受信し、前記格納されたUEは、1つまたは複数の処理ベクトルを含み、前記監視されるリンクのための前記格納されたUE受信ビームパラメータは、1つまたは複数の処理ベクトルを含む、実施形態20に記載の方法
24. 前記第1のBTPIを使用して前記アクティブリンクの前記格納されたUE受信ビームパラメータにアクセスするステップと、前記TRPから前記アクティブリンクの前記アクセスされたUE受信ビームパラメータを使用して前記アクティブリンクの前記好ましい送信ビームに関する制御情報およびデータのうちの1つまたは複数を前記UEで受信するステップと、前記第2のBTPIを使用して前記格納されたUE受信ビームパラメータにアクセスするステップと、前記TRPから前記UEで前記監視されるリンクの前記アクセスされたUE受信ビームパラメータを使用して前記監視されるリンクの前記好ましい送信ビームに関する制御情報およびデータのうちの1つまたは複数を前記UEで受信するステップとをさらに含む、実施形態２０または２3に記載の方法。
【００９９】
25. さらに、前記TRPから前記UEにおいて、第3のビーム指標を含むメッセージを受信するステップであって、前記第3のビーム指標は、前記TRPと前記UEとの間の前記アクティブリンクまたは監視対象リンクのいずれかに関連するビームを変更すべきでないことを示すインジケータを含み、前記受信したメッセージに少なくとも一部基づいてチャネル試験を実行し、前記アクティブリンクまたは監視対象リンクのいずれかについてUE受信ビームパラメータを更新することなく、前記チャネル試験の結果を前記TRPに報告するステップを含む、実施形態16〜24のいずれかに記載の方法。
【０１００】
26. 前記UEにおいて、前記TRPから前記アクティブリンクおよび前記第1のBTPIのための前記ビーム追跡プロセスに関連する第1および第2の送信ビームを受信するステップであって、前記第1の送信ビームが最良の既知の送信ビームであるステップと、前記第1のBTPIを使用して前記UEのメモリから前記第1の送信ビームに関連する第1のビーム品質値を取得するステップと、前記第2の送信ビームのための第2のビーム品質値を決定するステップと、前記第1および第2のビーム品質値を比較するステップと、前記比較に基づいて1つまたは複数の格納されたUE受信ビームパラメータを更新するステップとを有する、先行するいずれかの実施形態に記載の方法。
【０１０１】
27. 前記TRPから前記UEにおいて、前記アクティブリンクおよび前記第1のBTPIのための前記ビーム追跡プロセスに関連する少なくとも1つの送信ビームを受信するステップと、前記第1のBTPIを使用して前記UEのメモリから、最良の既知の送信ビームに関するビーム品質情報を取得するステップと、前記取得されたビーム品質情報に少なくとも部分的に基づいて、前記受信された送信ビームの少なくとも1つを前記最良の既知の送信ビームと比較するステップと、前記比較に基づいて、1つまたは複数の格納されたUE受信パラメータを更新するステップと、を有する、先行するいずれかの実施形態に記載の方法。
【０１０２】
28. 実施形態15〜27のいずれか1つの方法を実行するように構成されたUE。
【０１０３】
29. 前記UEは、少なくとも1つのプロセッサと、前記少なくとも1つのプロセッサによって実行可能な命令を含むメモリとを備え、前記UEは、実施形態15〜27のいずれか1つを実行するように構成される、実施形態28に記載のUE。
【０１０４】
30. 送信ポイント（TRP）と通信するためのユーザ装置（UE）であって、前記TRPから前記UEにおいて、前記TRPと前記UEとの間のアクティブリンクに関連する第1のビーム追跡プロセスインデックス（BTPI）を受信するように構成された受信ユニットを備える。
【０１０５】
追加開示：
以下の本文は、本願が優先権を主張する、2017年6月15日に出願された米国仮出願第62／520，078号により提出された付録からの資料である。
【０１０６】
タイトル：  DLビームインジケーション
アジェンダ項目：  5.1.2.2.1
下記の文書：  審議・決定
------------------------------------------------------------------------------
1  導入
以前の会議では、多重ビームペアリンク（BPL）およびビーム関連表示の処理に関連して、以下の合意がなされている。
------------------------------------------------------------------------------
合意事項1：
・  NR-PDCCH送信は、ビームペアリンクブロッキングに対するロバスト性をサポートする
−  ＵＥはM個のビームペアリンク上のNR-PDCCHを同時に監視するように設定され、
・  ここで、M＞＝1である。Mの最大値は、少なくともUE能力に依存し得る。
【０１０７】
・  FFS: UEは、NR-PDCCH受信のためにMの中から少なくとも1つのビームを選択することができる。
【０１０８】
−  UEは、異なるNR-PDCCH OFDMシンボルにおいて異なるビームペアリンク上でNR-PDCCHを監視するように構成されることができる。
【０１０９】
−  ....
合意事項2：
・  UE側ビームフォーミング／受信をアシストするために空間QCL仮定のための低オーバーヘッドインジケーションを目的とする。
【０１１０】
−  FFS詳細（例えば、タグが以前のCSI-RSリソースを参照するタグベース、以前の測定レポートを参照するBPLベース、RRCによって構成された複数のリソース（セット）のうちの1つのリソース（セット）の指示、CSI-RSリソース／ポートインデックスベースなど）
合意事項3：
・  2つのCSI-RSリソースのアンテナポート間のQCLの指示がサポートされる。
【０１１１】
−  デフォルトでは、2つのCSI-RSリソースのアンテナポート間でQCLを仮定すべきではない。
【０１１２】
−  部分QCLパラメータ（例えば、UE側の空間QCLパラメータのみ）が考慮されるべきである。
【０１１３】
・  ダウンリンクの場合、NRは、ビーム関連指示の有無にかかわらずCSI-RS受信をサポートする。
【０１１４】
−  ビーム関連指示が提供される場合、CSI-RSベースの測定のために使用されるUE側ビームフォーミング／受信手順に関する情報は、QCLを通じてUEに示されることができる。
【０１１５】
−  QCL情報は、CSI-RSポートのUE側受信のための空間パラメータを含む。
【０１１６】
・  FFS：QCL以外の情報
合意事項4：
・  ユニキャストDLデータチャネルの受信のために、DL RSアンテナポートとDLデータチャネルのDMRSアンテナポートとの間の空間QCL仮定のサポート表示：RSアンテナポートを示す情報は、DCI (ダウンリンク許可）を介して示される。
【０１１７】
−  この情報は、DMRSアンテナ・ポートとQCLされるRSアンテナ・ポートを示す。
【０１１８】
・  FFS：インジケーションの詳細
・  例えば、RSポート／リソースIDの明示的な指示、または暗黙的に導出される。
【０１１９】
−  ....
合意事項5：
・  ....
・  UE特有のNR-PDCCHのためのQCLの構成は、RRCおよびMAC-CE信号による。
【０１２０】
−  なお、MAC−CEは必ずしも必要ではない。
【０１２１】
−  FFS：DCIシグナリングの必要性
−  注：例えば、DL RSは、遅延拡散、ドップラー拡散、ドップラーシフト、および平均遅延パラメータ、空間パラメータのために、PDCCHのDMRSでQCLされる。
------------------------------------------------------------------------------
------------------------------------------------------------------------------
2  議論
前の参考文献［１］で論じたように、ビーム管理は、例えば、短いパケットデータセッションのために、単一のビームペアリンク（BPL）が確立されるベースライン手順を含むことができる。より長いデータセッションの場合、複数のBPLが確立される拡張プロシージャを呼び出すことができる。これは、例えば、gNBが複数のBPL上で同時にまたはTDM方式でPDCCHを送信することができるPDCCHロバスト性を達成するために有益であり得る（上記の合意事項＃1を参照）。別の例は、マルチパネル／マルチTRP展開における高ランクPDSCH送信を達成するための複数のBPLの使用である。複数のBPLが確立されるシナリオでは、PDSCH／PDCCHを受信するために、（ビームフォーミング重み、アンテナ重み、プリコーディング重み、プリコーディングベクトルなどのうちの1つまたは複数を含む）そのRx空間フィルタリング構成を設定する際に、UEに支援を提供するために、何らかの形態のビーム関連指示が必要とされる［2］。これは、例えば、UEがデータおよび／または制御信号を受信することができる前に、UEがビームフォーミング重みを適用しなければならないアナログビームフォーミングの文脈において特に重要である。ビームフォーミング重みは、典型的には、CSI-RSに基づく1つまたは複数の以前のビーム管理測定手順において決定される。
【０１２２】
2.1  Measurement Indicator (MI) の定義
用語BPLを含むいくつかの合意がなされているが、用語自体は正式には定義されていない。前回の会議では、次のような提案がWFで行われた［1］。
【０１２３】
BPLは、TX／RX空間フィルタリング構成に従って送信／受信される基準信号（例えば、CSI-RS、SS、SRS）上のUEまたはgNB測定（例えば、RSRP／CSI）によって定義される。
【０１２４】
BPL用語を含む複数の合意にもかかわらず、RAN1にはこの用語の使用に対する抵抗性があるようである。本発明者らの見解では、用語自体は、明細書に明示的に現れない場合であっても、議論の目的のために依然として有用である。ここでは、いくつかの懸念を潜在的に軽減するために、ビーム関連指示に必要とされる重要な側面を捉えると考えられる、より一般的な用語を提案する。
【０１２５】
本発明者らは、重要な態様は、UEが、DL基準信号リソースのセットに対して測定を実行し、1つまたは複数の好ましいリソースを示す測定レポートを提供することであることを観察する。次いで、PDSCH／PDCCHの受信のためのUE側ビームフォーミングを支援するために、ならびに特定のBPLを更新／改良するために、ビーム指示が使用されるときに、測定値を参照し、および／または報告するために、いくつかの形態のインジケータが必要とされる。この観察に基づいて、我々は、測定インジケータ（MI）の以下の定義を提案する。
【０１２６】
提案 1  ビーム管理のために、測定インジケータ（MI）はNRでサポートされ、次の2つの項目を一緒に参照できるようにする：（1）1つまたは複数の基準信号リソース（例えば、CSI−RS、SS、SRS）上で、1つまたは複数の空間フィルタリング構成に従って1つまたは複数の事前スロットで送受信される、UEまたはgNB測定（例えば、RSRP、CSI）；（2）好ましい基準信号リソース（例えば、CRI、SRI、SSブロックの暗黙のインジケータ）への1つまたは複数のインジケータを含む関連測定レポート。FFS：MIの詳細なフォーマット。
【０１２７】
代替案：
ビーム管理のために、測定インジケータ(MI) (別名、BTPIまたはTCI）が、以前に受信されたCSI-RSの空間QCL特性への参照を可能にするためにサポートされる。
【０１２８】
2.2  複数のBPLのメンテナンス
CSI-RSに基づく所与のDLビーム管理手順中に、UEは、ビームフォーミングされたCSI-RSリソースの設定に対して測定を実行し、ここで、ビームフォーミングは、例えば、TRPカバレージエリアの一部を横切って掃引するように構成され得る。P2手順の場合、UEは、1つまたは複数の好ましいCSI-RSリソースに対応するインデックスまたは識別子（CRI）、ならびに対応する測定値（複数可）、たとえば、RSRPまたはCSIパラメータCQI、RI、PMIを報告する。報告されたCRIは、UEの観点から見た好ましいgNB Txビームを示す。P3またはジョイントP2／P3手順の場合、UEはまた、そのRx空間フィルタリング構成（ビームフォーミング重み）を適合させて、好ましいgNB Txビーム（1つまたは複数）のそれぞれに対応する好ましいUE Rxビームを見つけることができる。
【０１２９】
ビーム管理のための測定及び報告の構成は、合意されたCSI／ビーム管理フレームワークにおいて取り扱われる。説明のために、図8は、RSRPまたはCSIのいずれかの報告に基づくP2およびP3手順に対応する3つの異なる報告設定からなる構成フレームワークのための例示的なセットアップを示す。任意の所与の時間に、測定は、リソース設定内で定義された3つの異なるリソースセットのうちの1つを使用して実行される。様々な設定およびセットは、RRCを使用して構成される。次いで、フレームワークで合意されたように、レポート設定およびリソースセットが動的に選択される。例えば、図8は、UEがRSRPおよび1つまたは複数のCRIを報告する非周期的P2ビーム掃引に対応して動的に選択される報告設定1を示す。タンデムでは、リソースセット1内のリソースセット1が動的に選択され、P2ビーム掃引のための8つのCSI-RSリソースを含む。
【０１３０】
上記のフレームワークを使用して、各BPLに関連する測定値および報告を別々にトリガし、各BPLに関連する好ましい空間フィルタリング構成を適切に追跡することによって、複数のBPLを確立し、維持することができる。追跡を維持するために、測定インジケータ（MI）の概念は有用であり、MIの異なる値は、異なるBPLに関連付けられる。以下で論じるように、測定が特定のBPLのCSI-RSリソースの設定上でトリガされるたびに、MIがトリガメッセージに含まれる。維持されるBPLの数は、かなり少ない可能性が高いので、MIは、低いオーバーヘッド、例えば、2ビットで定義することができ、4つまでのBPLの維持を可能にする。低いオーバーヘッドのために、少なくとも非周期的なCSI測定および報告をトリガするために使用されるのと同じDCIであり得るMIをDCIに含めることが実用的である。定期的なCSI測定および報告のためにMIを使用することは、FFSである。
【０１３１】
複数のBPLを維持する場合、測定および報告がgNBによってトリガされるたびに、gNBは、UEによって報告される好ましいCSI-RSリソースのCRIに対応するTx空間フィルタリング構成（Txビーム）に、あるMIを関連付けるべきである。さらに、UEは、特定のMIを、好ましいCSI-RSリソースに関連するRx空間フィルタリング構成（Rxビーム）に関連付けるべきである。このようにして、将来、同じMIがスケジューリングDCIにおいてUEに示される場合、UEは、以前に送信されたCSI-RSリソースをそのメモリから受信するために使用したRx空間フィルタリング構成を取り出すことができる。この指示は、別のDL信号、すなわち、PDSCH、PDCCH、またはCSI-RSの別の設定を効果的に受信するために、UE側ビームフォーミングを支援することができる。絶対ビームインデックスは必要とされず、MIは、TxおよびRxビームに対する相対基準として機能することに留意されたい。
【０１３２】
MI = bでのP2ビーム掃引の場合、gNBは、それぞれが異なるようにビーム形成されるCSI-RSリソースの設定上で測定をトリガする。この手順では、UEは、複数のgNB Txビームを評価しながら、そのRxビームを一定に保つ。この場合、UEは、どのRx空間フィルタリング構成（Rxビーム）が現在MI = bに関連付けられているかをメモリからルックアップすることができる。UEは、そのRxビームをP2に対して一定に保持すべきであるので、メモリから取り出されたRxビームを使用して、CSI-RSリソースの新しいセットを受信することができる。本質的に、UEは、新しいCSI-RSリソースが、MI = bに対応する以前の測定およびレポートからの好ましいCSI-RSリソースを有する空間的にQCLであると仮定することができる。前述したように、最大4つのBPL（）をサポートするために、DCIメッセージには2ビットしか必要とされない。これは、MI = bに関連するBPLの更新が最後に更新されたときに送信された好ましいCSI-RSリソースを一意に示す。
【０１３３】
gNBは、P2ビーム掃引をスケジュールする前に、MI = bに関連付けられたBPLが最後に更新されたときに、どのTx空間フィルタリング構成（Txビーム）がUE報告CRIに関連付けられたかをメモリから調べることもできる。これは、例えば、現在の「最良の」Txビームが、新しい、より良好なビームが見出される場合の比較結果として使用されるP2ビーム掃引に含まれることを確実にするために有用であり得る。これは、UEがRSRPなどの絶対量を測定し、報告する場合に重要である。
【０１３４】
MI = bでのP3ビーム掃引の場合、gNBは、gNBがそのTx空間フィルタリング構成（Txビーム）を固定に保持する1つまたは複数のCSI-RSリソースの設定上で測定をトリガする。この場合、UEは、何らかの方法で、gNBがそのTxビームを一定に保つことを知らされる必要があり、したがって、UEがそのRxビームを変化させることを可能にする。本質的に、UEは、新しいCSI-RSリソースが、MI = bに対応する以前の測定および報告からの好ましいCSI-RSリソースを有する空間的にQCLであることはできない。これは、例えば、これがP3ビーム掃引であるか否かをUEに通知するために、別個の［1ビット］フラグを介して行うことができる。このフラグが、動的にUEにシグナリングされるべきか、または、例えば、P3ビーム掃引に対応するレポートまたはリソース設定内で、より高い層を介して構成されるべきかは、FFSである（図8参照）。いずれにしても、UEは、新しいCSI-RSリソースが、MI = bに対応する以前の測定およびレポートからの好ましいCSI-RSリソースを有する空間的にQCLであると仮定すべきではない。新しい好ましいRxビームが見つかった場合、UEは、MI = bに関連するRx空間フィルタリング構成を更新すべきである。Txビームは固定されたままであるので、gNBが更新されたTx空間フィルタリング構成をMI = bに関連付ける必要はなく、UEがCRIを報告する必要もない。しかしながら、リンク適応をサポートするために、UEが他のCSI成分（CQI、PMI、RI）を報告することは、依然として有益である。
【０１３５】
提案 2  NRは、測定をトリガし、ビーム管理目的のために使用されるCSI-RSリソースの設定について報告するときに、DCIにおける測定インジケータ（MI）の動的指示をサポートする。MIは、長さ［2］ビットのメッセージフィールドである。
【０１３６】
この提案は、ビーム管理手順が、gNBとUEとの間で複数のBPLを確立し、維持することを可能にする。合意事項＃2および3に従って、測定インジケータ（MI）の信号は、CSI-RSの受信を支援するための低オーバーヘッドのビーム関連指示アプローチとして機能する。暗黙のうちに、これは、現在のCSI-RSの設定と、各BPLに関連する以前に報告された好ましいCSI-RSとの間のQCL関係を示す。
【０１３７】
2.3  PDSCHのビーム表示
マルチBPLシナリオでは、PDSCHを受信するためにそのRx空間フィルタリング構成を設定する際に、UEに支援を提供するために、何らかの形態のビーム関連指示が必要とされる。上記の合意事項＃4で述べたように、UEに対する支援は、PDSCH DMRSアンテナポートとDL RSアンテナポートとの間の空間QCL仮定の形成である。CSI-RSに基づくビーム管理の場合、問題のDL RSは、当然、CSI-RS、特に、特定のBPLについて以前に測定され報告された好ましいCSI-RSリソースである。
【０１３８】
この支援をUEに提供することは、MI値をスケジューリングDCIに含めることによって、非常に単純かつ自然な方法で処理することができる。そのような動作を示すために、図9は、図8に拡大され、図8では、フレームワークから異なる測定レポートを動的に選択することに基づく測定シーケンスの例が示されている。MI = 1で示される第1のBPLに対応するP2およびP3ビーム掃引が順次実行され（緑）、続いてMI = 2（赤）で示される第2のBPLに対応する順次P2およびP3ビーム掃引が実行される。DLデータは、その後、一連の測定が実行された後に、ビーム関連指示を用いてUEのためにスケジュールされる。この例では、スケジューリングDCIは、MI = 1を示すフィールドを含む。このMIを受信した後、UEは、PDSCH DMRSが、最も最近の測定における好ましいCSI-RSリソースを有する空間的にQCLであると仮定することができ、トリガは、MI = 1を含む。これは、UEが、MI = 1に対応する最新の測定において好ましいCSI-RSリソースを受信するために使用されたのと同じRx空間フィルタリング構成を使用して、PDSCHを受信することができることを意味する。この意味で、MIはQCLプロキシと見なすことができる。
【０１３９】
提案 3  NRは、スケジューリングDCIに測定インジケータ（MI）を含めることによって、PDSCH送信のためのビーム関連指示をサポートする。MIは、長さ［2］ビットのメッセージフィールドである。
【０１４０】
提案 4  スケジューリングDCIが測定インジケータ（MI）を含む場合、UEは、PDSCH DMRSが、測定インジケータに関連する最新の測定からの好ましいCSI-RSリソースを有する空間的にQCLであると仮定することができる。
【０１４１】
2.4  PDCCHのビーム表示
上記の合意事項＃5は、UE特有のPDCCHのためのQCLの構成は、RRCおよびMAC-CE信号によるものであり、MAC-CEは必ずしも必要ではないことを述べている。さらに、DCI信号が必要か否かはFFSである。ここで、我々は、RRC単独で十分であるかもしれないと主張する。
【０１４２】
PDSCHについての前のセクションで論じたように、UEは、あるMI値に関連する測定を実行するたびに、好ましいCRIを報告し、シグナリングされたMI値に対応する好ましいUE空間Rxフィルタリング構成（複数可）（例えば、アナログRxビーム（複数可））を更新する。このようにして、UEは、MIに基づくビーム関連指示がシグナリングされる後の時点でPDSCHを受信するための受信機構成を選択するように準備される。
【０１４３】
PDCCHの場合、動的（例えば、DCIまたはMAC-CE）ビーム関連指示が必要とされないかもしれず、常に実現可能でないことを除いて、同様の報告／更新手順が使用されてもよい。アナログビームフォーミングでは、UEは、信号を受信する前に、そのRxビームフォーミング重みを適用しなければならない。制御信号を受信する場合、UEは、ビームフォーミングにおける支援のために制御信号自体に依存することができず、これは、ニワトリと卵の問題である。
【０１４４】
代わりに、PDCCH監視の目的のために、PDCCHを測定インジケータの少なくとも1つの値、すなわち少なくとも1つのBPLに関連付けることを提案する。UEがPDCCHを受信するために仮定するMI値は、上位レイヤ（RRC）によって構成される。あるいは、単一のBPLのみのPDCCH監視の場合、MI = 1が常に想定されることを、仕様書に書き込むことができる。このようにして、UEは、図9に示すPDSCHをスケジューリングするPDCCHを受信すると、MI = 1に対応する最新の報告において、PDCCH DMRSが空間的にQCLであり、好ましいCSI-RSリソースを有すると仮定することができる。
【０１４５】
PDCCHは、単一のMI値に関連付けられる必要はないことに留意されたい。上記の合意事項＃1によれば、M個のBPLは、同時に、またはTDM方式で、PDCCH監視のために構成することができる。この場合、UEは、M個の異なるMI値で構成することができる。さらに、PDCCHが関連付けられるMI値は、PDSCH受信のために動的に示されるMI値と同じであっても、異なっていてもよい。例えば、より広いビーム幅が、ビーム掃引においてより少ないリソースを必要とするPDCCHのために使用される場合、PDCCHのための異なるBPLが維持され得る。あるいは、PDCCHのためのビーム掃引は、PDSCHと比較して異なる時間領域粒度内で実行されてもよく、したがって、異なるBPLの使用を動機付けてもよい。
【０１４６】
提案 5  UE固有PDCCHの受信のためのQCL仮定の表示は、RRC構成のみによって、すなわち、動的表示（MAC-CEまたはDCI）なしで、UE固有PDCCHを1つまたは複数の測定インジケータ（MI）に関連付けることによって達成され得る。
【０１４７】
提案 6  PDCCHの受信のために、UEは、PDCCH DMRSが、構成された測定インジケータ（複数可）に関連付けられた最新の測定レポート（複数可）からの好ましいCSI-RSリソース（複数可）を有する空間的にQCLであると仮定することができる。
【０１４８】
2.5  ビームグループ報告のためのビームインジケーション
この寄与における説明の多くは、異なるビームペアリンク（BPL）に関する測定および報告に別々に焦点を当ててきたが、基本的なアプローチは、測定がCSI-RSリソースの1つまたは複数の設定で実行され、複数のCRIがCSI報告に含まれるビームグループ報告をサポートするように拡張することもできる。複数のCRIは、どのgNB Txビーム（複数可）が、仮想的な高ランク送信においてUEによって同時に受信され得るかに従ってグループ化される。提案された測定インジケータは、一般に、リソースに関する測定および好ましいリソースの報告を指し示すという意味であるので、Txビームのグループを等しく良好に表すことができる。しかし、いくつかの詳細は、さらに研究する必要がある。例えば、gNBによって実際に使用されるよりも多くのグループが報告される場合、MIの上に追加の信号が必要とされ得る。そのような報告のゲインは、特に追加のオーバーヘッドを考慮すると、明確ではないので、第1のステップとして以下を提案する。
【０１４９】
提案 7  ビーム管理のために、NRは、少なくともビームグループ報告が構成されていない場合に、ビーム関連指示のために、測定インジケータ（MI）の動的信号をサポートする。FFS：ビームグループ報告のためのビーム関連インジケーション。
------------------------------------------------------------------------------
3  結論
この貢献における議論に基づいて、我々は以下を提案する。
【０１５０】
提案 1  ビーム管理のために、測定インジケータ（MI）はNRでサポートされ、次の2つの項目を一緒に参照できるようにする：（1）1つまたは複数の基準信号リソース（例えば、CSI−RS、SS、SRS）上で、1つまたは複数の空間フィルタリング構成に従って1つまたは複数の事前スロットで送受信される、UEまたはgNB測定（例えば、RSRP、CSI）；（2）好ましい基準信号リソース（例えば、CRI、SRI、SSブロックの暗黙のインジケータ）への1つまたは複数のインジケータを含む関連測定レポート。FFS：MIの詳細なフォーマット。
【０１５１】
提案 2  NRは、測定をトリガし、ビーム管理目的のために使用されるCSI-RSリソースの設定について報告するときに、DCIにおける測定インジケータ（MI）の動的指示をサポートする。MIは、長さ［2］ビットのメッセージフィールドである。
【０１５２】
提案 3  NRは、スケジューリングDCIに測定インジケータ（MI）を含めることによって、PDSCH送信のためのビーム関連指示をサポートする。MIは、長さ［2］ビットのメッセージフィールドである。
【０１５３】
提案 4  スケジューリングDCIが測定インジケータ（MI）を含む場合、UEは、PDSCH DMRSが、測定インジケータに関連する最新の測定からの好ましいCSI-RSリソースを有する空間的にQCLであると仮定することができる。
【０１５４】
提案 5  UE固有PDCCHの受信のためのQCL仮定の表示は、RRC構成のみによって、すなわち、動的表示（MAC-CEまたはDCI）なしで、UE固有PDCCHを1つまたは複数の測定インジケータ（MI）に関連付けることによって達成され得る。
【０１５５】
提案 6  PDCCHの受信のために、UEは、PDCCH DMRSが、構成された測定インジケータ（複数可）に関連付けられた最新の測定レポート（複数可）からの好ましいCSI-RSリソース（複数可）を有する空間的にQCLであると仮定することができる。
【０１５６】
提案 7  ビーム管理のために、NRは、少なくともビームグループ報告が構成されていない場合に、ビーム関連指示のために、測定インジケータ（MI）の動的信号をサポートする。FFS：ビームグループ報告のためのビーム関連インジケーション。
------------------------------------------------------------------------------
4  引用文献
［1］  R1-1702674、" DLビーム管理概要"，Ericsson、RAN1＃88，2017年2月。
【０１５７】
［2］  R1−1702676、"On DL beam indication," Ericsson、RAN1＃88、February 2017．
［3］  R1−1706641、"WF on BPL definition," Nokia、RAN1＃88b、April 2017．
上記3つの同定された基準の各々は、2016年11月4日に出願された米国仮出願第62／417，785号の出願日後に公開された。本出願は、この仮出願に対する優先権を主張する。
【０１５８】
結論：
本開示の様々な実施形態が上記で説明されているが、それらは、限定ではなく、一例としてのみ提示されていることを理解されたい。したがって、本開示の幅および範囲は、上述の例示的な実施形態のいずれによっても限定されるべきではない。さらに、本明細書で別段の指示がない限り、または文脈によって明らかに矛盾しない限り、上記の要素のすべての可能な変形形態における任意の組合せが、本開示に包含される。
【０１５９】
さらに、上述し、図面に示したプロセスは、一連のステップとして示されているが、これは、説明のためだけに行われたものである。したがって、いくつかのステップが追加されてもよく、いくつかのステップが省略されてもよく、ステップの順序が再構成されてもよく、いくつかのステップが並列に実行されてもよいことが意図されている。
【図１Ａ】
2019537370.tif 000002
【図１Ｂ】
2019537370.tif 000003
【図１Ｃ】
2019537370.tif 000004
【図２】
2019537370.tif 000005
【図３】
2019537370.tif 000006
【図４】
2019537370.tif 000007
【図５Ａ】
2019537370.tif 000008
【図５Ｂ】
2019537370.tif 000009
【図６】
2019537370.tif 000010
【図７】
2019537370.tif 000011
【図８】
2019537370.tif 000012
【図９】
2019537370.tif 000013
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
ユーザ装置、UE (101）、と通信するために、送信ポイント、TRP (102）、によって実行される方法であって、前記方法は、
前記TRP (102）から前記UE (101）に、1つまたは複数のチャネル状態基準信号（CSI-RS）コンフィギュレーションと、前記TRP (102）と前記UE (101）との間の第1のリンクに関連する第1のビーム追跡プロセスインデックス、BTPI、とを含み、特定のビーム追跡プロセスおよびリンクに対応するCSI-RSコンフィギュレーションがどれであるかを前記UE(101)が知ることができるようにする、メッセージを送信することであって、前記第1のBTPIを前記UE (101）に送信することは、PDSCH送信をスケジュールするために前記UE (101）に制御メッセージに送信することを有し、前記第1のBTPIは前記制御メッセージに含まれる、こと (402）と、
前記UE (101）から、前記第1のリンクのための好ましいCSI-RSコンフィギュレーションの識別情報を受信することと、
前記制御メッセージを前記UE (101）に送信する前に、一つまたは複数の基準信号、RS、リソースのセットについてRS測定を実行するよう前記UE (101）をトリガするトリガメッセージを前記UE (101）に送信することと、を有する方法。
【請求項２】
請求項1に記載の方法であって、前記TRP (102）と前記UE (101）との間の前記第1のリンクは、アクティブリンクである、方法。
【請求項３】
請求項1または2に記載の方法であって、さらに、
前記TRP（102）から前記UE (101）へ、前記TRP (102）と前記UE (101）との間の第2のリンクに関連する第2のBTPIを送信すること、を有する方法。
【請求項４】
請求項3に記載の方法であって、前記TRP (102）と前記UE (101）との間の前記第2のリンクは、監視されるリンクである、方法。
【請求項５】
請求項3または4に記載の方法であって、前記第2のBTPIを送信することは、前記第2のBTPIおよび1つまたは複数のCSI-RSコンフィギュレーションを含む第2のメッセージを送信することを含む、方法。
【請求項６】
請求項１から5のいずれか1項に記載の方法であって、前記トリガメッセージは、前記第1のBTPIを有する、方法。
【請求項７】
請求項1から5のいずれか1項に記載の方法であって、さらに、
前記トリガメッセージを前記UE (101）に送信した後であって、前記制御メッセージを前記UE (101）に送信する前に、前記BTPIを含むメッセージを前記UE (101）に送信することを有し、
前記BTPIは前記トリガメッセージに含まれない、方法。
【請求項８】
ユーザ装置、UE (101）、と通信するための送信ポイント、TRP (102）、であって、前記TRP (102）は、
前記TRP (102）から前記UE (101）に、1つまたは複数のチャネル状態基準信号（CSI-RS）コンフィギュレーションと、前記TRP (102）と前記UE (101）との間の第1のリンクに関連する第1のビーム追跡プロセスインデックス、BTPI、とを含むメッセージを送信することであって、特定のビーム追跡プロセスおよびリンクに対応するCSI-RSコンフィギュレーションがどれであるかを前記UE(101)が知ることができるようにするものであり、前記第1のBTPIを前記UE (101）に送信することは、PDSCH送信をスケジュールするために前記UE (101）に制御メッセージに送信することを有し、前記第1のBTPIは前記制御メッセージに含まれる、ことと、
前記UE (101）から、前記第1のリンクのための好ましいCSI-RSコンフィギュレーションの識別情報を受信することと、
前記制御メッセージを前記UE (101）に送信する前に、一つまたは複数の基準信号、RS、リソースのセットについてRS測定を実行するよう前記UE (101）をトリガするトリガメッセージを前記UE (101）に送信することと、を実行するように構成された、TRP (102）。
【請求項９】
請求項2から7のいずれか１項に記載の方法を実行するように構成された、請求項8に記載のTRP (102）。
【請求項１０】
ユーザ装置、UE (101）、と通信するための送信ポイント、TRP (102）、であって、前記TRP (102）は、
少なくとも一つのプロセッサ（755）と、 
メモリ（742）とを有し、前記メモリは、前記少なくとも1つのプロセッサによって実行可能な命令を含み、これにより前記TRP (102）は、請求項1から7のいずれか1項に記載の方法を実行するように構成された、TRP (102）。
【請求項１１】
送信ポイント、TRP (102）、と通信するユーザ装置、UE (101）、によって実行される方法であって、前記方法は、
前記UE (101）において、前記TRP (102）から、1つまたは複数のチャネル状態基準信号（CSI-RS）コンフィギュレーションと、前記TRP (102）と前記UE (101）との間の第1のリンクに関連する第1のビーム追跡プロセスインデックス、BTPI、とを含み、特定のビーム追跡プロセスおよびリンクに対応するCSI-RSコンフィギュレーションがどれであるかを前記UE(101)が知ることができるようにする、メッセージを受信することであって、前記第1のBTPIを受信することは、PDSCH送信をスケジュールするための制御メッセージを受信することを有し、前記第1のBTPIは前記制御メッセージに含まれる、こと（502）と、
前記第1のリンクのための好ましいCSI-RSコンフィギュレーションを決定すること、 
前記UE (101）から前記TRP (102）に、前記第1のリンクのための前記好ましいCSI-RSコンフィギュレーションの識別情報を送信することと、
前記制御メッセージを受信する前に、1つまたは複数の基準信号、RS、リソースのセットについてのRS測定を実行するよう前記UE (101）をトリガするトリガメッセージを受信することと、を有する、方法。
【請求項１２】
請求項11に記載の方法であって、前記TRP (102）と前記UE (101）との間の前記第1のリンクは、アクティブリンクである、方法。
【請求項１３】
請求項11または12に記載の方法であって、さらに、
前記UE (101）において、前記TRP (102）から、前記TRP (102）と前記UE (101）との間の第2のリンクに関連する第2のBTPIを受信すること、を有する、方法。
【請求項１４】
請求項13に記載の方法であって、前記TRP (102）と前記UE (101）との間の前記第2のリンクは、監視されるリンクである、方法。
【請求項１５】
請求項13または14に記載の方法であって、前記第2のBTPIは、前記第2のリンクのための一つまたは複数のCSI-RSコンフィギュレーションとともにメッセージにおいて受信される、方法。
【請求項１６】
請求項11から15のいずれか1項に記載の方法であって、さらに、
前記第1のリンクのための前記1つまたは複数のCSI-RSコンフィギュレーションに少なくとも部分的に基づいて、前記第1のリンクのための前記1つまたは複数のUE (101）受信ビームパラメータのセットを決定することと、
前記第1のBTPIとともに、前記第1のリンクのための前記1つまたは複数のUE (101）受信ビームパラメータを前記UE (101）のメモリに格納することと、を有する、方法。
【請求項１７】
請求項11から16のいずれか1項に記載の方法であって、前記トリガメッセージは、前記第1のBTPIを有する、方法。
【請求項１８】
請求項11から16のいずれか1項に記載の方法であって、さらに、
前記トリガメッセージを受信した後であって、前記制御メッセージを受信する前に、前記BTPIを含むメッセージを受信することを有し、
前記BTPIは前記トリガメッセージに含まれない、方法。
【請求項１９】
送信ポイント、TRP (102）、と通信するためのユーザ装置、UE (101）、であって、前記UE (101）は、
前記UE (101）において、前記TRP (102）から、1つまたは複数のチャネル状態基準信号（CSI-RS）コンフィギュレーションと、前記TRP (102）と前記UE (101）との間の第1のリンクに関連する第1のビーム追跡プロセスインデックス、BTPI、とを含み、特定のビーム追跡プロセスおよびリンクに対応するCSI-RSコンフィギュレーションがどれであるかを前記UE(101)が知ることができるようにする、メッセージを受信することであって、前記第1のBTPIを受信することは、PDSCH送信をスケジュールするための制御メッセージを受信することを有し、前記第1のBTPIは前記制御メッセージに含まれる、ことと、
前記第1のリンクのための好ましいCSI-RSコンフィギュレーションを決定することと、
前記UE (101）から前記TRP (102）に、前記第1のリンクのための前記好ましいCSI-RSコンフィギュレーションの識別情報を送信することと、
前記制御メッセージを受信する前に、1つまたは複数の基準信号、RS、リソースのセットについてのRS測定を実行するよう前記UE (101）をトリガするトリガメッセージを受信することと、を実行するように構成されたUE (101）。
【請求項２０】
請求項12から18のいずれか1項に記載の方法を実行するように構成された、請求項19に記載のUE (101）。
【請求項２１】
送信ポイント、TRP (102）、と通信するためのユーザ装置、UE (101）、であって、前記UE (101）は、少なくとも1つのプロセッサ（655）と、メモリ（642）とを有し、前記メモリは、前記少なくとも1つのプロセッサによって実行可能な命令を有し、それによって、前記UE (101）は、請求項11から18のいずれか1項に記載の方法を実行するように構成されている、UE (101）。
【請求項２２】
請求項1から7のいずれか1項に記載の方法であって、
前記トリガメッセージは、前記RS測定を実行した後に、前記UE (101）が少なくとも1つの測定報告を送信することをトリガするための報告トリガメッセージである、方法。
【請求項２３】
請求項11から18のいずれか1項に記載の方法であって、
前記トリガメッセージは、前記RS測定を実行した後に、前記UE (101）が少なくとも1つの測定報告を送信することをトリガするための報告トリガメッセージである、方法。
【手続補正書】
【提出日】令和1年8月23日(2019.8.23)
【手続補正１】
【補正対象書類名】明細書
【補正対象項目名】全文
【補正方法】変更
【補正の内容】
【発明の詳細な説明】
【技術分野】
【０００１】
一つより多くの（すなわち複数の）送信ビームを使用するシステムにおけるビーム追跡プロセス管理のための実施形態が開示される。
【背景技術】
【０００２】
３ＧＰＰ(Third Generation Partnership Project)は、次世代移動通信システム（５Ｇ移動通信システムまたは単に「５Ｇ」）の開発および設計に関する作業を開始した。５Ｇは、今日の４Ｇネットワークの発展と、「ニューレディオ」（ＮＲ）として知られる新しいグローバルに標準化された無線アクセス技術の追加とを包含する。
【０００３】
ＮＲに対する多種多様な要件は、多くの異なる搬送波周波数において周波数帯域が必要とされることを意味する。例えば、十分なカバレージを達成するためには低い周波数帯域が必要であり、要求される容量を達成するためには、より高い周波数帯域（例えば、３０ＧＨｚ付近及び３０ＧＨｚを超えるようなｍｍＷ）が必要である。高い周波数では、伝搬特性はより困難であり、基地局（例えば、ｅＮＢまたはｇＮＢ）での高次ビームフォーミングは、十分なリンクバジェットを達成するために必要とされる。例えば、高い伝搬損失を補償するために、より高い周波数では、ナロービームによる送信と受信の方式が必要とされることがある。所与の通信リンクについて、ビームは、送信ポイント(ＴＲＰ) (すなわち、送信（ＴＸ）ビーム）で適用されることができ、ビームは、ユーザ装置(ＵＥ) (すなわち、受信（ＲＸ）ビーム）で適用されることができる。
【０００４】
ＮＲは、ビーム中心設計を有し、これは、従来のセルコンセプトが緩和され、ユーザ装置（ＵＥ）（すなわち、固定またはモバイル無線通信デバイス）が、多くの場合、セルの代わりにナロービームに接続され、ナロービーム間で「ハンドオーバ」を実行することを意味する。したがって、３ＧＰＰは、ビーム間（送信ポイント（ＴＲＰ）内および送信ポイント間の両方）のモビリティを処理するための概念を研究することに同意した。本明細書で使用されるように、ＴＲＰは、例えば、基地局または基地局の構成要素を含み得る。高利得ビームフォーミングが必要とされる、より高い周波数では、各ビームは、小さなエリア（すなわち、ビームのカバレージエリア）内でのみ有用である可能性が高く、カバレージエリア外のリンクバジェットは、急速に劣化する。したがって、高性能を維持するためには、頻繁かつ高速なビームスイッチング方法が必要である。
【発明の概要】
【０００５】
いくつかの実施形態は、どのＣＳＩ−ＲＳコンフィギュレーション（設定）がどの特定のビーム追跡プロセス（およびリンク）に対応し、どのＣＳＩ−ＲＳコンフィギュレーションがＴＲＰおよび／またはネットワークによって使用されているかをＵＥが知ることを可能にする、チャネル状態情報基準信号（ＣＳＩ−ＲＳ）コンフィギュレーションに含めることができるビーム追跡プロセスインデックスを含む。これは、例えば、ＵＥが、それぞれのリンク（例えば、アクティブまたは監視されるリンク）ごとに使用するために必要なパラメータを自動的に格納することができるという利点を有する。
【０００６】
したがって、一態様では、ＴＲＰによって実行される第１の方法が提供される。一実施形態では、第１の方法は、ＴＲＰとＵＥとの間の第１のリンクに関連する第１のビーム追跡プロセスインデックス（ＢＴＰＩ）をＴＲＰからＵＥに送信することを含む。いくつかの実施形態では、ＴＲＰ(１０２）とＵＥ(１０１）との間の第１のリンクは、アクティブリンクである。
【０００７】
いくつかの実施形態では、本方法は、ＴＲＰとＵＥとの間の第２のリンクに関連する第２のＢＴＰＩをＴＲＰからＵＥに送信することをさらに含む。いくつかの実施形態では、ＴＲＰとＵＥとの間の第２のリンクは、監視されるリンクである。
【０００８】
いくつかの実施形態では、第１のＢＴＰＩを送信することは、第１のＢＴＰＩおよび１つまたは複数のチャネル状態基準信号（ＣＳＩ−ＲＳ）コンフィギュレーションを含むメッセージを送信することを含む。いくつかの実施形態では、第２のＢＴＰＩを送信することは、第２のＢＴＰＩおよび１つまたは複数のＣＳＩ−ＲＳコンフィギュレーションを備える第２のメッセージを送信することを含む。
【０００９】
いくつかの実施形態では、本方法は、ＴＲＰからＵＥに、ＣＳＩ−ＲＳコンフィギュレーションと、第１のリンクに関連付けられた第１のＢＴＰＩとを備えるメッセージを送信することをさらに含む。
【００１０】
いくつかの実施形態では、第１のＢＴＰＩをＵＥに送信することは、ＰＤＳＣＨ送信をスケジューリングするための制御メッセージをＵＥに送信することを含み、第１のＢＴＰＩは、制御メッセージに含まれ、本方法は、制御メッセージをＵＥに送信する前に、ＵＥに、基準信号ＲＳ、１つまたは複数のＲＳリソースのセットに関する測定を実行するようにＵＥをトリガするためのトリガメッセージを送信することをさらに含む。いくつかの実施形態では、トリガメッセージは、ＲＳ測定を実行した後に少なくとも１つの測定報告を送信するようにＵＥをトリガするための報告トリガメッセージである。
【００１１】
いくつかの実施形態では、方法は、トリガメッセージをＵＥに送信した後であって、制御メッセージをＵＥに送信する前に、ＢＴＰＩを含むメッセージをＵＥに送信することをさらに含み、ＢＴＰＩは、トリガメッセージに含まれない。
【００１２】
別の態様では、ＴＲＰによって実行される第２の方法が提供される。一実施形態では、第２の方法は、１つまたは複数のＲＳリソースのセットに関して基準信号（ＲＳ）測定を実行するようにＵＥをトリガすることを含む。ＲＳ測定を実行するようにＵＥをトリガすることは、測定インジケータＭＩ（ＢＴＰＩの別の名前であり、送信構成インジケータ（ＴＣＩ）としても知られている）を含む情報をＵＥに送信することを含み、この情報は、ＲＳリソースの設定が、空間的に準同一場所に配置されたＱＣＬであることを、以前の測定からのＲＳリソースと共に示す。
【００１３】
別の態様では、ＴＲＰによって実行される第３の方法が提供される。一実施形態では、第３の方法は、１つまたは複数のＲＳリソースのセットに関してＲＳ測定を実行するようにＵＥをトリガすることを含み、ＲＳ測定を実行するようにＵＥをトリガすることは、インジケータ（例えば、測定インジケータ（ＭＩ））を含む情報をＵＥに送信することを含み、ｉ）インジケータは、ＲＳリソースのセットを送信するためにＴＲＰが使用する送信空間フィルタリング構成（ビームフォーミング重み、アンテナ重み、プリコーディング重み、プリコーディングベクトルなどのうちの１つまたは複数を含むことができる）に関連付けられるか、またはｉｉ）１つまたは複数の好ましいＲＳリソースを示すＵＥによって送信された報告に基づいて、ＴＲＰはインジケータを送信空間フィルタリング構成（ビームフォーミング重み、アンテナ重み、プリコーディング重み、プリコーディングベクトルなどのうちの１つまたは複数を含むことができる）に関連付ける。
【００１４】
別の態様では、ＴＲＰによって実行される第４の方法が提供される。一実施形態では、第４の方法は、送信空間フィルタリング構成（ビームフォーミング重み、アンテナ重み、プリコーディング重み、プリコーディングベクトルなどのうちの１つまたは複数を含むことができる）に関連する特定のインジケータを含む第１のメッセージをＵＥに送信することを含む。第１のメッセージをＵＥに送信した後、ＵＥのためのＰＤＳＣＨ送信をスケジューリングするための制御メッセージをＵＥに送信し、送信空間フィルタリング構成に関連する特定のインジケータは、制御メッセージに含まれる。そして、制御メッセージを送信した後、特定のインジケータに関連する送信空間フィルタリング構成を使用してＰＤＳＣＨ送信を実行する。
【００１５】
いくつかの実施形態では、制御メッセージを送信することは、ダウンリンク制御情報、ＤＣＩを物理ダウンリンク制御チャネルＰＤＣＣＨ上で送信することを含み、ＤＣＩは、特定のインジケータを含む。
【００１６】
別の態様では、本明細書で説明するステップのうちの任意の１つまたは複数を実行するように構成されたＴＲＰが提供される。
【００１７】
別の態様では、少なくとも１つのプロセッサと、少なくとも１つのプロセッサによって実行可能な命令を備えるメモリとを含むＴＲＰが提供され、ＴＲＰは、本明細書で説明されるステップのうちの任意の１つまたは複数を実行するように構成される。
【００１８】
別の態様では、ＴＲＰとＵＥとの間の第１のリンクに関連付けられた第１のビーム追跡プロセスインデックスＢＴＰＩをＴＲＰからＵＥに送信するように構成された送信ユニットを含むＴＲＰが提供される。
【００１９】
別の態様では、ＴＲＰと通信するＵＥによって実行される第１の方法が提供される。第１の方法は、ＴＲＰからＵＥにおいて、ＴＲＰとＵＥとの間の第１のリンクに関連する第１のビーム追跡プロセスインデックスＢＴＰＩを受信することを含む。
【００２０】
いくつかの実施形態では、ＴＲＰとＵＥとの間の第１のリンクは、アクティブリンクである。
【００２１】
いくつかの実施形態では、本方法は、ＴＲＰからＵＥにおいて、ＴＲＰとＵＥとの間の第２のリンクに関連する第２のＢＴＰＩを受信することをさらに含む。
【００２２】
いくつかの実施形態では、ＴＲＰとＵＥとの間の第２のリンクは、監視されるリンクである。
【００２３】
いくつかの実施形態では、第１のＢＴＰＩは、１つまたは複数のチャネル状態基準信号、ＣＳＩ−ＲＳを有するメッセージで受信され、第１のリンクの構成および第２のＢＴＰＩは、第２のリンクの１つまたは複数のＣＳＩ−ＲＳコンフィギュレーションを有するメッセージで受信される。
【００２４】
いくつかの実施形態では、本方法は、ＵＥにおいて、ＴＲＰから、ＣＳＩ−ＲＳコンフィギュレーションと、第１のリンクに関連付けられた第１のＢＴＰＩとを備えるメッセージを受信することをさらに含む。
【００２５】
いくつかの実施形態では、本方法は、第１のリンクのための好ましいＣＳＩ−ＲＳコンフィギュレーションを決定することと、ＵＥからＴＲＰに、第１のリンクのための好ましいＣＳＩ−ＲＳコンフィギュレーションの識別を送信することとをさらに含む。
【００２６】
いくつかの実施形態では、本方法は、第１のリンクのための１つまたは複数のＣＳＩ−ＲＳコンフィギュレーションに少なくとも部分的に基づいて、第１のリンクのための１つまたは複数のＵＥ受信ビームパラメータのセットを決定することと、第１のＢＴＰＩとともに、第１のリンクのための１つまたは複数のＵＥ受信ビームパラメータをＵＥのメモリに格納することとをさらに含む。
【００２７】
いくつかの実施形態では、第１のＢＴＰＩを受信することは、ＰＤＳＣＨ送信をスケジューリングするための制御メッセージを受信することを含み、第１のＢＴＰＩは、制御メッセージに含まれる。いくつかの実施形態では、本方法は、制御メッセージを受信する前に、１つまたは複数のＲＳリソースのセットに関して基準信号ＲＳ測定を実行するようにＵＥをトリガするためのトリガメッセージを受信することをさらに含む。いくつかの実施形態では、トリガメッセージは、ＲＳ測定を実行した後に少なくとも１つの測定報告を送信するようにＵＥをトリガするための報告トリガメッセージである。
【００２８】
いくつかの実施形態では、トリガメッセージは、第１のＢＴＰＩを含む。
【００２９】
いくつかの実施形態では、本方法は、トリガメッセージを受信した後であって、制御メッセージを受信する前に、ＢＴＰＩを含むメッセージを受信することをさらに含み、ＢＴＰＩは、トリガメッセージに含まれない。
【００３０】
別の態様では、ＴＲＰと通信するＵＥによって実行される第２の方法が提供される。第２の方法は、ＴＲＰによって送信された第１のメッセージを受信することを含み、第１のメッセージは、特定のインジケータを含む。第１のメッセージを受信した後、ＵＥのためのＰＤＳＣＨ送信をスケジューリングするための制御メッセージをＴＲＰから受信し、特定のインジケータが制御メッセージに含まれる。制御メッセージを受信した後、特定のインジケータを使用して、特定のインジケータに関連する空間フィルタリング構成を決定する。そして、空間フィルタ処理リング構成を決定した後、空間フィルタ処理リング構成を使用してＰＤＳＣＨ送信を受信する。
【００３１】
別の態様では、本明細書で説明されるステップのうちの任意の１つまたは複数を実行するように構成されるＵＥが提供される。
【００３２】
別の態様では、少なくとも１つのプロセッサと、少なくとも１つのプロセッサによって実行可能な命令を備えるメモリとを含むＩＥが提供され、ＵＥは、本明細書で説明されるステップのうちの任意の１つまたは複数を実行するように構成される。
【００３３】
別の態様では、ＴＲＰとＵＥとの間の第１のリンクに関連付けられた第１のビーム追跡プロセスインデックスＢＴＰＩをＴＲＰからＵＥで受信するように構成された受信ユニットを含むＵＥが提供される。
【００３４】
別の態様では、ＴＲＰによって実行される方法が提供される。一実施形態では、この方法は、ＴＲＰとＵＥとの間のアクティブリンクに関連する第１のビーム追跡プロセスインデックス（ＢＴＰＩ）をＴＲＰからＵＥに送信することを含む。この方法は、ＴＲＰとＵＥとの間の監視されるリンクに関連する第２のＢＴＰＩをＴＲＰからＵＥに送信することをさらに含む。いくつかの態様では、本方法は、ＴＲＰからＵＥに、ＣＳＩ−ＲＳコンフィギュレーションを備えるメッセージと、アクティブリンクに関連する第１のＢＴＰＩとを送信することと、ＣＳＩ−ＲＳコンフィギュレーションと、監視されるリンクに関連する第２のＢＴＰＩとを備える第２のメッセージを送信することとをさらに含む。この方法はまた、ＵＥから、アクティブリンクのための送信ビームの第１の識別情報を受信することを含むことができ、第１の識別情報は、第１のＢＴＰＩに関連付けられる。この方法はまた、ＵＥから、監視されるリンクのための送信ビームの第２の識別情報を受信することを含むことができ、第２の識別情報は、第２のＢＴＰＩに関連付けられる。いくつかの実施形態では、識別情報は、特定のリンクのための好ましいビームの識別情報であってもよい。識別された送信ビームは、制御情報およびデータのうちの１つまたは複数をＵＥに送信するために使用され得る。
【００３５】
いくつかの実施形態によれば、報告要求はまた、ＵＥに送信されてもよく、報告要求は、第３のビームインデックスを備える。いくつかの態様では、このインデックスは、ＵＥがＴＲＰとＵＥとの間のリンクに関連するビームを変更すべきではないことを示すインジケータ（たとえば、フラグ）を備えることができる。
【００３６】
別の態様では、ＵＥによって実行される方法が提供される。一実施形態では、この方法は、ＴＲＰからＵＥにおいて、ＴＲＰとＵＥとの間のアクティブリンクに関連する第１のビーム追跡プロセスインデックスと、ＴＲＰとＵＥとの間の監視されるリンクに関連する第２のＢＴＰＩとを受信することを含む。いくつかの実施形態では、第１のＢＴＰＩは、アクティブリンクのための１つまたは複数のＣＳＩ−ＲＳコンフィギュレーションを有するメッセージで受信され、第２のＢＴＰＩは、監視されるリンクのための１つまたは複数のＣＳＩ−ＲＳコンフィギュレーションを有するメッセージで受信される。次いで、ＵＥは、アクティブリンクのための１つまたは複数のＣＳＩ−ＲＳコンフィギュレーションに少なくとも部分的に基づいて、アクティブリンクのための好ましい送信ビームを決定することができる。同様に、監視されるリンクのための１つまたは複数のＣＳＩ−ＲＳコンフィギュレーションに少なくとも部分的に基づいて、監視されるリンクのための好ましい送信ビームが決定され得る。この方法は、さらに、ＴＲＰに、アクティブおよび監視されるリンクのための好ましい送信ビームの識別を送信することを含む。ある態様によれば、ＵＥはまた、アクティブリンクのための１つまたは複数のＣＳＩ−ＲＳコンフィギュレーションに少なくとも部分的に基づいて、アクティブリンクのための１つまたは複数のＵＥ受信ビームパラメータの設定を決定すること、ならびに、監視されるリンクのための１つまたは複数のＣＳＩ−ＲＳコンフィギュレーションに少なくとも部分的に基づいて、監視されるリンクのための１つまたは複数のＵＥ受信ビームパラメータのセットを決定することもする。受信ビームパラメータは、それぞれのＢＴＰＩと共にＵＥのメモリに格納されてもよい。この方法はまた、ＴＲＰから、アクティブおよび／または監視されるリンクの好ましい送信ビームに関する制御情報およびデータのうちの１つまたは複数を受信するために、格納された受信ビームパラメータにアクセスすることを含むことができる。
【００３７】
いくつかの実施形態によれば、ＵＥは、ＴＲＰから、アクティブリンクおよび第１のＢＴＰＩのためのビーム追跡プロセスに関連する第１および第２の送信ビームを受信し、ここで、第１の送信ビームは、知られている最良の送信ビームである。次いで、ＵＥは、（例えば、第１のＢＴＰＩを使用して）メモリから、第１の送信ビームに関連する第１のビーム品質値を取得することができる。次いで、ＵＥは、第２の送信ビームのための第２のビーム品質値を決定し、第１のビーム品質値と第２のビーム品質値とを比較することができる。その結果に基づいて、ＵＥは、次いで、１つまたは複数の格納されたＵＥ受信ビームパラメータを更新することができる。
【００３８】
いくつかの実施形態では、ＵＥは、第３のビームインデックスを受信し、第３のビームインデックスは、ＵＥが、ＴＲＰとＵＥとの間のアクティブリンクまたは監視リンクのいずれかに関連するビームを変更すべきではないことを示すインジケータ（たとえば、フラグ）を備える。ＵＥは、いくつかの態様によれば、その後、受信されたメッセージに少なくとも部分的に基づいてチャネルテストを実行し、チャネルテストの結果をＴＲＰに報告し、アクティブリンクまたは監視されるリンクのいずれかに対するＵＥ受信ビームパラメータを更新することなく、チャネルテストを実行する。
【００３９】
いくつかの実施形態によれば、前述の方法を実行するＴＲＰおよびＵＥも提供される。
【図面の簡単な説明】
【００４０】
本明細書に組み込まれ、本明細書の一部を形成する添付の図面は、様々な実施形態を示す。
【図１Ａ】図１Ａ、１Ｂ、および１Ｃは、ＴＲＰとＵＥとの間の通信のためのアクティブおよび監視されるＴＸビームの使用を示す。
【図１Ｂ】図１Ａ、１Ｂ、および１Ｃは、ＴＲＰとＵＥとの間の通信のためのアクティブおよび監視されるＴＸビームの使用を示す。
【図１Ｂ】図１Ａ、１Ｂ、および１Ｃは、ＴＲＰとＵＥとの間の通信のためのアクティブおよび監視されるＴＸビームの使用を示す。
【図２】図２は、いくつかの実施形態による処理を示す信号図である。
【図３】図３は、いくつかの実施形態によるプロセスを示すフローチャートである。
【図４Ａ】図４Ａおよび図４Ｂは、いくつかの実施形態によるプロセスを示すフローチャートである。
【図４Ｂ】図４Ａおよび図４Ｂは、いくつかの実施形態によるプロセスを示すフローチャートである。
【図５】図５は、いくつかの実施形態によるＵＥのブロック図である。
【図６】図６は、いくつかの実施形態によるＴＲＰのブロック図である。
【図７】図７は、構成フレームワークのセットアップ例を示す。
【図８】図８は、いくつかの実施形態による例示的なメッセージフロー図である。
【発明を実施するための形態】
【００４１】
あるビームのチャネル品質の測定を実行するために、ビーム形成された基準信号を使用することができる。ビームフォーミングは、例えば、アンテナアレイの複数のアンテナ素子から、アンテナ素子の各々について信号に適用される振幅および／または位相シフトで、同じ信号を送信することを含み得る。これらの振幅／位相シフトは、一般に、アンテナ重み付けとして表され、各アンテナに対するアンテナ重み付けの集合は、プリコーディングベクトルである。異なるプリコーディングベクトルは、送信信号のビームフォーミングを生じさせ、重み付けは、信号がアンテナアレイから見てある角度方向にコヒーレントに結合するように制御することができ、この場合、ビームがその「方向」に形成されることがある。アレイのアンテナが２次元に（すなわち、平面に）配置される場合、ビームは、アンテナアレイに垂直な平面に対して方位角方向および仰角方向の両方にステアリングすることができる。
【００４２】
本明細書ではビームという用語を使用するが、チャネルに整合し、厳密な意味ではビームを与えない送信を与える他のプリコーディングベクトルがある。例えば、チャネルがＴＲＰで知られている場合、プリコーディング重みは、特定の方向に最大アレイ利得を与えるようにビームを形成する代わりに、信号強度がＵＥで最大化されるように制御することができる。整合チャネルプリコーディングは、受信機における信号電力を最大化するために最適であり得るが、正確なチャネル情報を必要とし得る。しかし、ラインオブサイト（見通し線）チャネルでは、ビームの使用は、最適に近いことが多い。ビームに関して説明したが、本明細書の開示は、一般性を失うことなく提示される。
【００４３】
ＮＲでは、ビーム基準信号（ＢＲＳ）またはチャネル状態情報基準信号（ＣＳＩ−ＲＳ）が、ビーム管理のための基準信号として使用されることが提案される。本明細書で使用されるように、ＣＳＩ−ＲＳは、一般性を失うことなく、ビーム管理のために使用されるＲＳを指すことができる。ネットワーク（ＮＷ）、ＮＲ基地局（ｇＮＢ）、または別のノードは、例えば、無線リソース制御（ＲＲＣ）メッセージなどの制御メッセージによって、ＣＳＩ−ＲＳコンフィギュレーションでＵＥを構成することができる。各コンフィギュレーションは、１つまたは複数のＣＳＩ−ＲＳリソースを含むことができる。次いで、１つまたは複数のＵＥは、これらのＣＳＩ−ＲＳリソース上で測定を実行し、その結果をネットワークに報告して戻すことができる。
【００４４】
例として、各ＣＳＩ−ＲＳリソースは、異なるＴＲＰ送信（ＴＸ）ビームで送信され得る。各異なるＴＲＰＴＸビームは、ＴＲＰアンテナアレイから見て異なる方向にビームを形成するために、異なるマルチアンテナプリコーディング重みを有することができる。この例では、ＵＥは、異なるＴＲＰＴＸビームに対応する構成されたＣＳＩ−ＲＳリソースを使用して（基準信号受信電力（ＲＳＲＰ）などの）チャネル品質測定を実行するように構成されることができ、これらの測定値をＮＷに報告するようにさらに構成されることができる。このようにして、測定レポートを使用することによって、ＮＷが、所与のＵＥのための好ましいＴＲＰＴＸビームを見つけることが可能である。
第２の例では、各ＣＳＩ−ＲＳリソースは、同じＴＲＰＴＸビームで送信され得る。このようにして、ＵＥは、使用されるＴＲＰＴＸビームについて異なるＵＥＲＸビームを評価し、特定のＴＲＰＴＸビームについて好ましいＵＥ受信（ＲＸ）ビームを見つけることができる。ＵＥＲＸビームは、例えば、ＵＥ受信機アンテナ／アレイパラメータのセットとして理解され得る。例えば、異なるＯＦＤＭシンボルにおける、同じビームにおけるＣＳＩ−ＲＳリソースの繰り返し送信は、ＵＥがＯＦＤＭシンボル間でＲＸビームを切り替え、リンク品質を評価することができるので、例えば、アナログ受信ビームフォーミングがＵＥで適用される場合に有用である。いくつかの実施形態によれば、ＣＳＩ−ＲＳ送信は、非周期的（例えば、イベントトリガ）であるか、または半永続的／周期的な方法で送信され得る。ＣＳＩ−ＲＳ送信が半永続的／周期的な方法で送信される場合にも、測定レポートは、半永続的／周期的な方法で構成されることができる。
【００４５】
上述の手順を使用して、ＵＥは、好ましいＴＲＰＴＸビームを見つけることができ、そのビームに対して好ましいＵＥＲＸビームを見つけることができる。このＴＸ／ＲＸビーム対は、ビーム対リンク（ＢＰＬ）と呼ばれることがある。しかしながら、ＵＥをナロービームに接続することに伴う１つの問題は、例えば、障害物がリンクの途中に入り、それをブロックする場合に、ＢＰＬが容易に劣化する可能性があることである。しばしば高い通過損失および高い周波数での不十分な回折特性のために、遮蔽障害物は、ＴＲＰとＵＥとの間の接続の損失（いわゆるビームリンク障害（ＢＬＦ）またはＢＰＬ障害（ＢＰＬＦ））につながる可能性があり、これは、呼のドロップおよびユーザ体験の低下につながる可能性がある。
【００４６】
ビームリンク障害の問題を軽減する１つの方法は、第１のアクティブなＴＸビームがＢＬＦを経験する（例えば、ブロックされる）場合に使用することができる、第２の監視される（別名、バックアップ）送信ビームを使用することである。したがって、少なくとも２つのＴＸビームが、ＵＥと接続するために使用され得る。この例を図１Ａ、１Ｂおよび１Ｃに示す。図１Ａには、ＵＥ１０１が制御情報およびユーザデータをＵＥ１０１に送信するために１つのアクティブなＴＸビーム１８１を使用し、さらにＵＥ１０１のために１つの監視される（バックアップ) ＴＸビーム１８２を使用するＴＲＰ１０２（例えば、基地局）が示されている。図１Ｂには、アクティブなＴＸビームをブロック（阻止）し、それによってＵＥ１０１にアクティブなＴＸビームに対するＢＬＦを検出させる物体１９９が示されている。ＴＲＰ１０２とＵＥ１０１との間の接続を復元するために、ＴＲＰ１０２は、図１Ｃに示すように、監視されるＴＸビームをＵＥ１０１のアクティブＴＸビームとして使用することができる。ある態様によれば、監視されるリンクの目的は、したがって、（１）アクティブ・リンクよりも良好であり得る新しいリンクを発見すること、および（２）アクティブ・リンクが切断された場合にバックアップ・リンクを提供することである。
【００４７】
図１Ａの例では、各ＴＲＰＴＸビームに関連する１つのＵＥＲＸビームがあり（すなわち、ＵＥＲＸビーム１９１はＴＸビーム１８１に関連し、ＵＥＲＸビーム１９２はＴＸビーム１８２に関連する）、これは、アナログまたはハイブリッド受信ビームフォーミングがＵＥ１０１で使用される場合にしばしば当てはまる。ＵＥ１０１が純粋なアナログ受信ビームフォーミングを使用する場合、ＵＥ１０１は、例えば、ＯＦＤＭシンボル毎に、その受信ビームを一度に１つのＴＲＰ送信ビームに同調させることができるだけである。同様に、ＴＲＰ１０２がアナログ送信ビームフォーミングを使用する場合、一度に、例えば、ＯＦＤＭシンボルごとに、１つのビームのみが送信され得る。したがって、所与の時間に送信ビームを正しい受信ビームと整列させる必要がある。ＴＲＰ１０２のＴＸビームのそれぞれについて、所与の時点で、可能なＵＥＲＸビームのセットの中に、それに関連する「最適な」ＵＥＲＸビーム（すなわち、パラメータ）が存在する。
【００４８】
ネットワークが、ＣＳＩ−ＲＳコンフィギュレーションを使用してビーム追跡プロセスのためのビームスイープ（掃引）手順を設定する場合、ＵＥ１０１は、ＣＳＩ−ＲＳコンフィギュレーションがどのビーム追跡プロセスに属するかを知らないことがある。したがって、ＵＥ１０１が、好ましいＵＥ−ＲＸビームをビーム追跡プロセス（またはリンク）に関連付けることは不可能である。したがって、ＴＲＰ１０２があるリンクを使用してデータを送信する場合、ＵＥ１０１は、どのＵＥＲＸビームを使用するかを知らない。したがって、実施形態は、どのＣＳＩ−ＲＳコンフィギュレーションがどのビーム追跡プロセス（およびリンク）に対応するかをＵＥ１０１が知ることを可能にする、ＣＳＩ−ＲＳコンフィギュレーションに含めることができるビーム追跡プロセスインデックスを含む。また、ＣＳＩ−ＲＳコンフィギュレーションおよび／または報告要求メッセージがいかなるビーム追跡プロセスにも関連しないことを示す追加のフラグを、例えばＣＳＩ−ＲＳコンフィギュレーションまたは報告要求メッセージに含めることができる。これは、例えば、ＵＥ１０１が、各リンク（アクティブまたは監視される）に対してどのＵＥＲＸビームを使用すべきかを自動的に記憶することができるという利点を有する。これは、必要とされるオーバーヘッド信号の量を低減し、したがって、ＴＲＰ１０２とＵＥとの間の性能を改善する。いくつかの態様では、フラグは、ＢＴＰＩの特定の値である。
【００４９】
各リンク（アクティブまたは監視される）について適切なＴＲＰおよびＵＥビームを見つけて維持する１つの方法は、リンクごとに別個のビーム追跡プロセスを設定することである。ビーム追跡プロセスは、ＮＷにおいて定義され、異なるビームにおける基準信号（例えば、ＣＳＩ−ＲＳ、ＢＲＳ、または同様のもの）の送信に関連付けられることができ、異なるビームは、測定され、ＵＥ１０１から報告される。したがって、各ビーム追跡プロセスは、処理に関連する測定値を使用して更新することができる。測定の目的は、しばしばビーム対リンク（ＢＰＬ）と呼ばれるＴＲＰ１０２のＴＸビームおよびＵＥのＲＸビームを更新し、洗練することである。本明細書の開示は、ダウンリンクに関して提供されるが、ＢＰＬは、特に、ＵＥ１０１ ＲＸビームおよびＵＥＴＸビームが良好に較正され（同じビーム方向）、ＴＲＰＴＸビームおよびＴＲＰＲＸビームについて同じである場合に、アップリンク送信にも使用することができる。すなわち、本明細書で開示されるプロセスは、アップリンク通信のために使用されるビームを識別し、管理するために使用することができる。
【００５０】
ＴＲＰ１０２とＵＥ１０１との間のビーム管理関連の制御シグナリングを最小限に抑えるために、いくつかの態様は、ＴＲＰＴＸビームの選択がＵＥ１０１に対してトランスペアレントであり得ること、およびＵＥＲＸビームの選択がＮＷに対してトランスペアレントであり得ることを提供する。すなわち、プリコーダ重みの正確な詳細は知られておらず、またはリンクの送信機側で使用されるビーム送信の方向の角度などは、リンクの受信側では知られていない。代わりに、特定のＣＳＩ−ＲＳ送信の暗黙的または明示的なアイデンティティ（このアイデンティティは、ＴＸビームと同等である）を使用することができ、次いで、ＮＷおよびＵＥ側は、ビーム追跡プロセスにおいてこのアイデンティティを参照することができる。
【００５１】
所与のビーム追跡プロセスのためのデータ送信のための１つの解決策では、ＴＲＰ１０２が制御メッセージ内で明示的に信号を送信しない限り、ＵＥ１０１は、使用されるＴＲＰＴＸビームが、ビーム追跡プロセスに対応するＴＲＰ１０２ ＴＸビームであると仮定する。これを可能にするために、ＵＥ１０１は、以前のＣＳＩ−ＲＳコンフィギュレーション測定から報告されたように、アクティブリンクのための最良のＴＲＰＴＸビームに関連付けられた好ましいＵＥＲＸビームを関連付けて保存する。この手順は、第１のビームプロセス、例えばアクティブＢＰＬに適用することができる。監視されるリンクなどの第２のプロセス、すなわちＢＰＬが導入される場合、ＵＥ１０１は、第２のリンクのための適切なＵＥＲＸビームも見つけなければならない。これは、効率的な管理を伴い、追加のシグナリングオーバーヘッドを導入することなく、ＮＷおよびＵＥ１０１側からの複数のリンクをどのように区別するかに関する問題を導入し得る。監視リンクの場合、ＵＥ１０１は、その監視リンクのためのビーム追跡プロセスに関連する最良のＴＲＰＴＸビームに対応する最良のＵＥＲＸビームを覚えていなければならず、これは、アクティブリンクのＵＥ１０１ ＲＸとは異なることがある。これは、ＴＲＰ１０２が現在のアクティブリンクから監視リンクに切り替えることを決定した場合に重要であり、ＵＥ１０１は、リンク切り替え後にどのＵＥＲＸビームを使用するかを知らなければならず、そうでない場合には、受信性能が悪くなる。
【００５２】
したがって、いくつかの実施形態によれば、ビーム追跡プロセスおよび／またはＣＳＩ−ＲＳ測定に関連する識別子が導入される。さらに、ＵＥ１０１は、各識別子について、好ましいＵＥＲＸビームを格納することができる。いくつかの実施形態によれば、ＵＥ１０１は、関連するリンク品質（ＲＳＲＰまたはＣＱＩなど）、すなわち、好ましいＣＳＩ−ＲＳリソース（すなわち、ＴＲＰＴＸビーム）およびＵＥＲＸビームが使用されるとき、をさらに格納することができる。関連付けられた識別子を有する測定値は、例えば、１つまたは複数のビームの非周期的にトリガされるＣＳＩ−ＲＳリソース送信であってもよい。あるいは、１つまたは複数のビームのＣＳＩ−ＲＳリソース送信は、事前に設定され、周期的に送信されてもよく、識別子を含む測定およびトリガは、非周期的にトリガされる。
【００５３】
ある態様によれば、測定値は、それが属するビーム追跡プロセス（またはビーム対リンクまたはＴＲＰＴＸビーム）を識別する識別子でタグ付けされる。これにより、ＵＥ１０１は、現在実行されているコンフィギュレーションおよび／または測定レポートが（アクティブまたは監視されるなどの）複数のビームペアリンクのうちのどれに関連するか、および現在の測定に基づいて、格納されているＵＥＲＸビームのうちのどれを変更または更新すべきかに関する情報を有することが可能になる。一実施形態では、ネットワーク／ＴＲＰおよびＵＥは、ビーム追跡プロセスを各ビームペアリンクに関連付け、各ビーム追跡プロセスにビーム追跡プロセスインデックス（ＢＴＰＩ）を与える。このＢＴＰＩは、例えば、タグ／識別子である。ネットワーク／ＴＲＰがＣＳＩ−ＲＳコンフィギュレーションをセットアップするか、またはすでに構成されたＣＳＩ−ＲＳコンフィギュレーションについての報告をトリガするときはいつでも、ＢＴＰＩは、ネットワーク／ＴＲＰからＵＥ１０１へのメッセージに含めることができる。いくつかの実施形態によれば、ＢＴＰＩは、ＣＳＩ−ＲＳなどの１つまたは複数のメッセージに値として含まれてもよく、または新しいメッセージを介してＵＥ１０１に別々にシグナリングされてもよい。このようにして、ＵＥ１０１は、ＣＳＩ−ＲＳ測定コンフィギュレーションがどのビーム追跡プロセス（または、同等に、ビームペアリンク）に属するかを知る。ある態様によれば、リンクの数は、ＵＥ１０１にＢＴＰＩをシグナリングするために数ビットしか必要とされないようなサイズであってもよい。
【００５４】
これらの手順は、ＵＥ１０１が、それぞれのＴＲＰＴＸビーム／ビームペアリンク／ビーム追跡プロセスのための好ましいＵＥＲＸビームの情報を格納することを可能にし、これは、必要とされるオーバーヘッド信号の量を低減する。好ましいＵＥＲＸビームの受信パラメータは、ネットワーク／ＴＲＰからの制御およびデータ情報の後続のアクセスおよび受信のために、ＢＴＰＩと共に格納されてもよい。さらに、ＵＥ１０１は、リンク品質を記憶することもできるので、ＵＥ１０１は、あるＢＴＰＩでタグ付けされたＣＳＩ−ＲＳリソースを測定するときに、より良いＲＸビームを見つけるために比較結果を実行することができる。好ましいビームは、ＢＴＰＩが制御メッセージでシグナリングされるとき、例えばＰＤＳＣＨメッセージをスケジューリングするとき、将来使用されるように更新されてもよい。
【００５５】
図２は、いくつかの実施形態を示すシグナリング図である。この例では、ネットワーク／ＴＲＰは、２つの異なるリンク（１つはアクティブであり、１つはモニタ（監視）される）をセットアップし、各リンクをビーム追跡プロセスインデックスに関連付ける。
【００５６】
図２の例に示すように、ネットワークおよび／またはＴＲＰは、ＵＥにシグナリングされるアクティブリンクおよび関連するＢＴＰＩを定義することができる。同様に、監視されるリンクおよび関連するＢＴＰＩが定義され、ＵＥ１０１にシグナリングされる。次いで、ネットワークおよび／またはＴＲＰは、アクティブリンクのための１つまたは複数のＣＳＩ−ＲＳコンフィギュレーションをさらに定義することができ、アクティブリンクのための１つまたは複数のＣＳＩ−ＲＳコンフィギュレーションは、そのリンクのためのＢＴＰＩを含む。次いで、これをＵＥ１０１に送信することができる。次いで、ＵＥ１０１は、ＣＳＩ−ＲＳを使用して、リンクのための最良の（好ましい）送信ビームを評価し、好ましいリンクをネットワーク／ＴＲＰに報告し、対応するＵＥ受信ビームおよび関連するＢＴＰＩをそのメモリに保存することができる。同様に、次いで、ネットワークおよび／またはＴＲＰは、監視されるリンクのための１つまたは複数のＣＳＩ−ＲＳコンフィギュレーションをさらに定義することができ、そのリンクのためのＢＴＰＩを含む。次いで、これをＵＥ１０１に送信することができる。次いで、ＵＥ１０１は、ＣＳＩ−ＲＳを使用して、監視されるリンクのための最良の（好ましい）送信ビームを評価し、好ましいリンクをネットワーク／ＴＲＰに報告し、対応するＵＥ受信ビームおよび関連するＢＴＰＩをそのメモリに保存することができる。この信号に基づいて、（１）ネットワーク／ＴＲＰは、好ましいアクティブなリンクビームおよび監視されるリンクビームを通知され、（２）ＵＥ１０１は、各リンクについて最適なＵＥＲＸビームを格納し（その後、データを受信するためにアクセスすることができ）、（３）ＢＴＰＩを使用して、生成された情報を管理および制御することができる。例えば、図２の例では、ＴＲＰ１０２は、ＵＥ１０１からシグナリングされた最良の（好ましい) ＴＲＰ送信ビームを使用して、アクティブリンクの好ましいビーム上でＵＥ１０１に制御信号およびデータ信号を送信する。次いで、ＵＥ１０１は、適切なＵＥＲＸビーム（例えば、ＢＴＰＩを使用してアクセスされる）を使用して、ＴＲＰ１０２から信号を受信することができる。ＴＲＰ１０２が被監視リンクへの送信を切り替えると、ＵＥ１０１は、信号を受信するために、（例えば、被監視リンクのＢＴＰＩを使用して）適切なＵＥＲＸビームにアクセスすることができる。これは、追加のシグナリングを必要とせずに行うことができる。
【００５７】
ある態様によれば、ネットワーク／ＴＲＰは、アクティブリンクまたは監視リンクのいずれかに関連する現在のビームを変更することなく、候補ＴＲＰＴＸビームを評価することを望むことができる。一実施形態では、ＢＴＰＩ内の追加のフラグ（またはビット）または状態が含まれ、ＣＳＩ−ＲＳコンフィギュレーション、レポートのトリガ、または他のメッセージとともにＵＥ１０１にシグナリングされる。例えば、フラグは、それがアクティブまたは監視されるリンクに関連する場合には「１」とすることができ、それがいずれのリンクにも関連しない場合には「０」とすることができる。このようにして、ＢＴＰＩの意味は、ＵＥ１０１の動作をさらに制御するように拡張される。すなわち、ＢＴＰＩは、ネットワーク／ＴＲＰを使用して、既存のリンクを中断することなく、所与のビーム追跡プロセスに関連するレポートを取得することができる。
【００５８】
ある態様によれば、ネットワーク／ＴＲＰは、所与のビーム追跡プロセス（すなわち、所与のＢＴＰＩ）のために測定されるべき少なくとも２つの異なるビームのセットを送信する。いくつかの実施形態では、送信は、所与の追跡プロセスのための最良の既知のＴＲＰＴＸビームをセットに含む。このようにして、上述の手順と共に、任意の新しいビームの品質が、以前に知られている最良のビームと比較されることを保証することができる。この手順が使用されない場合、ＵＥ１０１は、以前に知られている最良のＴＲＰＴＸビームよりも悪い別のビームのために好ましいビームを変更するか、またはＵＥ１０１のＲＸビームをパラメータの非最適セットに変更してしまうリスクがある。いくつかの態様では、ＵＥ１０１は、最良のビームに関する情報を格納し、比較のためにこの情報にアクセスすることができる。ネットワーク／ＴＲＰは、ＵＥ１０１が以前に報告された最良のリンク（最良のリンク品質ＢＬＱ）の品質測定値（例えば、ＲＳＲＰ）を保存するＵＥ１０１のための最良の既知のＴＲＰＴＸビームを必ずしも含む必要はない。いくつかの実施形態では、ＵＥ１０１は、所与のＢＰＴＩタグについて測定された各リンクの品質（ＣＳＩ−ＲＳリソースおよびＵＥＲＸビーム組合せ）をＢＬＱと比較し、現在の最良のリンク品質がＢＬＱよりも良好（例えば、より高いＲＳＲＰ）である場合にのみ、ＵＥ１０１ ＲＸビームを更新する。さらに、ＢＬＱは、タイマに関連付けられてもよく、その結果、ある所定のまたはより高いレイヤ構成時間の後に、ＢＬＱが消去され、代わりに、より最近に測定されたＢＬＱ値が使用される。
【００５９】
ここで図３を参照すると、図３は、いくつかの実施形態による、ＵＥと通信するＴＲＰによって実行されるプロセス４００を示すフローチャートである。ある態様によれば、ＴＰＲとＵＥとの間の通信は、例えば、ＮＲ無線アクセス技術に従って、エアインターフェースを介した無線である。
【００６０】
プロセス４００は、ＴＲＰ１０２が、ＴＲＰ１０２とＵＥ１０１との間のアクティブリンクに関連する第１のビーム追跡プロセスインデックス（ＢＴＰＩ）をＵＥ１０１に送信するステップ４０２から開始することができる。特定の態様によれば、ＢＴＰＩは、アクティブプロセスまたは監視プロセスなどの特定のビーム追跡プロセスを識別するために使用される。いくつかの実施形態では、ＢＴＰＩは、マルチビット識別子である。ＢＴＩＰは、例えば、第１のビーム追跡プロセスのための値と、第２のビーム追跡プロセスのための第２の値とを有することができる。さらに、ＢＴＰＩは、特定の送信または動作（例えば、測定）が、任意の特定のビーム追跡プロセスに関連付けられていないことを示す第３の値を含むことができる。したがって、ＢＴＰＩは、「フラグ」として理解することができ、および／またはフラグとして働く１つまたは複数のビットを含むことができる。ステップ４０４において、ＴＲＰ１０２は、ＴＲＰ１０２とＵＥ１０１との間の監視されるリンクに関連する第２のビーム追跡プロセスインデックスをＵＥ１０１に送信する。アクティブリンクは、例えば、制御データ、シグナリング情報、および／またはペイロードデータを含む、データを送信するために使用される、ＴＲＰ１０２の送信ビームおよびＵＥ１０１の受信ビームを指し得る。監視されるリンクは、例えば、必要に応じて、ＴＲＰ１０２の送信ビーム、および通信のためのバックアップおよび／またはオプションのリンクとして使用されるＵＥ１０１の受信ビームを指すことができる。
【００６１】
ステップ４０６において、ＴＲＰ１０２は、ＣＳＩ−ＲＳコンフィギュレーションと、アクティブリンクなどの特定のリンクに関連する第１のＢＴＰＩとを含むメッセージをＵＥ１０１に送信する。ステップ４０８において、ＴＲＰ１０２は、ＣＳＩ−ＲＳコンフィギュレーションと、監視されるリンクなどの異なるリンクに関連する第２のＢＴＰＩとを含むメッセージをＵＥ１０１に送信する。いくつかの態様によれば、ステップ４０６および４０８で使用される基準信号は、同じであってもよく、あるいは、特定のリンクに従って調整されてもよい。さらに、特定の代替実施形態によれば、ＢＴＰＩの初期送信（ステップ４０２および４０４）は、１つまたは複数のＣＳＩ−ＲＳコンフィギュレーションの送信を含むことができ、したがって、ステップ４０６および４０８を繰り返す必要はない。
【００６２】
ステップ４１０において、ＴＲＰ１０２は、ＵＥ１０１から、アクティブリンクのための送信ビームの第１の識別情報を受信する。いくつかの実施形態によれば、第１の識別情報は、第１のＢＴＰＩに関連付けられる。ＴＲＰ１０２はさらに、ＵＥ１０１から、監視されるリンクのための送信ビームの第２の識別情報を受信する。いくつかの実施形態によれば、第２の識別情報は、第２のＢＴＰＩに関連付けられる。第１および第２のビームは、例えば、ＵＥ１０１によって識別される好ましいビームである。ＵＥ１０１は、例えば、受信信号品質測定値に基づいて、好ましいビームを識別することができる。このようにして、ＢＴＰＩを使用して、特定のビーム追跡プロセスに関連する好ましいビームを追跡し、識別し、追加のシグナリングを必要とせずに最良のリンクを利用することができる。
【００６３】
ステップ４１２において、ＴＲＰ１０２は、第１および第２の識別された送信ビームのうちの少なくとも１つを使用して、制御情報およびデータのうちの１つまたは複数をＵＥ１０１に送信する。いくつかの実施形態によれば、ＴＲＰ１０２は、最初に、第１の識別された送信ビームを使用してアクティブリンク上でＵＥ１０１に送信することができ、例えば、リンクに中断がある場合、続いて、第２の識別された送信ビームを使用して監視されるリンク上で送信することができる。
【００６４】
ステップ４１４において、ＴＲＰ１０２は、報告要求をＵＥ１０１に送信し、報告要求は、第３のビームインデックスを含む。いくつかの実施形態によれば、第３のビームインデックスは、ＵＥ１０１がＴＲＰ１０２とＵＥ１０１との間のリンクに関連するビームを変更すべきではないことを示すインジケータを備える。インジケータは、特定の実施形態によれば、例えば、単一ビットまたは「フラグ」であってもよい。いくつかの実施形態によれば、インジケータは、第１のＢＴＰＩまたは第２のＢＴＰＩのうちの１つまたは複数とともに送信され得る。
【００６５】
いくつかの実施形態によれば、第１のＢＴＰＩは、少なくとも２つの異なる送信ビームの使用を含むビーム追跡プロセスに関連付けられる。したがって、ＴＲＰ１０２は、ビームを送信することができ、ある態様によれば、２つの異なる送信ビームのうちの少なくとも１つは、特定の追跡プロセスのための最良の既知の送信ビームである。いくつかの態様では、少なくとも２つの異なる送信ビームは、同じＢＴＰＩ値に関連付けられる。ＴＲＰ１０２は、ＵＥ１０１があらゆる新しいビームを以前に知られていた最良のビームと完全に比較できるように、ＵＥ１０１によって評価されるべき他のビームと共に、既知の最良の送信ビームを送信することができる。
【００６６】
ここで図４Ａおよび４Ｂを参照する。これらの図は、いくつかの実施形態によれば、ＵＥ１０１によって実行される１つまたは複数の処理５００を示すフローチャートである。
【００６７】
処理５００は、ユーザ装置（ＵＥ）が送信ポイント（ＴＲＰ）から、ＴＲＰ１０２とＵＥ１０１との間のアクティブリンクに関連する第１のビーム追跡プロセスインデックス（ＢＴＰＩ）を受信するステップ５０２から開始することができる。ステップ５０４において、ＵＥ１０１は、ＴＲＰ１０２から、ＴＲＰ１０２とＵＥ１０１との間の監視されるリンクに関連する第２のＢＴＰＩを受信する。図３に関して説明したように、アクティブリンクは、例えば、制御データ、シグナリング情報、および／またはペイロードデータを含む、データを送信するために使用されるＴＲＰ１０２の送信ビームおよびＵＥ１０１の受信ビームを指すことができる。監視されるリンクは、例えば、必要に応じて、ＴＲＰ１０２の送信ビーム、および通信のためのバックアップおよび／またはオプションのリンクとして使用されるＵＥ１０１の受信ビームを指すことができる。
【００６８】
ステップ５０６において、ＵＥ１０１は、ＴＲＰ１０２から、ＣＳＩ−ＲＳコンフィギュレーションと、アクティブリンクに関連する第１のＢＴＰＩとを含むメッセージを受信し、ＴＲＰ１０２から、ＵＥ１０１において、ＣＳＩ−ＲＳコンフィギュレーションと、監視されるリンクに関連する第２のＢＴＰＩとを含むメッセージを受信する。特定の代替実施形態によれば、ＴＲＰ１０２からのＢＴＰＩの初期送信（ステップ５０２および５０４）は、１つまたは複数のＣＳＩ−ＲＳコンフィギュレーションの送信を含むことができ、したがって、ステップ５０６を繰り返す必要はないことがある。
【００６９】
ステップ５０８において、ＵＥ１０１は、アクティブリンクのためのＣＳＩ−ＲＳコンフィギュレーションのうちの１つまたは複数に少なくとも部分的に基づいて、アクティブリンクのための好ましい送信ビームを決定する。次いで、ＵＥ１０１は、アクティブリンクのための好ましい送信ビームの識別情報を送信することができる。ステップ５１０において、ＵＥ１０１は、監視されるリンクのための１つまたは複数のＣＳＩ−ＲＳコンフィギュレーションに少なくとも部分的に基づいて、監視されるリンクのための好ましい送信ビームを決定する。次いで、ＵＥ１０１は、監視されるリンクのための好ましい送信ビームの識別情報を送信することができる。特定の実施形態によれば、アクティブおよび／または監視されるリンクのための好ましい送信ビームは、ＢＴＰＩを使用して識別され得る。
【００７０】
ステップ５１２において、ＵＥ１０１は、アクティブリンクのための１つまたは複数のＣＳＩ−ＲＳコンフィギュレーションに少なくとも部分的に基づいて、アクティブリンクのための１つまたは複数のＵＥ受信ビームパラメータのセット（別名、空間フィルタリング構成）を決定する。ＵＥ１０１は、アクティブリンクのための受信ビームパラメータを、第１のＢＴＰＩと共にＵＥ１０１のメモリに格納する。同様に、ステップ５１４において、ＵＥ１０１は、監視されるリンクのための１つまたは複数のＣＳＩ−ＲＳコンフィギュレーションに少なくとも部分的に基づいて、監視されるリンクのための１つまたは複数のＵＥ受信ビームパラメータのセットを決定する。ＵＥ１０１は、監視されるリンクのための受信ビームパラメータを、第２のＢＴＰＩと共にＵＥ１０１のメモリに格納する。特定の実施形態によれば、ＵＥ１０１の受信ビームパラメータは、リンクの送信ビームを適切に受信するために使用されるパラメータである。ＵＥ１０１は、ビームパラメータ（すなわち、空間フィルタリング構成）を受信し、たとえば、１つまたは複数のアンテナ重み（たとえば、振幅および位相シフト値）および／または処理ベクトルを含み得る。いくつかの態様では、処理ベクトルは、複数の受信アンテナからの受信信号を結合するために使用され得、信号の結合または加算の前に、各信号の個々の位相および／または振幅の調整を含む。格納されたＵＥ受信ビームパラメータは、特定のリンク上でＴＲＰ１０２から情報を受信するために使用されてもよい。例えば、データ送受信がアクティブなリンクから監視されるリンクに切り替わる場合、ＵＥ１０１は、最適なパラメータを確立するためにＴＲＰ１０２との追加のシグナリングを必要とせずに、監視されるリンクのためのビームパラメータを受信するＵＥ１０１にアクセスすることができる。
【００７１】
ステップ５１６において、ＵＥ１０１は、アクティブリンクのための格納されたＵＥ受信ビームパラメータにアクセスする。パラメータは、例えば、第１のＢＴＰＩを使用してアクセスすることができる。次いで、ＵＥ１０１は、ＴＲＰ１０２から、アクティブリンクのためのアクセスされたＵＥ受信ビームパラメータを使用して、アクティブリンクのための好ましい送信ビームで制御情報およびデータのうちの１つまたは複数を受信する。ステップ５１８において、例えば、アクティブリンクに中断がある場合、ＵＥ１０１は、例えば、第２のＢＴＰＩを使用して、監視されるリンクのための格納されたＵＥ受信ビームパラメータにアクセスする。次いで、ＵＥ１０１は、監視されるリンクのためのアクセスされたＵＥ受信ビームパラメータを使用して、監視されるリンクのための好ましい送信ビーム上の制御情報およびデータのうちの１つまたは複数をＴＲＰ１０２から受信することができる。
【００７２】
いくつかの実施形態によれば、ステップ５２０に関して、ＵＥ１０１は、第３のビームインデックスを含むメッセージをＴＲＰ１０２から受信することができる。ＴＲＰ１０２の動作に関して説明したように、第３のビームインデックスは、ＵＥ１０１が、ＴＲＰ１０２とＵＥ１０１との間のアクティブリンクまたは監視対象リンクのいずれかに関連するビームを変更すべきではないことを示すインジケータまたは「フラグ」を備えることができる。ステップ５２２において、ＵＥ１０１は、受信されたメッセージに少なくとも部分的に基づいてチャネルテストを実行し、アクティブリンクまたは監視対象リンクのいずれかに対するＵＥ受信ビームパラメータを更新することなく、チャネルテストの結果をＴＲＰ１０２に報告する。チャネルテストは、例えば、ビーム品質測定のような、１つまたは複数のビームの測定であってもよい。測定は、例えば、所与のリンクまたはＣＱＩに対する基準信号受信電力（ＲＳＲＰ）の測定であってもよい。いくつかの実施形態によれば、ＵＥ１０１は、ビーム品質を示す値をメモリに格納することができ、また、最良の既知の送信ビームのビーム品質を示す値をメモリに格納することができる。これらの値は、最良の既知の送信ビームの識別情報を更新するかどうかを決定するために、アクセスされ、比較において使用されてもよい。
【００７３】
いくつかの実施形態では、ＵＥ１０１は、例えば、最良の既知の送信ビームが変更された場合、１つまたは複数のＵＥ受信ビームパラメータを更新することができる。ステップ５２４において、ＵＥ１０１は、ＴＲＰ１０２から、アクティブリンクおよび第１のＢＴＰＩのためのビーム追跡プロセスに関連する少なくとも１つの送信ビームを受信する。次いで、ＵＥ１０１は、例えば、第１のＢＴＰＩを使用して、メモリから、最良の既知の送信ビームに関するビーム品質情報を取得する。次いで、ＵＥ１０１は、取得されたビーム品質情報に少なくとも部分的に基づいて、受信された送信ビームのうちの少なくとも１つを、最良の既知の送信ビームと比較することができる。例えば、ＵＥ１０１は、受信された送信ビームのうちの少なくとも１つのビーム品質値を決定し、その値を、最良に知られている送信ビームの値と比較することができる。いくつかの態様では、値は、ＲＳＲＰ測定またはＣＱＩの結果であってもよい。次いで、比較の結果に応じて、ＵＥ１０１は、１つまたは複数の格納されたＵＥ受信パラメータを更新することができる。このプロセスは、監視されるリンクに適用することもできる。いくつかの実施形態では、ＴＲＰ１０２は、最良の既知のビームを１つまたは複数の他のビームと共に送信することができ、したがって、ＵＥ１０１は、他のビームを最良の既知のビームと直接比較することができる。いくつかの実施形態では、ＴＲＰ１０２は、常に最良の既知のビームを送信することができる。
【００７４】
図５は、いくつかの実施形態によるＵＥ１０１のブロック図である。図５に示すように、ＵＥは、１つまたは複数のプロセッサ６５５（例えば、汎用マイクロプロセッサおよび／または特定用途向け集積回路（ＡＳＩＣ）、フィールドプログラマブルゲートアレイ（ＦＰＧＡ）などの１つまたは複数の他のプロセッサ）を含むことができるデータ処理システム（ＤＰＳ）６０２と、無線アクセスネットワーク（ＲＡＮ）ノード（例えば、ＴＲＰ）と無線通信する際に使用するためのアンテナ６２２に結合された無線送信機６０５および無線受信機６０６と、１つまたは複数の不揮発性記憶デバイスおよび／または１つまたは複数の揮発性記憶デバイス（例えば、ランダムアクセスメモリ（ＲＡＭ））を含むことができるローカル記憶ユニット（別名「データ記憶システム」）を有する。ＵＥが汎用マイクロプロセッサを含む実施形態では、コンピュータプログラムプロダクト（ＣＰＰ）６４１が提供されてもよい。ＣＰＰ ６４１は、コンピュータ可読命令（ＣＲＩ）６４４を含むコンピュータプログラム（ＣＰ）６４３を格納するコンピュータ可読媒体（ＣＲＭ）６４２を含む。ＣＲＭ ６４２は、限定はしないが、磁気媒体（例えば、ハードディスク）、光媒体（例えば、ＤＶＤ）、メモリデバイス（例えば、ランダムアクセスメモリ）などの非一時的なコンピュータ可読媒体とすることができる。いくつかの実施形態では、コンピュータプログラム６４３のＣＲＩ ６４４は、データ処理システム６０２によって実行されると、ＣＲＩがＵＥに上述のステップ（例えば、フローチャートを参照して上述したステップ）を実行させるように構成される。他の実施形態では、ＵＥは、コードを必要とせずに、本明細書で説明されるステップを実行するように構成され得る。すなわち、例えば、データ処理システム６０２は、単に１つまたは複数のＡＳＩＣから構成されてもよい。したがって、本明細書で説明する実施形態の特徴は、ハードウェアおよび／またはソフトウェアで実装することができる。
【００７５】
図６は、いくつかの実施形態によるＴＲＰ１０２のブロック図である。図６に示すように、ＴＲＰは、１つまたは複数のプロセッサ７５５（例えば、汎用マイクロプロセッサ、および／または特定用途向け集積回路（ＡＳＩＣ）、フィールドプログラマブルゲートアレイ（ＦＰＧＡ）などの１つまたは複数の他のプロセッサ）を含むことができるデータ処理システム（ＤＰＳ）７０２と、ＵＥと無線通信する際に使用するためにアンテナ７２２に結合された無線送信機７０５および無線受信機７０６と、１つまたは複数の不揮発性記憶装置および／または１つまたは複数の揮発性記憶装置（例えば、ランダムアクセスメモリ（ＲＡＭ））を含むことができるローカル記憶ユニット（「データ記憶システム」）を有してもよい。ＴＲＰが汎用マイクロプロセッサを含む実施形態では、コンピュータプログラム製品（ＣＰＰ）７４１を提供することができる。ＣＰＰ ７４１は、コンピュータ可読命令（ＣＲＩ）７４４を含むコンピュータプログラム（ＣＰ）７４３を格納するコンピュータ可読媒体（ＣＲＭ）７４２を含む。ＣＲＭ ７４２は、限定はしないが、磁気媒体（例えば、ハードディスク）、光媒体（例えば、ＤＶＤ）、メモリデバイス（例えば、ランダムアクセスメモリ）などの非一時的なコンピュータ可読媒体とすることができる。いくつかの実施形態では、コンピュータプログラム７４３のＣＲＩ ７４４は、データ処理システム７０２によって実行されると、ＣＲＩがＴＲＰに上述のステップ（例えば、フローチャートを参照して上述したステップ）を実行させるように構成される。他の実施形態では、ＴＲＰは、コードを必要とせずに、本明細書で説明されるステップを実行するように構成され得る。すなわち、例えば、データ処理システム７０２は、単に１つまたは複数のＡＳＩＣから構成されてもよい。したがって、本明細書で説明する実施形態の特徴は、ハードウェアおよび／またはソフトウェアで実装することができる。
【００７６】
以下では、本開示によるさらなる実施形態が説明される。
【００７７】
ＴＲＰの実施形態
１. ユーザ装置（ＵＥ）と通信するための送信ポイント（ＴＲＰ）によって実行される方法であって、前記ＴＲＰから前記ＵＥに、前記ＴＲＰと前記ＵＥとの間のアクティブリンクに関連する第１のビーム追跡プロセスインデックス（ＢＴＰＩ）を送信することを含む。
【００７８】
２. 前記ＴＲＰから前記ＵＥに、前記ＴＲＰと前記ＵＥとの間の監視されるリンクに関連する第２のＢＴＰＩを送信するステップをさらに含む、実施形態１記載の方法。
【００７９】
３. 前記第１のＢＴＰＩを送信することは、前記第１のＢＴＰＩと、前記アクティブリンクのための１つまたは複数のチャネル状態基準信号（ＣＳＩ−ＲＳ）コンフィギュレーションとを含むメッセージを送信することを含む、実施形態１または２に記載の方法。
【００８０】
４. ２．前記第２のＢＴＰＩを送信することは、前記監視されるリンクのための第２のＢＴＰＩおよび１つまたは複数のＣＳＩ−ＲＳコンフィギュレーションを含むメッセージを送信することを含む、実施形態２または３に記載の方法。
【００８１】
５. 前記ＴＲＰから前記ＵＥに、前記アクティブリンクに関連するＣＳＩ−ＲＳコンフィギュレーションおよび前記第１のＢＴＰＩを含むメッセージを送信するステップをさらに含む、実施形態１または２に記載の方法。
【００８２】
６. ＴＲＰから前記ＵＥに、ＣＳＩ−ＲＳコンフィギュレーションと、監視されるリンクに関連する第２のＢＴＰＩとを含む第２のメッセージを送信することをさらに含む、実施形態５に記載の方法。
【００８３】
７. 前記ＵＥに報告要求を送信することをさらに含み、前記報告要求は、前記ＵＥが前記ＴＲＰと前記ＵＥとの間のリンクに関連するビームを変更すべきではないことを示すインジケータを含む第３のビームインデックスを含む、先行する実施形態のいずれかに記載の方法。
【００８４】
８. 前記ＵＥに報告要求を送信することをさらに含み、前記第１および第２のＢＴＰＩのうちの少なくとも１つは、前記ＵＥが、前記ＴＲＰと前記ＵＥとの間のアクティブまたは監視されるリンクに関連するビームを変更すべきではないことを示すインジケータを含む、先行する実施形態の何れかに記載の方法。
【００８５】
９. 前記第１のＢＴＰＩが、ビーム追跡プロセスをインジケートし（指し示し）、前記ビーム追跡プロセスが、少なくとも２つの異なる送信ビームの使用を含み、前記２つの異なる送信ビームのうちの少なくとも１つが、前記追跡プロセスのための最良の既知の送信ビームであり、前記少なくとも２つの異なる送信ビームが、同じＢＴＰＩ値に関連付けられる、先行する実施形態のいずれかに記載の方法。
【００８６】
１０. 前記ＵＥから、前記第１の識別が前記第１のＢＴＰＩに関連付けられている、前記アクティブリンクのための送信ビームの第１の識別情報を受信するステップと、前記ＵＥから、前記監視されているリンクのための送信ビームの第２の識別情報を受信するステップであって、前記第２の識別情報が前記第２のＢＴＰＩに関連付けられているステップとをさらに含む、実施形態２〜９のいずれかに記載の方法。
【００８７】
１１. 前記ＵＥに、前記第１および第２の識別された送信ビームのうちの少なくとも１つを使用して、制御情報およびデータのうちの１つまたは複数を送信することをさらに含む、実施形態１０に記載の方法。
１２. 実施形態１〜１１のいずれか１つに記載の方法を実行するように構成されたＴＲＰ。
【００８８】
１３. １２．前記ＴＲＰは、少なくとも１つのプロセッサと、前記少なくとも１つのプロセッサによって実行可能な命令を含むメモリとを含み、前記ＴＲＰは、実施形態１〜１１のいずれか１つを実行するように構成される、実施形態１２に記載のＴＲＰ。
【００８９】
１４. ユーザ装置（ＵＥ）と通信するための送信ポイント（ＴＲＰ）であって、前記ＴＲＰから前記ＵＥに、前記ＴＲＰと前記ＵＥとの間のアクティブリンクに関連する第１のビーム追跡プロセスインデックス（ＢＴＰＩ）を送信するように構成された送信ユニットを備える。
【００９０】
ＵＥ側の実施形態
１５. 送信ポイント（ＴＲＰ）と通信するユーザ装置（ＵＥ）によって実行される方法であって、前記ＵＥにおいて、前記ＴＲＰから前記ＴＲＰと前記ＵＥとの間のアクティブリンクに関連する第１のビーム追跡プロセスインデックス（ＢＴＰＩ）を受信することを含む。
【００９１】
１６. 前記ＵＥにおいて、前記ＴＲＰから前記ＴＲＰと前記ＵＥとの間の監視されるリンクに関連する第２のＢＴＰＩを受信することをさらに含む、実施形態１５に記載の方法。
【００９２】
１７. 前記第１のＢＴＰＩは、前記アクティブリンクのための１つまたは複数のチャネル状態基準信号（ＣＳＩ−ＲＳ）コンフィギュレーションを有するメッセージで受信され、前記第２のＢＴＰＩは、前記監視されるリンクのための１つまたは複数のＣＳＩ−ＲＳコンフィギュレーションを有するメッセージで受信される、実施形態１６に記載の方法。
【００９３】
１８. 前記ＵＥにおいて、前記ＴＲＰからＣＳＩ−ＲＳコンフィギュレーションと前記アクティブリンクに関連する第１のＢＴＰＩとを含むメッセージを受信するステップと、前記ＴＲＰから、ＣＳＩ−ＲＳコンフィギュレーションと、前記監視されるリンクに関連する第２のＢＴＰＩとを含むメッセージを受信するステップとをさらに含む、実施形態１６に記載の方法。
【００９４】
１９. 前記アクティブリンクに対する前記１つまたは複数のＣＳＩ−ＲＳコンフィギュレーションに少なくとも部分的に基づいて、前記アクティブリンクに対する好ましい送信ビームを決定するステップと、前記ＵＥから前記ＴＲＰへ、前記アクティブリンクに対する前記好ましい送信ビームの識別を送信するステップと、前記監視されるリンクに対する前記１つまたは複数のＣＳＩ−ＲＳコンフィギュレーションに少なくとも部分的に基づいて、前記監視されるリンクに対する好ましい送信ビームを決定するステップと、前記ＵＥから前記ＴＲＰへ、前記監視されるリンクに対する前記好ましい送信ビームの識別を送信するステップとをさらに含む、実施形態１７または１８に記載の方法。
【００９５】
２０. 前記アクティブリンクの前記１つまたは複数のＣＳＩ−ＲＳコンフィギュレーションに少なくとも部分的に基づいて、前記アクティブリンクのための１つまたは複数のＵＥ受信ビームパラメータのセットを決定することと、前記ＵＥのメモリに、前記第１のＢＴＰＩと共に、前記アクティブリンクのための前記１つまたは複数のＵＥ受信ビームパラメータを格納することと、前記監視されるリンクのための前記１つまたは複数のＣＳＩ−ＲＳコンフィギュレーションに少なくとも部分的に基づいて、前記監視されるリンクのための１つまたは複数のＵＥ受信ビームパラメータのセットを決定することと、前記メモリに、前記第２のＢＴＰＩと共に、前記監視されるリンクのための一つまたは複数の受信ビームパラメータを格納するステップとをさらに有する、実施形態１９に記載の方法。
【００９６】
２１. 前記アクティブリンクの前記格納されたＵＥ受信ビームパラメータは、１つまたは複数のアンテナ重みを含み、前記監視されるリンクの前記格納されたＵＥ受信ビームパラメータは、１つまたは複数のアンテナ重みを含む、実施形態２０に記載の方法。
【００９７】
２２. 前記アンテナ重みは、振幅および位相シフト値のうちの１つまたは複数を含む、実施形態２１に記載の方法。
【００９８】
２３. 前記格納されたＵＥは、前記アクティブリンクのためのビームパラメータを受信し、前記格納されたＵＥは、１つまたは複数の処理ベクトルを含み、前記監視されるリンクのための前記格納されたＵＥ受信ビームパラメータは、１つまたは複数の処理ベクトルを含む、実施形態２０に記載の方法
２４. 前記第１のＢＴＰＩを使用して前記アクティブリンクの前記格納されたＵＥ受信ビームパラメータにアクセスするステップと、前記ＴＲＰから前記アクティブリンクの前記アクセスされたＵＥ受信ビームパラメータを使用して前記アクティブリンクの前記好ましい送信ビームに関する制御情報およびデータのうちの１つまたは複数を前記ＵＥで受信するステップと、前記第２のＢＴＰＩを使用して前記格納されたＵＥ受信ビームパラメータにアクセスするステップと、前記ＴＲＰから前記ＵＥで前記監視されるリンクの前記アクセスされたＵＥ受信ビームパラメータを使用して前記監視されるリンクの前記好ましい送信ビームに関する制御情報およびデータのうちの１つまたは複数を前記ＵＥで受信するステップとをさらに含む、実施形態２０または２３に記載の方法。
【００９９】
２５. さらに、前記ＴＲＰから前記ＵＥにおいて、第３のビーム指標を含むメッセージを受信するステップであって、前記第３のビーム指標は、前記ＴＲＰと前記ＵＥとの間の前記アクティブリンクまたは監視対象リンクのいずれかに関連するビームを変更すべきでないことを示すインジケータを含み、前記受信したメッセージに少なくとも一部基づいてチャネル試験を実行し、前記アクティブリンクまたは監視対象リンクのいずれかについてＵＥ受信ビームパラメータを更新することなく、前記チャネル試験の結果を前記ＴＲＰに報告するステップを含む、実施形態１６〜２４のいずれかに記載の方法。
【０１００】
２６. 前記ＵＥにおいて、前記ＴＲＰから前記アクティブリンクおよび前記第１のＢＴＰＩのための前記ビーム追跡プロセスに関連する第１および第２の送信ビームを受信するステップであって、前記第１の送信ビームが最良の既知の送信ビームであるステップと、前記第１のＢＴＰＩを使用して前記ＵＥのメモリから前記第１の送信ビームに関連する第１のビーム品質値を取得するステップと、前記第２の送信ビームのための第２のビーム品質値を決定するステップと、前記第１および第２のビーム品質値を比較するステップと、前記比較に基づいて１つまたは複数の格納されたＵＥ受信ビームパラメータを更新するステップとを有する、先行するいずれかの実施形態に記載の方法。
【０１０１】
２７. 前記ＴＲＰから前記ＵＥにおいて、前記アクティブリンクおよび前記第１のＢＴＰＩのための前記ビーム追跡プロセスに関連する少なくとも１つの送信ビームを受信するステップと、前記第１のＢＴＰＩを使用して前記ＵＥのメモリから、最良の既知の送信ビームに関するビーム品質情報を取得するステップと、前記取得されたビーム品質情報に少なくとも部分的に基づいて、前記受信された送信ビームの少なくとも１つを前記最良の既知の送信ビームと比較するステップと、前記比較に基づいて、１つまたは複数の格納されたＵＥ受信パラメータを更新するステップと、を有する、先行するいずれかの実施形態に記載の方法。
【０１０２】
２８. 実施形態１５〜２７のいずれか１つの方法を実行するように構成されたＵＥ。
【０１０３】
２９. 前記ＵＥは、少なくとも１つのプロセッサと、前記少なくとも１つのプロセッサによって実行可能な命令を含むメモリとを備え、前記ＵＥは、実施形態１５〜２７のいずれか１つを実行するように構成される、実施形態２８に記載のＵＥ。
【０１０４】
３０. 送信ポイント（ＴＲＰ）と通信するためのユーザ装置（ＵＥ）であって、前記ＴＲＰから前記ＵＥにおいて、前記ＴＲＰと前記ＵＥとの間のアクティブリンクに関連する第１のビーム追跡プロセスインデックス（ＢＴＰＩ）を受信するように構成された受信ユニットを備える。
【０１０５】
追加開示：
以下の本文は、本願が優先権を主張する、２０１７年６月１５日に出願された米国仮出願第６２／５２０，０７８号により提出された付録からの資料である。
【０１０６】
タイトル：  ＤＬビームインジケーション
アジェンダ項目：  ５.１.２.２.１
下記の文書：  審議・決定
------------------------------------------------------------------------------
１  導入
以前の会議では、多重ビームペアリンク（ＢＰＬ）およびビーム関連表示の処理に関連して、以下の合意がなされている。
------------------------------------------------------------------------------
合意事項１：
・  ＮＲ−ＰＤＣＣＨ送信は、ビームペアリンクブロッキングに対するロバスト性をサポートする
−  ＵＥはＭ個のビームペアリンク上のＮＲ−ＰＤＣＣＨを同時に監視するように設定され、
・  ここで、Ｍ＞＝１である。Ｍの最大値は、少なくともＵＥ能力に依存し得る。
【０１０７】
・  ＦＦＳ: ＵＥは、ＮＲ−ＰＤＣＣＨ受信のためにＭの中から少なくとも１つのビームを選択することができる。
【０１０８】
−  ＵＥは、異なるＮＲ−ＰＤＣＣＨ ＯＦＤＭシンボルにおいて異なるビームペアリンク上でＮＲ−ＰＤＣＣＨを監視するように構成されることができる。
【０１０９】
−  ....
合意事項２：
・  ＵＥ側ビームフォーミング／受信をアシストするために空間ＱＣＬ仮定のための低オーバーヘッドインジケーションを目的とする。
【０１１０】
−  ＦＦＳ詳細（例えば、タグが以前のＣＳＩ−ＲＳリソースを参照するタグベース、以前の測定レポートを参照するＢＰＬベース、ＲＲＣによって構成された複数のリソース（セット）のうちの１つのリソース（セット）の指示、ＣＳＩ−ＲＳリソース／ポートインデックスベースなど）
合意事項３：
・  ２つのＣＳＩ−ＲＳリソースのアンテナポート間のＱＣＬの指示がサポートされる。
【０１１１】
−  デフォルトでは、２つのＣＳＩ−ＲＳリソースのアンテナポート間でＱＣＬを仮定すべきではない。
【０１１２】
−  部分ＱＣＬパラメータ（例えば、ＵＥ側の空間ＱＣＬパラメータのみ）が考慮されるべきである。
【０１１３】
・  ダウンリンクの場合、ＮＲは、ビーム関連指示の有無にかかわらずＣＳＩ−ＲＳ受信をサポートする。
【０１１４】
−  ビーム関連指示が提供される場合、ＣＳＩ−ＲＳベースの測定のために使用されるＵＥ側ビームフォーミング／受信手順に関する情報は、ＱＣＬを通じてＵＥに示されることができる。
【０１１５】
−  ＱＣＬ情報は、ＣＳＩ−ＲＳポートのＵＥ側受信のための空間パラメータを含む。
【０１１６】
・  ＦＦＳ：ＱＣＬ以外の情報
合意事項４：
・  ユニキャストＤＬデータチャネルの受信のために、ＤＬ ＲＳアンテナポートとＤＬデータチャネルのＤＭＲＳアンテナポートとの間の空間ＱＣＬ仮定のサポート表示：ＲＳアンテナポートを示す情報は、ＤＣＩ (ダウンリンク許可）を介して示される。
【０１１７】
−  この情報は、ＤＭＲＳアンテナ・ポートとＱＣＬされるＲＳアンテナ・ポートを示す。
【０１１８】
・  ＦＦＳ：インジケーションの詳細
・  例えば、ＲＳポート／リソースＩＤの明示的な指示、または暗黙的に導出される。
【０１１９】
−  ....
合意事項５：
・  ....
・  ＵＥ特有のＮＲ−ＰＤＣＣＨのためのＱＣＬの構成は、ＲＲＣおよびＭＡＣ-ＣＥ信号による。
【０１２０】
−  なお、ＭＡＣ−ＣＥは必ずしも必要ではない。
【０１２１】
−  ＦＦＳ：ＤＣＩシグナリングの必要性
−  注：例えば、ＤＬ ＲＳは、遅延拡散、ドップラー拡散、ドップラーシフト、および平均遅延パラメータ、空間パラメータのために、ＰＤＣＣＨのＤＭＲＳでＱＣＬされる。
------------------------------------------------------------------------------
------------------------------------------------------------------------------
２  議論
前の参考文献［１］で論じたように、ビーム管理は、例えば、短いパケットデータセッションのために、単一のビームペアリンク（ＢＰＬ）が確立されるベースライン手順を含むことができる。より長いデータセッションの場合、複数のＢＰＬが確立される拡張プロシージャを呼び出すことができる。これは、例えば、ｇＮＢが複数のＢＰＬ上で同時にまたはＴＤＭ方式でＰＤＣＣＨを送信することができるＰＤＣＣＨロバスト性を達成するために有益であり得る（上記の合意事項＃１を参照）。別の例は、マルチパネル／マルチＴＲＰ展開における高ランクＰＤＳＣＨ送信を達成するための複数のＢＰＬの使用である。複数のＢＰＬが確立されるシナリオでは、ＰＤＳＣＨ／ＰＤＣＣＨを受信するために、（ビームフォーミング重み、アンテナ重み、プリコーディング重み、プリコーディングベクトルなどのうちの１つまたは複数を含む）そのＲｘ空間フィルタリング構成を設定する際に、ＵＥに支援を提供するために、何らかの形態のビーム関連指示が必要とされる［２］。これは、例えば、ＵＥがデータおよび／または制御信号を受信することができる前に、ＵＥがビームフォーミング重みを適用しなければならないアナログビームフォーミングの文脈において特に重要である。ビームフォーミング重みは、典型的には、ＣＳＩ−ＲＳに基づく１つまたは複数の以前のビーム管理測定手順において決定される。
【０１２２】
２.１  Ｍｅａｓｕｒｅｍｅｎｔ Ｉｎｄｉｃａｔｏｒ (ＭＩ) の定義
用語ＢＰＬを含むいくつかの合意がなされているが、用語自体は正式には定義されていない。前回の会議では、次のような提案がＷＦで行われた［１］。
【０１２３】
ＢＰＬは、ＴＸ／ＲＸ空間フィルタリング構成に従って送信／受信される基準信号（例えば、ＣＳＩ−ＲＳ、ＳＳ、ＳＲＳ）上のＵＥまたはｇＮＢ測定（例えば、ＲＳＲＰ／ＣＳＩ）によって定義される。
【０１２４】
ＢＰＬ用語を含む複数の合意にもかかわらず、ＲＡＮ１にはこの用語の使用に対する抵抗性があるようである。本発明者らの見解では、用語自体は、明細書に明示的に現れない場合であっても、議論の目的のために依然として有用である。ここでは、いくつかの懸念を潜在的に軽減するために、ビーム関連指示に必要とされる重要な側面を捉えると考えられる、より一般的な用語を提案する。
【０１２５】
本発明者らは、重要な態様は、ＵＥが、ＤＬ基準信号リソースのセットに対して測定を実行し、１つまたは複数の好ましいリソースを示す測定レポートを提供することであることを観察する。次いで、ＰＤＳＣＨ／ＰＤＣＣＨの受信のためのＵＥ側ビームフォーミングを支援するために、ならびに特定のＢＰＬを更新／改良するために、ビーム指示が使用されるときに、測定値を参照し、および／または報告するために、いくつかの形態のインジケータが必要とされる。この観察に基づいて、我々は、測定インジケータ（ＭＩ）の以下の定義を提案する。
【０１２６】
提案 １  ビーム管理のために、測定インジケータ（ＭＩ）はＮＲでサポートされ、次の２つの項目を一緒に参照できるようにする：（１）１つまたは複数の基準信号リソース（例えば、ＣＳＩ−ＲＳ、ＳＳ、ＳＲＳ）上で、１つまたは複数の空間フィルタリング構成に従って１つまたは複数の事前スロットで送受信される、ＵＥまたはｇＮＢ測定（例えば、ＲＳＲＰ、ＣＳＩ）；（２）好ましい基準信号リソース（例えば、ＣＲＩ、ＳＲＩ、ＳＳブロックの暗黙のインジケータ）への１つまたは複数のインジケータを含む関連測定レポート。ＦＦＳ：ＭＩの詳細なフォーマット。
【０１２７】
代替案：
ビーム管理のために、測定インジケータ(ＭＩ) (別名、ＢＴＰＩまたはＴＣＩ）が、以前に受信されたＣＳＩ−ＲＳの空間ＱＣＬ特性への参照を可能にするためにサポートされる。
【０１２８】
２.２  複数のＢＰＬのメンテナンス
ＣＳＩ−ＲＳに基づく所与のＤＬビーム管理手順中に、ＵＥは、ビームフォーミングされたＣＳＩ−ＲＳリソースの設定に対して測定を実行し、ここで、ビームフォーミングは、例えば、ＴＲＰカバレージエリアの一部を横切って掃引するように構成され得る。Ｐ２手順の場合、ＵＥは、１つまたは複数の好ましいＣＳＩ−ＲＳリソースに対応するインデックスまたは識別子（ＣＲＩ）、ならびに対応する測定値（複数可）、たとえば、ＲＳＲＰまたはＣＳＩパラメータＣＱＩ、ＲＩ、ＰＭＩを報告する。報告されたＣＲＩは、ＵＥの観点から見た好ましいｇＮＢ Ｔｘビームを示す。Ｐ３またはジョイントＰ２／Ｐ３手順の場合、ＵＥはまた、そのＲｘ空間フィルタリング構成（ビームフォーミング重み）を適合させて、好ましいｇＮＢ Ｔｘビーム（１つまたは複数）のそれぞれに対応する好ましいＵＥＲｘビームを見つけることができる。
【０１２９】
ビーム管理のための測定及び報告の構成は、合意されたＣＳＩ／ビーム管理フレームワークにおいて取り扱われる。説明のために、図７は、ＲＳＲＰまたはＣＳＩのいずれかの報告に基づくＰ２およびＰ３手順に対応する３つの異なる報告設定からなる構成フレームワークのための例示的なセットアップを示す。任意の所与の時間に、測定は、リソース設定内で定義された３つの異なるリソースセットのうちの１つを使用して実行される。様々な設定およびセットは、ＲＲＣを使用して構成される。次いで、フレームワークで合意されたように、レポート設定およびリソースセットが動的に選択される。例えば、図７は、ＵＥがＲＳＲＰおよび１つまたは複数のＣＲＩを報告する非周期的Ｐ２ビーム掃引に対応して動的に選択される報告設定１を示す。タンデムでは、リソースセット１内のリソースセット１が動的に選択され、Ｐ２ビーム掃引のための８つのＣＳＩ−ＲＳリソースを含む。
【０１３０】
上記のフレームワークを使用して、各ＢＰＬに関連する測定値および報告を別々にトリガし、各ＢＰＬに関連する好ましい空間フィルタリング構成を適切に追跡することによって、複数のＢＰＬを確立し、維持することができる。追跡を維持するために、測定インジケータ（ＭＩ）の概念は有用であり、ＭＩの異なる値は、異なるＢＰＬに関連付けられる。以下で論じるように、測定が特定のＢＰＬのＣＳＩ−ＲＳリソースの設定上でトリガされるたびに、ＭＩがトリガメッセージに含まれる。維持されるＢＰＬの数は、かなり少ない可能性が高いので、ＭＩは、低いオーバーヘッド、例えば、２ビットで定義することができ、４つまでのＢＰＬの維持を可能にする。低いオーバーヘッドのために、少なくとも非周期的なＣＳＩ測定および報告をトリガするために使用されるのと同じＤＣＩであり得るＭＩをＤＣＩに含めることが実用的である。定期的なＣＳＩ測定および報告のためにＭＩを使用することは、ＦＦＳである。
【０１３１】
複数のＢＰＬを維持する場合、測定および報告がｇＮＢによってトリガされるたびに、ｇＮＢは、ＵＥによって報告される好ましいＣＳＩ−ＲＳリソースのＣＲＩに対応するＴｘ空間フィルタリング構成（Ｔｘビーム）に、あるＭＩを関連付けるべきである。さらに、ＵＥは、特定のＭＩを、好ましいＣＳＩ−ＲＳリソースに関連するＲｘ空間フィルタリング構成（Ｒｘビーム）に関連付けるべきである。このようにして、将来、同じＭＩがスケジューリングＤＣＩにおいてＵＥに示される場合、ＵＥは、以前に送信されたＣＳＩ−ＲＳリソースをそのメモリから受信するために使用したＲｘ空間フィルタリング構成を取り出すことができる。この指示は、別のＤＬ信号、すなわち、ＰＤＳＣＨ、ＰＤＣＣＨ、またはＣＳＩ−ＲＳの別の設定を効果的に受信するために、ＵＥ側ビームフォーミングを支援することができる。絶対ビームインデックスは必要とされず、ＭＩは、ＴｘおよびＲｘビームに対する相対基準として機能することに留意されたい。
【０１３２】
ＭＩ = ｂでのＰ２ビーム掃引の場合、ｇＮＢは、それぞれが異なるようにビーム形成されるＣＳＩ−ＲＳリソースの設定上で測定をトリガする。この手順では、ＵＥは、複数のｇＮＢ Ｔｘビームを評価しながら、そのＲｘビームを一定に保つ。この場合、ＵＥは、どのＲｘ空間フィルタリング構成（Ｒｘビーム）が現在ＭＩ = ｂに関連付けられているかをメモリからルックアップすることができる。ＵＥは、そのＲｘビームをＰ２に対して一定に保持すべきであるので、メモリから取り出されたＲｘビームを使用して、ＣＳＩ−ＲＳリソースの新しいセットを受信することができる。本質的に、ＵＥは、新しいＣＳＩ−ＲＳリソースが、ＭＩ = ｂに対応する以前の測定およびレポートからの好ましいＣＳＩ−ＲＳリソースを有する空間的にＱＣＬであると仮定することができる。前述したように、最大４つのＢＰＬ（ｂ∈０,１,２,３）をサポートするために、ＤＣＩメッセージには２ビットしか必要とされない。これは、ＭＩ = ｂに関連するＢＰＬの更新が最後に更新されたときに送信された好ましいＣＳＩ−ＲＳリソースを一意に示す。
【０１３３】
ｇＮＢは、Ｐ２ビーム掃引をスケジュールする前に、ＭＩ = ｂに関連付けられたＢＰＬが最後に更新されたときに、どのＴｘ空間フィルタリング構成（Ｔｘビーム）がＵＥ報告ＣＲＩに関連付けられたかをメモリから調べることもできる。これは、例えば、現在の「最良の」Ｔｘビームが、新しい、より良好なビームが見出される場合の比較結果として使用されるＰ２ビーム掃引に含まれることを確実にするために有用であり得る。これは、ＵＥがＲＳＲＰなどの絶対量を測定し、報告する場合に重要である。
【０１３４】
ＭＩ = ｂでのＰ３ビーム掃引の場合、ｇＮＢは、ｇＮＢがそのＴｘ空間フィルタリング構成（Ｔｘビーム）を固定に保持する１つまたは複数のＣＳＩ−ＲＳリソースの設定上で測定をトリガする。この場合、ＵＥは、何らかの方法で、ｇＮＢがそのＴｘビームを一定に保つことを知らされる必要があり、したがって、ＵＥがそのＲｘビームを変化させることを可能にする。本質的に、ＵＥは、新しいＣＳＩ−ＲＳリソースが、ＭＩ = ｂに対応する以前の測定および報告からの好ましいＣＳＩ−ＲＳリソースを有する空間的にＱＣＬであることはできない。これは、例えば、これがＰ３ビーム掃引であるか否かをＵＥに通知するために、別個の［１ビット］フラグを介して行うことができる。このフラグが、動的にＵＥにシグナリングされるべきか、または、例えば、Ｐ３ビーム掃引に対応するレポートまたはリソース設定内で、より高い層を介して構成されるべきかは、ＦＦＳである（図７参照）。いずれにしても、ＵＥは、新しいＣＳＩ−ＲＳリソースが、ＭＩ = ｂに対応する以前の測定およびレポートからの好ましいＣＳＩ−ＲＳリソースを有する空間的にＱＣＬであると仮定すべきではない。新しい好ましいＲｘビームが見つかった場合、ＵＥは、ＭＩ = ｂに関連するＲｘ空間フィルタリング構成を更新すべきである。Ｔｘビームは固定されたままであるので、ｇＮＢが更新されたＴｘ空間フィルタリング構成をＭＩ = ｂに関連付ける必要はなく、ＵＥがＣＲＩを報告する必要もない。しかしながら、リンク適応をサポートするために、ＵＥが他のＣＳＩ成分（ＣＱＩ、ＰＭＩ、ＲＩ）を報告することは、依然として有益である。
【０１３５】
提案 ２  ＮＲは、測定をトリガし、ビーム管理目的のために使用されるＣＳＩ−ＲＳリソースの設定について報告するときに、ＤＣＩにおける測定インジケータ（ＭＩ）の動的指示をサポートする。ＭＩは、長さ［２］ビットのメッセージフィールドである。
【０１３６】
この提案は、ビーム管理手順が、ｇＮＢとＵＥとの間で複数のＢＰＬを確立し、維持することを可能にする。合意事項＃２および３に従って、測定インジケータ（ＭＩ）の信号は、ＣＳＩ−ＲＳの受信を支援するための低オーバーヘッドのビーム関連指示アプローチとして機能する。暗黙のうちに、これは、現在のＣＳＩ−ＲＳの設定と、各ＢＰＬに関連する以前に報告された好ましいＣＳＩ−ＲＳとの間のＱＣＬ関係を示す。
【０１３７】
２.３  ＰＤＳＣＨのビーム表示
マルチＢＰＬシナリオでは、ＰＤＳＣＨを受信するためにそのＲｘ空間フィルタリング構成を設定する際に、ＵＥに支援を提供するために、何らかの形態のビーム関連指示が必要とされる。上記の合意事項＃４で述べたように、ＵＥに対する支援は、ＰＤＳＣＨ ＤＭＲＳアンテナポートとＤＬ ＲＳアンテナポートとの間の空間ＱＣＬ仮定の形成である。ＣＳＩ−ＲＳに基づくビーム管理の場合、問題のＤＬ ＲＳは、当然、ＣＳＩ−ＲＳ、特に、特定のＢＰＬについて以前に測定され報告された好ましいＣＳＩ−ＲＳリソースである。
【０１３８】
この支援をＵＥに提供することは、ＭＩ値をスケジューリングＤＣＩに含めることによって、非常に単純かつ自然な方法で処理することができる。そのような動作を示すために、図８は、図７に拡大され、図７では、フレームワークから異なる測定レポートを動的に選択することに基づく測定シーケンスの例が示されている。ＭＩ = １で示される第１のＢＰＬに対応するＰ２およびＰ３ビーム掃引が順次実行され（緑）、続いてＭＩ = ２（赤）で示される第２のＢＰＬに対応する順次Ｐ２およびＰ３ビーム掃引が実行される。ＤＬデータは、その後、一連の測定が実行された後に、ビーム関連指示を用いてＵＥのためにスケジュールされる。この例では、スケジューリングＤＣＩは、ＭＩ = １を示すフィールドを含む。このＭＩを受信した後、ＵＥは、ＰＤＳＣＨ ＤＭＲＳが、最も最近の測定における好ましいＣＳＩ−ＲＳリソースを有する空間的にＱＣＬであると仮定することができ、トリガは、ＭＩ = １を含む。これは、ＵＥが、ＭＩ = １に対応する最新の測定において好ましいＣＳＩ−ＲＳリソースを受信するために使用されたのと同じＲｘ空間フィルタリング構成を使用して、ＰＤＳＣＨを受信することができることを意味する。この意味で、ＭＩはＱＣＬプロキシと見なすことができる。
【０１３９】
提案 ３  ＮＲは、スケジューリングＤＣＩに測定インジケータ（ＭＩ）を含めることによって、ＰＤＳＣＨ送信のためのビーム関連指示をサポートする。ＭＩは、長さ［２］ビットのメッセージフィールドである。
【０１４０】
提案 ４  スケジューリングＤＣＩが測定インジケータ（ＭＩ）を含む場合、ＵＥは、ＰＤＳＣＨ ＤＭＲＳが、測定インジケータに関連する最新の測定からの好ましいＣＳＩ−ＲＳリソースを有する空間的にＱＣＬであると仮定することができる。
【０１４１】
２.４  ＰＤＣＣＨのビーム表示
上記の合意事項＃５は、ＵＥ特有のＰＤＣＣＨのためのＱＣＬの構成は、ＲＲＣおよびＭＡＣ-ＣＥ信号によるものであり、ＭＡＣ-ＣＥは必ずしも必要ではないことを述べている。さらに、ＤＣＩ信号が必要か否かはＦＦＳである。ここで、我々は、ＲＲＣ単独で十分であるかもしれないと主張する。
【０１４２】
ＰＤＳＣＨについての前のセクションで論じたように、ＵＥは、あるＭＩ値に関連する測定を実行するたびに、好ましいＣＲＩを報告し、シグナリングされたＭＩ値に対応する好ましいＵＥ空間Ｒｘフィルタリング構成（複数可）（例えば、アナログＲｘビーム（複数可））を更新する。このようにして、ＵＥは、ＭＩに基づくビーム関連指示がシグナリングされる後の時点でＰＤＳＣＨを受信するための受信機構成を選択するように準備される。
【０１４３】
ＰＤＣＣＨの場合、動的（例えば、ＤＣＩまたはＭＡＣ-ＣＥ）ビーム関連指示が必要とされないかもしれず、常に実現可能でないことを除いて、同様の報告／更新手順が使用されてもよい。アナログビームフォーミングでは、ＵＥは、信号を受信する前に、そのＲｘビームフォーミング重みを適用しなければならない。制御信号を受信する場合、ＵＥは、ビームフォーミングにおける支援のために制御信号自体に依存することができず、これは、ニワトリと卵の問題である。
【０１４４】
代わりに、ＰＤＣＣＨ監視の目的のために、ＰＤＣＣＨを測定インジケータの少なくとも１つの値、すなわち少なくとも１つのＢＰＬに関連付けることを提案する。ＵＥがＰＤＣＣＨを受信するために仮定するＭＩ値は、上位レイヤ（ＲＲＣ）によって構成される。あるいは、単一のＢＰＬのみのＰＤＣＣＨ監視の場合、ＭＩ = １が常に想定されることを、仕様書に書き込むことができる。このようにして、ＵＥは、図８に示すＰＤＳＣＨをスケジューリングするＰＤＣＣＨを受信すると、ＭＩ = １に対応する最新の報告において、ＰＤＣＣＨ ＤＭＲＳが空間的にＱＣＬであり、好ましいＣＳＩ−ＲＳリソースを有すると仮定することができる。
【０１４５】
ＰＤＣＣＨは、単一のＭＩ値に関連付けられる必要はないことに留意されたい。上記の合意事項＃１によれば、Ｍ個のＢＰＬは、同時に、またはＴＤＭ方式で、ＰＤＣＣＨ監視のために構成することができる。この場合、ＵＥは、Ｍ個の異なるＭＩ値で構成することができる。さらに、ＰＤＣＣＨが関連付けられるＭＩ値は、ＰＤＳＣＨ受信のために動的に示されるＭＩ値と同じであっても、異なっていてもよい。例えば、より広いビーム幅が、ビーム掃引においてより少ないリソースを必要とするＰＤＣＣＨのために使用される場合、ＰＤＣＣＨのための異なるＢＰＬが維持され得る。あるいは、ＰＤＣＣＨのためのビーム掃引は、ＰＤＳＣＨと比較して異なる時間領域粒度内で実行されてもよく、したがって、異なるＢＰＬの使用を動機付けてもよい。
【０１４６】
提案 ５  ＵＥ固有ＰＤＣＣＨの受信のためのＱＣＬ仮定の表示は、ＲＲＣ構成のみによって、すなわち、動的表示（ＭＡＣ-ＣＥまたはＤＣＩ）なしで、ＵＥ固有ＰＤＣＣＨを１つまたは複数の測定インジケータ（ＭＩ）に関連付けることによって達成され得る。
【０１４７】
提案 ６  ＰＤＣＣＨの受信のために、ＵＥは、ＰＤＣＣＨ ＤＭＲＳが、構成された測定インジケータ（複数可）に関連付けられた最新の測定レポート（複数可）からの好ましいＣＳＩ−ＲＳリソース（複数可）を有する空間的にＱＣＬであると仮定することができる。
【０１４８】
２.５  ビームグループ報告のためのビームインジケーション
この寄与における説明の多くは、異なるビームペアリンク（ＢＰＬ）に関する測定および報告に別々に焦点を当ててきたが、基本的なアプローチは、測定がＣＳＩ−ＲＳリソースの１つまたは複数の設定で実行され、複数のＣＲＩがＣＳＩ報告に含まれるビームグループ報告をサポートするように拡張することもできる。複数のＣＲＩは、どのｇＮＢ Ｔｘビーム（複数可）が、仮想的な高ランク送信においてＵＥによって同時に受信され得るかに従ってグループ化される。提案された測定インジケータは、一般に、リソースに関する測定および好ましいリソースの報告を指し示すという意味であるので、Ｔｘビームのグループを等しく良好に表すことができる。しかし、いくつかの詳細は、さらに研究する必要がある。例えば、ｇＮＢによって実際に使用されるよりも多くのグループが報告される場合、ＭＩの上に追加の信号が必要とされ得る。そのような報告のゲインは、特に追加のオーバーヘッドを考慮すると、明確ではないので、第１のステップとして以下を提案する。
【０１４９】
提案 ７  ビーム管理のために、ＮＲは、少なくともビームグループ報告が構成されていない場合に、ビーム関連指示のために、測定インジケータ（ＭＩ）の動的信号をサポートする。ＦＦＳ：ビームグループ報告のためのビーム関連インジケーション。
------------------------------------------------------------------------------
３  結論
この貢献における議論に基づいて、我々は以下を提案する。
【０１５０】
提案 １  ビーム管理のために、測定インジケータ（ＭＩ）はＮＲでサポートされ、次の２つの項目を一緒に参照できるようにする：（１）１つまたは複数の基準信号リソース（例えば、ＣＳＩ−ＲＳ、ＳＳ、ＳＲＳ）上で、１つまたは複数の空間フィルタリング構成に従って１つまたは複数の事前スロットで送受信される、ＵＥまたはｇＮＢ測定（例えば、ＲＳＲＰ、ＣＳＩ）；（２）好ましい基準信号リソース（例えば、ＣＲＩ、ＳＲＩ、ＳＳブロックの暗黙のインジケータ）への１つまたは複数のインジケータを含む関連測定レポート。ＦＦＳ：ＭＩの詳細なフォーマット。
【０１５１】
提案 ２  ＮＲは、測定をトリガし、ビーム管理目的のために使用されるＣＳＩ−ＲＳリソースの設定について報告するときに、ＤＣＩにおける測定インジケータ（ＭＩ）の動的指示をサポートする。ＭＩは、長さ［２］ビットのメッセージフィールドである。
【０１５２】
提案 ３  ＮＲは、スケジューリングＤＣＩに測定インジケータ（ＭＩ）を含めることによって、ＰＤＳＣＨ送信のためのビーム関連指示をサポートする。ＭＩは、長さ［２］ビットのメッセージフィールドである。
【０１５３】
提案 ４  スケジューリングＤＣＩが測定インジケータ（ＭＩ）を含む場合、ＵＥは、ＰＤＳＣＨ ＤＭＲＳが、測定インジケータに関連する最新の測定からの好ましいＣＳＩ−ＲＳリソースを有する空間的にＱＣＬであると仮定することができる。
【０１５４】
提案 ５  ＵＥ固有ＰＤＣＣＨの受信のためのＱＣＬ仮定の表示は、ＲＲＣ構成のみによって、すなわち、動的表示（ＭＡＣ-ＣＥまたはＤＣＩ）なしで、ＵＥ固有ＰＤＣＣＨを１つまたは複数の測定インジケータ（ＭＩ）に関連付けることによって達成され得る。
【０１５５】
提案 ６  ＰＤＣＣＨの受信のために、ＵＥは、ＰＤＣＣＨ ＤＭＲＳが、構成された測定インジケータ（複数可）に関連付けられた最新の測定レポート（複数可）からの好ましいＣＳＩ−ＲＳリソース（複数可）を有する空間的にＱＣＬであると仮定することができる。
【０１５６】
提案 ７  ビーム管理のために、ＮＲは、少なくともビームグループ報告が構成されていない場合に、ビーム関連指示のために、測定インジケータ（ＭＩ）の動的信号をサポートする。ＦＦＳ：ビームグループ報告のためのビーム関連インジケーション。
------------------------------------------------------------------------------
４  引用文献
［１］  Ｒ１−１７０２６７４、" ＤＬビーム管理概要"，Ｅｒｉｃｓｓｏｎ、ＲＡＮ１＃８８，Ｆｅｂｒｕａｒｙ ２０１７．
【０１５７】
［２］  Ｒ１−１７０２６７６、"Ｏｎ ＤＬ ｂｅａｍ ｉｎｄｉｃａｔｉｏｎ," Ｅｒｉｃｓｓｏｎ、ＲＡＮ１＃８８、Ｆｅｂｒｕａｒｙ ２０１７．
［３］  Ｒ１−１７０６６４１、"ＷＦ ｏｎ ＢＰＬ ｄｅｆｉｎｉｔｉｏｎ," Ｎｏｋｉａ、ＲＡＮ１＃８８ｂ、Ａｐｒｉｌ ２０１７．
上記３つの同定された基準の各々は、２０１６年１１月４日に出願された米国仮出願第６２／４１７，７８５号の出願日後に公開された。本出願は、この仮出願に対する優先権を主張する。
【０１５８】
結論：
本開示の様々な実施形態が上記で説明されているが、それらは、限定ではなく、一例としてのみ提示されていることを理解されたい。したがって、本開示の幅および範囲は、上述の例示的な実施形態のいずれによっても限定されるべきではない。さらに、本明細書で別段の指示がない限り、または文脈によって明らかに矛盾しない限り、上記の要素のすべての可能な変形形態における任意の組合せが、本開示に包含される。
【０１５９】
さらに、上述し、図面に示したプロセスは、一連のステップとして示されているが、これは、説明のためだけに行われたものである。したがって、いくつかのステップが追加されてもよく、いくつかのステップが省略されてもよく、ステップの順序が再構成されてもよく、いくつかのステップが並列に実行されてもよいことが意図されている。
【手続補正２】
【補正対象書類名】図面
【補正対象項目名】全図
【補正方法】変更
【補正の内容】
【図１Ａ】
2019537370.tif 000014
【図１Ｂ】
2019537370.tif 000015
【図１Ｃ】
2019537370.tif 000016
【図２】
2019537370.tif 000017
【図３】
2019537370.tif 000018
【図４Ａ】
2019537370.tif 000019
【図４Ｂ】
2019537370.tif 000020
【図５】
2019537370.tif 000021
【図６】
2019537370.tif 000022
【図７】
2019537370.tif 000023
【図８】
2019537370.tif 000024
【国際調査報告】
2019537370.tif 000025
2019537370.tif 000026
2019537370.tif 000027